(57)【特許請求の範囲】
【請求項１】
複数の送信（Ｔｘ）ポイントと通信する無線送信／受信ユニット（ＷＴＲＵ）にて実行される方法であって、
前記複数のＴｘポイントに関連付けられている復調基準信号（ＤＭ−ＲＳ）構成の第１および第２のパラメータを含む無線リソース制御（ＲＲＣ）シグナリングを受信することと、
前記ＷＴＲＵに対する今度の協調されたダウンリンク送信に関連付けられたダウンリンク制御チャネル上で、スクランブリングアイデンティティを含むダウンリンク制御情報を受信することと、
前記スクランブリングアイデンティティが第１の値であるという条件で、前記協調されたダウンリンク送信のＤＭ−ＲＳを受信するための第１のＤＭ−ＲＳシーケンスを、前記第１のＤＭ−ＲＳシーケンスを初期化するための入力として前記第１のパラメータおよび前記スクランブリングアイデンティティの第１の値を使用して生成することと、
前記スクランブリングアイデンティティが第２の値であるという条件で、前記協調されたダウンリンク送信のＤＭ−ＲＳを受信するための第２のＤＭ−ＲＳシーケンスを、前記第２のＤＭ−ＲＳシーケンスを初期化するための入力として前記第２のパラメータおよび前記スクランブリングアイデンティティの第２の値を使用して生成することと
を備える方法。
【請求項２】
前記第１および第２のパラメータを前記ＷＴＲＵに供給することをさらに備える、請求項１の方法。
【請求項３】
前記第１のＤＭ−ＲＳシーケンスまたは前記第２のＤＭ−ＲＳシーケンスに少なくとも一部基づいて前記協調されたダウンリンク送信を受信することをさらに備える、請求項１の方法。
【請求項４】
前記協調されたダウンリンク送信を受信することは、前記第１のＤＭ−ＲＳシーケンスに少なくとも一部基づいて前記協調されたダウンリンク送信のＤＭ−ＲＳを受信することを備える、請求項３の方法。
【請求項５】
前記協調されたダウンリンク送信を受信することは、任意の前記第２のＤＭ−ＲＳシーケンスに少なくとも一部基づいて前記協調されたダウンリンク送信のＤＭ−ＲＳを受信することを備える、請求項３の方法。
【請求項６】
無線送信／受信ユニット（ＷＴＲＵ）であって、
複数の送信（Ｔｘ）ポイントに関連付けられた復調基準信号（ＤＭ−ＲＳ）構成の第１および第２のパラメータを含む無線リソース制御（ＲＲＣ）シグナリングを受信し、
今度の協調されたダウンリンク送信に関連付けられたダウンリンク制御チャネル上で、スクランブリングアイデンティティを含むダウンリンク制御情報を受信する
ように構成された受信機と、
前記スクランブリングアイデンティティが第１の値であるという条件で、前記協調されたダウンリンク送信のＤＭ−ＲＳを受信するための第１のＤＭ−ＲＳシーケンスを、前記第１のＤＭ−ＲＳシーケンスを初期化するための入力として前記第１のパラメータおよび前記スクランブリングアイデンティティの第１の値を使用して生成し、
前記スクランブリングアイデンティティが第２の値であるという条件で、前記協調されたダウンリンク送信のＤＭ−ＲＳを受信するための第２のＤＭ−ＲＳシーケンスを、前記第２のＤＭ−ＲＳシーケンスを初期化するための入力として前記第２のパラメータおよび前記スクランブリングアイデンティティの第２の値を使用して生成する
ように構成されたプロセッサと
を備えたＷＴＲＵ。
【請求項７】
前記ＷＴＲＵはメモリを備え、および前記プロセッサは、前記第１および第２のパラメータを前記メモリに供給するように構成される、請求項６のＷＴＲＵ。
【請求項８】
前記受信機は、前記第１のＤＭ−ＲＳシーケンスまたは前記第２のＤＭ−ＲＳシーケンスに少なくとも一部基づいて前記協調されたダウンリンク送信を受信するように構成される、請求項６のＷＴＲＵ。
【請求項９】
前記受信機は、
前記第１のＤＭ−ＲＳシーケンスまたは前記第２のＤＭ−ＲＳシーケンスに少なくとも一部基づいて前記協調されたダウンリンク送信のＤＭ−ＲＳを受信する
ように構成される、請求項６のＷＴＲＵ。
【請求項１０】
無線送信／受信ユニット（ＷＴＲＵ）に、複数の送信（Ｔｘ）ポイントに関連付けられた復調基準信号（ＤＭ−ＲＳ）構成の第１および第２のパラメータを含む無線リソース制御（ＲＲＣ）シグナリングを送信することと、
次回の協調されたダウンリンク送信に関連付けられたダウンリンク制御チャネル上で前記ＷＴＲＵに、スクランブリングアイデンティティを含むダウンリンク制御情報を送信することと、
前記スクランブリングアイデンティティが第１の値であるという条件で、前記協調されたダウンリンク送信のＤＭ−ＲＳを送信するための第１のＤＭ−ＲＳシーケンスを、前記第１のＤＭ−ＲＳシーケンスを初期化するための入力として前記第１のパラメータおよび前記スクランブリングアイデンティティの第１の値を使用して生成することと、
前記スクランブリングアイデンティティが第２の値であるという条件で、前記協調されたダウンリンク送信のＤＭ−ＲＳを送信するための第２のＤＭ−ＲＳシーケンスを、前記第２のＤＭ−ＲＳシーケンスを初期化するための入力として前記第２のパラメータおよび前記スクランブリングアイデンティティの第２の値を使用して生成することと
を備える方法。
【請求項１１】
前記ＤＭ−ＲＳを含む、前記協調されたダウンリンク送信を送信することをさらに備える、請求項１０の方法。
【請求項１２】
複数の送信（Ｔｘ）ポイントを備えたシステムであって、前記システムは、
無線送信／受信ユニット（ＷＴＲＵ）に、複数のＴｘポイントに関連付けられた復調基準信号（ＤＭ−ＲＳ）構成の第１および第２のパラメータを含む無線リソース制御（ＲＲＣ）シグナリングを送信し、
次回の協調されたダウンリンク送信に関連付けられたダウンリンク制御チャネル上で前記ＷＴＲＵに、スクランブリングアイデンティティを含むダウンリンク制御情報を送信し、
前記スクランブリングアイデンティティが第１の値であるという条件で、前記協調されたダウンリンク送信のＤＭ−ＲＳを送信するための第１のＤＭ−ＲＳシーケンスを、前記第１のＤＭ−ＲＳシーケンスを初期化するための入力として前記第１のパラメータおよび前記スクランブリングアイデンティティの第１の値を使用して生成し、
前記スクランブリングアイデンティティが第２の値であるという条件で、前記協調されたダウンリンク送信のＤＭ−ＲＳを送信するための第２のＤＭ−ＲＳシーケンスを、前記第２のＤＭ−ＲＳシーケンスを初期化するための入力として前記第２のパラメータおよび前記スクランブリングアイデンティティの第２の値を使用して生成する
ように構成されたシステム。
【請求項１３】
前記複数のＴｘポイントは、前記ＤＭ−ＲＳを含む、前記協調されたダウンリンク送信を送信するようにさらに構成される、請求項１２のシステム。
【請求項１４】
前記ダウンリンク制御情報は、（ｉ）前記ＷＴＲＵへの前記協調されたダウンリンク送信が間近に迫っていることを前記ＷＴＲＵに明示的にシグナリングするための少なくとも１ビット、（ｉｉ）前記ＷＴＲＵへの前記協調されたダウンリンク送信が間近に迫っていることを前記ＷＴＲＵに暗黙的にシグナリングするための少なくとも１ビット、（ｉｉｉ）前記ダウンリンク制御チャネルのブラインド検出によって得られた明示的な、および暗黙的なシグナルのいずれか、のうちのいずれかを備える、請求項１の方法または請求項１０の方法。
【請求項１５】
前記ダウンリンク制御情報は、（ｉ）前記ＷＴＲＵへの前記協調されたダウンリンク送信が間近に迫っていることを前記ＷＴＲＵに明示的にシグナリングするための少なくとも１ビット、（ｉｉ）前記ＷＴＲＵへの前記協調されたダウンリンク送信が間近に迫っていることを前記ＷＴＲＵに暗黙的にシグナリングするための少なくとも１ビット、（ｉｉｉ）前記ダウンリンク制御チャネルのブラインド検出によって得られた明示的な、および暗黙的なシグナルのいずれか、のうちのいずれかを備える、請求項６のＷＴＲＵ。
【請求項１６】
前記ダウンリンク制御情報は、（ｉ）前記ＷＴＲＵへの前記協調されたダウンリンク送信が間近に迫っていることを前記ＷＴＲＵに明示的にシグナリングするための少なくとも１ビット、（ｉｉ）前記ＷＴＲＵへの前記協調されたダウンリンク送信が間近に迫っていることを前記ＷＴＲＵに暗黙的にシグナリングするための少なくとも１ビット、（ｉｉｉ）前記ダウンリンク制御チャネルのブラインド検出によって得られた明示的な、および暗黙的なシグナルのいずれか、のうちのいずれかを備える、請求項１２のシステム。
【請求項１７】
前記第１および第２のパラメータのそれぞれは、前記ＷＴＲＵに特有なアンテナポートのインデックス、前記ＷＴＲＵに特有な、基準信号生成のための初期シーケンスの値、前記ＷＴＲＵに特有な送信モード、基準信号シーケンスの初期化と共に使用するための、前記ＷＴＲＵに特有な識別子、および前記複数のＴｘポイントに関連付けられた前記ＤＭ−ＲＳ構成に基づく値のいずれかを備える、請求項１の方法。
【請求項１８】
前記第１および第２のパラメータのそれぞれは、前記ＷＴＲＵに特有なアンテナポートのインデックス、前記ＷＴＲＵに特有な、基準信号生成のための初期シーケンスの値、前記ＷＴＲＵに特有な送信モード、基準信号シーケンスの初期化と共に使用するための、前記ＷＴＲＵに特有な識別子、および前記複数のＴｘポイントに関連付けられた前記ＤＭ−ＲＳ構成に基づく値のいずれかを備える、請求項６のＷＴＲＵ。
【請求項１９】
スクランブリング識別子の第１および第２の値のそれぞれは、物理層より上の層を使用して構成されたスクランブリングアイデンティティ、前記ＷＴＲＵのアイデンティティ、前記ＷＴＲＵのＲＮＴＩ（radio network temporary identifier）、送信ポイントのアイデンティティ、送信ポイントのセルのアイデンティティ、ＣＩＦ（carrier indicator field）、および１または複数のアンテナポートのスクランブリングアイデンティティのいずれかの値を備える、請求項１の方法または請求項１０の方法。
【請求項２０】
スクランブリング識別子の第１および第２の値のそれぞれは、物理層より上の層を使用して構成されたスクランブリングアイデンティティ、前記ＷＴＲＵのアイデンティティ、前記ＷＴＲＵのＲＮＴＩ（radio network temporary identifier）、送信ポイントのアイデンティティ、送信ポイントのセルのアイデンティティ、ＣＩＦ（carrier indicator field）、および１または複数のアンテナポートのスクランブリングアイデンティティのいずれかの値を備える、請求項６のＷＴＲＵ。
【請求項２１】
スクランブリング識別子の第１および第２の値のそれぞれは、物理層より上の層を使用して構成されたスクランブリングアイデンティティ、前記ＷＴＲＵのアイデンティティ、前記ＷＴＲＵのＲＮＴＩ（radio network temporary identifier）、送信ポイントのアイデンティティ、送信ポイントのセルのアイデンティティ、ＣＩＦ（carrier indicator field）、および１または複数のアンテナポートのスクランブリングアイデンティティのいずれかの値を備える、請求項１２のシステム。
【請求項２２】
前記第１および第２のＤＭ−ＲＳシーケンスのいずれかを初期化することは、イニシエータである、
【数１】
0006039578.tif 000123
に基づき、
前記第１のＤＭ−ＲＳシーケンスについて、ＸIDは前記第１のパラメータであり、ｎs_はスロット番号であり、およびＹIDはスクランブリング識別子のための第１の値であり、
前記第２のＤＭ−ＲＳシーケンスについて、ＸIDは前記第２のパラメータであり、ｎs_はスロット番号であり、およびＹIDはスクランブリング識別子のための第２の値である、請求項１の方法または請求項１０の方法。
【請求項２３】
前記第１および第２のＤＭ−ＲＳシーケンスのいずれかを初期化することは、イニシエータである、
【数２】
0006039578.tif 000124
に基づき、
前記第１のＤＭ−ＲＳシーケンスについて、ＸIDは前記第１のパラメータであり、ｎs_はスロット番号であり、およびＹIDはスクランブリング識別子のための第１の値であり、
前記第２のＤＭ−ＲＳシーケンスについて、ＸIDは前記第２のパラメータであり、ｎs_はスロット番号であり、およびＹIDはスクランブリング識別子のための第２の値である、請求項６のＷＴＲＵ。
【請求項２４】
前記第１および第２のＤＭ−ＲＳシーケンスのいずれかを初期化することは、イニシエータである、
【数３】
0006039578.tif 000125
に基づき、
前記第１のＤＭ−ＲＳシーケンスについて、ＸIDは前記第１のパラメータであり、ｎs_はスロット番号であり、およびＹIDはスクランブリング識別子のための第１の値であり、
前記第２のＤＭ−ＲＳシーケンスについて、ＸIDは前記第２のパラメータであり、ｎs_はスロット番号であり、およびＹIDはスクランブリング識別子のための第２の値である、請求項１２のシステム。
【請求項２５】
前記ダウンリンク制御チャネルは、物理ダウンリンク制御チャネル（ＰＤＣＣＨ）および拡張ＰＤＣＣＨ（ｅＰＤＣＣＨ）のいずれかを備える、請求項１の方法または請求項１０の方法。
【請求項２６】
前記ダウンリンク制御チャネルは、物理ダウンリンク制御チャネル（ＰＤＣＣＨ）および拡張ＰＤＣＣＨ（ｅＰＤＣＣＨ）のいずれかを備える、請求項６のＷＴＲＵ。
【請求項２７】
前記ダウンリンク制御チャネルは、物理ダウンリンク制御チャネル（ＰＤＣＣＨ）および拡張ＰＤＣＣＨ（ｅＰＤＣＣＨ）のいずれかを備える、請求項１２のシステム。
【請求項２８】
前記協調されたダウンリンク送信は、物理ダウンリンク共有チャネル（ＰＤＳＣＨ）を備える、請求項１の方法または請求項１０の方法。
【請求項２９】
前記協調されたダウンリンク送信は、物理ダウンリンク共有チャネル（ＰＤＳＣＨ）を備える、請求項６のＷＴＲＵ。
【請求項３０】
前記協調されたダウンリンク送信は、物理ダウンリンク共有チャネル（ＰＤＳＣＨ）を備える、請求項１２のシステム。
【請求項３１】
前記協調されたダウンリンク送信の前記ＤＭ−ＲＳを受信することと、
前記受信されたＤＭ−ＲＳを使用してチャネル推定を行うことと
をさらに備える、請求項１の方法。
【請求項３２】
前記チャネル推定に基づいて前記協調されたダウンリンク送信において送信されたデータを受信することをさらに備える、請求項３１の方法。
【請求項３３】
前記受信機は、前記協調されたダウンリンク送信の前記ＤＭ−ＲＳを受信するように構成され、
前記プロセッサは、前記受信されたＤＭ−ＲＳを使用してチャネル推定を行うように構成された、請求項６のＷＴＲＵ。
【請求項３４】
前記プロセッサは、前記チャネル推定に基づいて前記協調されたダウンリンク送信において送信されたデータを受信するように構成された、請求項３３のＷＴＲＵ。
【発明の詳細な説明】
【技術分野】
【０００１】
本願は、無線通信に関する。
【背景技術】
【０００２】
無線（例えば、セルラ）通信システムは、その平均セルスループットおよびセルエッジスループットに基づいて評価されうる。平均セルスループット性能およびセルエッジスループット性能の両方を改善することが一般的に望ましい。平均セルスループット性能は、例えば、電力ブースティング（power boosting）技術を使用して受信信号強度を高めることによって改善されうるが、セルエッジユーザが、それでも低い受信信号強度を経験する場合があり、セルエッジスループット性能は、ＩＣＩ（セル間干渉）によって影響される可能性がある。これは、１または１に近い周波数再利用係数（frequency reuse factor）と共に動作する（および、これを使用して動作する）ように設計された無線通信システムにあてはまる可能性がある。このレベルの周波数再利用は、例えば、４Ｇ（第４世代）および次世代のネットワークを含むＯＦＤＭ（直交周波数分割多重）ベースのネットワークを使用する通信システムの主要な目的である可能性がある。
【０００３】
そのような目的にもかかわらず、１または１に近い周波数再利用係数を使用して動作することは、全てのセルが全ての時間リソースおよび周波数リソース上で同時に送信することを許容される（または送信しつつある）ことに起因して、無線通信システムが干渉制限されるようになりうることを暗示する。残念ながら、電力ブースティングは、信号強度がサービングセル信号および干渉信号の両方について高められる可能性があるので、セルエッジスループット性能を改善しない可能性がある。ＣｏＭＰ（coordinated multi-point）送信およびＣｏＭＰ受信など、セルエッジスループット性能および他のスループット性能を改善する他の技法が望ましい場合がある。
【発明の概要】
【０００４】
ＣｏＭＰ（Cooperative Multi-Point）送信におけるダウンリンク共有チャネル受信の方法、システムおよび装置を提供する。そのような方法、システムおよび装置の中に含まれるのは、ＷＴＲＵ（無線送信／受信ユニット）で、ＷＴＲＵへの第１の調整された（coordinated）ダウンリンク送信がやがて来る（forthcoming）ことをＷＴＲＵにシグナリングすることに関する情報の第１のセットを受信するステップと、情報の第１のセットに基づいて、第１の調整されたダウンリンク送信を受信するためのＤＭ−ＲＳ（demodulation reference signal）の第１のセットを生成するのに使用する受信パラメータの第１のセットを決定するステップであって、受信パラメータの第１のセットは、第１の識別子および第１のスクランブリングアイデンティティを含む、ステップと、ＷＴＲＵで、ＷＴＲＵへの第２の調整されたダウンリンク送信がやがて来ることをＷＴＲＵにシグナリングすることに関する受信情報の第２のセットを受信するステップと、情報の第２のセットに基づいて、第２の調整されたダウンリンク送信を受信するためのＤＭ−ＲＳの第２のセットを生成するのに使用する受信パラメータの第２のセットを決定するステップであって、受信パラメータの第２のセットは、第２の識別子および第２のスクランブリングアイデンティティを含む、ステップを含むことができる方法である。
【０００５】
方法、システムおよび装置にさらに含まれるのは、ＣｏＭＰが送信に適用されるのかどうかを判定するのに使用できる方法および装置である。この方法および装置を、他のＣｏＭＰ関連情報を獲得するのに使用することができる。この方法および装置は、非トランスペアレントＣｏＭＰシナリオに適用することができる。この方法は、例えば、動的な方法および他の状態ベースの方法を含むことができる。
【０００６】
方法、システムおよび装置の中には、ＣｏＭＰの動作をサポートし、ＣｏＭＰデバイスがＣｏＭＰのＰＤＳＣＨ（physical downlink shared channel）を復調することを可能にするためにＤＭ−ＲＳポートおよびシーケンスを提供するのに使用できる方法および装置も含まれる。
【０００７】
方法、システムおよび装置の中には、さらに、ＭＵ−ＭＩＭＯ（multi-user multiple input multiple output）動作で協調スケジューリングされたＣｏＭＰデバイスの存在を検出するのに使用できる方法および装置が含まれる。そのような方法および装置は、送信（Ｔｘ）ポイントが、そのＴｘポイントからＰＤＳＣＨを受信するＣｏＭＰデバイスのＤＭ−ＲＳシーケンスを初期化するのにそれ自体のシステムパラメータ以外のシステムパラメータを使用する場合に、使用することができる。
【０００８】
ＰＤＳＣＨスクランブリングは、ＣｏＭＰの動作をサポートするために実行されることができ、およびＣｏＭＰデバイスが受信されたＣｏＭＰ  ＰＤＳＣＨをデスクランブルすることを可能にすることができる。
【０００９】
方法、システムおよび装置の中には、Ｔｘポイントにまたがって異なるデータを有するＪＴ  ＣｏＭＰのためにＴｘポイントにまたがってＨＡＲＱ（ハイブリッド自動再送要求）プロセスを維持するのに使用される方法および装置も含まれる。
【００１０】
方法、システムおよび装置は、異なるＤＭ−ＲＳシーケンスおよび／または異なるＤＭ−ＲＳポートを使用するＴｘポイントにまたがって同一のデータを有するＪＴ  ＣｏＭＰのために受信器でＴｘポイントの間のタイミングオフセットを補償するのに使用できる方法および装置も含まれる。
【図面の簡単な説明】
【００１１】
より詳細な理解を、添付図面に関連して例として与えられる以下の詳細な説明から得ることができる。そのような図面の図は、詳細な説明と同様に一例である。従って、図および詳細な説明を、限定的と考えてはならず、他の同等に有効な例が、可能であり、見込みがある。さらに、図面の同様の符号は、同様の要素を示す。
【図１Ａ】１つまたは複数の実施形態を実施できる通信システム例を示す図である。
【図１Ｂ】図１Ａに示された通信システム内で使用できるＷＴＲＵ（無線送信／受信ユニット）の例を示すシステム図である。
【図１Ｃ】図１Ａに示された通信システム内で使用できる無線アクセスネットワークおよびコアネットワークの例を示すシステム図である。
【図１Ｄ】図１Ａに示された通信システム内で使用できる無線アクセスネットワークおよびコアネットワークの別の例を示すシステム図である。
【図１Ｅ】図１Ａに示された通信システム内で使用できる無線アクセスネットワークおよびコアネットワークの別の例を示すシステム図である。
【図１Ｆ】１つまたは複数の実施形態を実施できるＣｏＭＰ（Coordinated Multi-Point）無線通信ネットワークの例を示すブロック図である。
【図２】結合処理（ＪＰ：joint processing）  ＣｏＭＰ送信を実行するプロセスの例を示す流れ図である。
【図３】ＪＰ  ＣｏＭＰ送信を実行するプロセスの例を示す流れ図である。
【図４】ＪＰ  ＣｏＭＰ送信を実行するプロセスの例を示す流れ図である。
【図５】ＣｏＭＰ送信を実行するプロセスの例を示す流れ図である。
【発明を実施するための形態】
【００１２】
以下の詳細な説明では、本明細書で開示される実施形態および／または例の完全な理解を提供するために多数の具体的な詳細を示す。しかし、本明細書で示される具体的な詳細の一部または全てを用いずに、そのような実施形態および例を実践できることを理解されたい。他の場合には、以下の説明を不明瞭にしないようにするために、周知の方法、手順、コンポーネントおよび回路は、詳細には説明しない。さらに、本明細書で具体的には説明されない実施形態および例を、本明細書で開示される実施形態および他の例の代わりにまたはこれと組み合わせて実践することができる。
【００１３】
通信システムアーキテクチャの例
図１Ａ〜図１Ｆは、１つまたは複数の実施形態を実施できる一例の通信システム１００を示すブロック図である。通信システム１００を、音声、データ、ビデオ、メッセージング、ブロードキャストなどのコンテンツを複数の無線ユーザに提供する多元接続システムとすることができる。通信システム１００は、複数の無線ユーザが、無線帯域幅を含むシステムリソースの共有を介してそのようなコンテンツにアクセスすることを可能にすることができる。例えば、通信システム１００は、ＣＤＭＡ（符号分割多元接続）、ＴＤＭＡ（時分割多元接続）、ＦＤＭＡ（周波数分割多元接続）、ＯＦＤＭＡ（直交ＦＤＭＡ）、ＳＣ−ＦＤＭＡ（single-carrier FDMA）などの１つまたは複数のチャネルアクセス方法を使用することができる。
【００１４】
図１Ａに示されるように、通信システム１００は、ＷＴＲＵ（無線送信／受信ユニット）１０２ａ、１０２ｂ、１０２ｃ、１０２ｄ、ＲＡＮ（無線アクセスネットワーク）１０４、コアネットワーク１０６、ＰＳＴＮ（公衆交換電話網）１０８、インターネット１１０、および他のネットワーク１１２を含むことができるが、開示される実施形態が、任意の個数のＷＴＲＵ、基地局、ネットワークおよび／またはネットワーク要素を企図することを了解されたい。ＷＴＲＵ１０２ａ、１０２ｂ、１０２ｃ、１０２ｄのそれぞれを、無線環境内で動作し、かつ／または通信するように構成された任意のタイプのデバイスとすることができる。例えば、ＷＴＲＵ１０２ａ、１０２ｂ、１０２ｃ、１０２ｄは、無線信号を送信し、かつ／または受信するように構成されることができ、およびＵＥ（ユーザ機器）、移動局、固定のまたは可動の加入者ユニット、ページャー、セルラ電話機、ＰＤＡ（携帯情報端末）、スマートホン、ラップトップ機、ネットブック、パーソナルコンピュータ、無線センサ、消費者エレクトロニクスなどを含むことができる。
【００１５】
通信システム１００は、基地局１１４ａおよび基地局１１４ｂをも含むことができる。基地局１１４ａ、１１４ｂのそれぞれは、コアネットワーク１０６、インターネット１１０、および／またはネットワーク１１２などの１つまたは複数の通信ネットワークへのアクセスを容易にするためにＷＴＲＵ１０２ａ、１０２ｂ、１０２ｃ、１０２ｄのうちの少なくとも１つと無線でインターフェースするように構成された任意のタイプのデバイスとすることができる。例えば、基地局１１４ａ、１１４ｂを、ＢＴＳ（無線基地局）、Ｎｏｄｅ−Ｂ、ｅＮｏｄｅ  Ｂ、Ｈｏｍｅ  Ｎｏｄｅ  Ｂ、Ｈｏｍｅ  ｅＮｏｄｅ  Ｂ、サイトコントローラ、ＡＰ（アクセスポイント）、無線ルータなどとすることができる。基地局１１４ａ、１１４ｂは、それぞれ単一の要素として図示されているが、基地局１１４ａ、１１４ｂが、任意の個数の相互接続された基地局および／またはネットワーク要素を含むことができることを了解されたい。
【００１６】
基地局１１４ａを、ＲＡＮ１０４の一部とすることができ、ＲＡＮ１０４は、他の基地局および／またはＢＳＣ（基地局制御装置）、ＲＮＣ（無線ネットワーク制御装置）、中継ノードなどのネットワーク要素（図示せず）を含むこともできる。基地局１１４ａおよび／または基地局１１４ｂを、セル（図示せず）と称する場合もある特定の地理的領域内で無線信号を送信し、かつ／または受信するように構成することができる。セルをさらに、セルセクタに分割することができる。例えば、基地局１１４ａに関連するセルを、３つのセクタに分割することができる。従って、一実施形態では、基地局１１４ａは、３つのトランシーバすなわち、セルのセクタごとに１つのトランシーバを含むことができる。別の実施形態では、基地局１１４ａは、ＭＩＭＯ技術を使用することができ、従って、セルのセクタごとに複数のトランシーバを利用することができる。
【００１７】
基地局１１４ａ、１１４ｂは、エアインターフェース１１６を介してＷＴＲＵ１０２ａ、１０２ｂ、１０２ｃ、１０２ｄのうちの１つまたは複数と通信することができ、エアインターフェース１１６は、任意の適切な無線通信リンク（例えば、ＲＦ（無線周波数）、マイクロ波、赤外線（ＩＲ）、紫外線（ＵＶ）、可視光など）とすることができる。エアインターフェース１１６を、任意の適切なＲＡＴ（radio access technology）を使用して確立することができる。
【００１８】
より具体的には、上記したように、通信システム１００は、多元接続システムとすることができ、ＣＤＭＡ、ＴＤＭＡ、ＦＤＭＡ、ＯＦＤＭＡ、ＳＣ−ＦＤＭＡなど、１つまたは複数のチャネルアクセス方式を使用することができる。例えば、ＲＡＮ１０４内の基地局１１４ａおよびＷＴＲＵ１０２ａ、１０２ｂ、１０２ｃは、ＵＴＲＡ（UMTS(Universal Mobile Telecommunications System)Terrestrial Radio Access）などの無線技術を実施することができ、ＵＴＲＡは、Ｗ−ＣＤＭＡ（wideband CDMA）を使用してエアインターフェース１１６を確立することができる。Ｗ−ＣＤＭＡは、ＨＳＰＡ（High-Speed Packet Access）および／またはＨＳＰＡ＋（Evolved HSPA）などの通信プロトコルを含むことができる。ＨＳＰＡは、ＨＳＤＰＡ（High-Speed Downlink Packet Access）および／またはＨＳＵＰＡ（High-Speed Uplink Packet Access）を含むことができる。
【００１９】
別の実施形態では、基地局１１４ａおよびＷＴＲＵ１０２ａ、１０２ｂ、１０２ｃは、Ｅ−ＵＴＲＡ（Evolved UMTS Terrestrial Radio Access）などの無線技術を実施することができ、Ｅ−ＵＴＲＡは、ＬＴＥ（Long Term Evolution）および／またはＬＴＥ−Ａ（LTE-Advanced）を使用してエアインターフェース１１６を確立することができる。
【００２０】
他の実施形態では、基地局１１４ａおよびＷＴＲＵ１０２ａ、１０２ｂ、１０２ｃは、ＩＥＥＥ８０２．１６（即ち、ＷｉＭＡＸ）、ＣＤＭＡ２０００、ＣＤＭＡ２０００  １Ｘ、ＣＤＭＡ２０００  ＥＶ−ＤＯ、ＩＳ−２０００（Interim Standard 2000）、ＩＳ−９５、ＩＳ−８５６、ＧＳＭ（登録商標）（Global System for Mobile communications）、ＥＤＧＥ（Enhanced Data rates for GSM Evolution）、ＧＥＲＡＮ（GSM EDGE）などの無線技術を実施することができる。
【００２１】
図１Ａの基地局１１４ｂは、例えば、無線ルータ、Ｈｏｍｅ  Ｎｏｄｅ  Ｂ、Ｈｏｍｅ  ｅＮｏｄｅ  Ｂ、またはアクセスポイントとすることができ、職場、家庭、車両、キャンパスなど、局所化された区域内での無線接続性を容易にするために任意の適切なＲＡＴを利用することができる。一実施形態では、基地局１１４ｂおよびＷＴＲＵ１０２ｃ、１０２ｄは、ＷＬＡＮ（無線ローカルエリアネットワーク）を確立するためにＩＥＥＥ８０２．１１などの無線技術を実施することができる。別の実施形態では、基地局１１４ｂおよびＷＴＲＵ１０２ｃ、１０２ｄは、ＷＰＡＮ（無線パーソナルエリアネットワーク）を確立するためにＩＥＥＥ８０２．１５などの無線技術を実施することができる。別の実施形態では、基地局１１４ｂおよびＷＴＲＵ１０２ｃ、１０２ｄは、ピコセルまたはフェムトセルを確立するためにセルラベースのＲＡＴ（例えば、Ｗ−ＣＤＭＡ、ＣＤＭＡ２０００、ＧＳＭ、ＬＴＥ、ＬＴＥ−Ａなど）を利用することができる。図１Ａに示されるように、基地局１１４ｂは、インターネット１１０への直接接続を有することができる。従って、基地局１１４ｂは、コアネットワーク１０６を介してインターネット１１０にアクセスすることを要求されないものとすることができる。
【００２２】
ＲＡＮ１０４は、コアネットワーク１０６と通信しているものとすることができ、コアネットワーク１０６は、音声、データ、アプリケーション、および／またはＶｏＩＰのサービスをＷＴＲＵ１０２ａ、１０２ｂ、１０２ｃ、１０２ｄのうちの１つまたは複数に提供するように構成された任意のタイプのネットワークとすることができる。例えば、コアネットワーク１０６は、呼制御、課金サービス、モバイル位置情報サービス、プリペイド呼、インターネット接続性、ビデオ配信などを提供し、かつ／またはユーザ認証などの高レベルセキュリティ機能を実行することができる。図１Ａには図示されていないが、ＲＡＮ１０４および／またはコアネットワーク１０６が、ＲＡＮ１０４と同一のＲＡＴまたは異なるＲＡＴを使用する他のＲＡＮと直接にまたは間接に通信可能であることを了解されたい。例えば、Ｅ−ＵＴＲＡ無線技術を利用している可能性があるＲＡＮ１０４に接続されることに加えて、コアネットワーク１０６は、ＧＳＭ無線技術を利用している別のＲＡＮ（図示せず）と通信することもできる。
【００２３】
コアネットワーク１０６は、ＷＴＲＵ１０２ａ、１０２ｂ、１０２ｃ、１０２ｄがＰＳＴＮ１０８、インターネット１１０、および／または他のネットワーク１１２にアクセスするためのゲートウェイとして働くこともできる。ＰＳＴＮ１０８は、ＰＯＴＳ（plain old telephone service）を提供する回線交換電話網を含むことができる。インターネット１１０は、ＴＣＰ／ＩＰインターネットプロトコルスイート内のＴＣＰ、ＵＤＰおよびＩＰなどの共通の通信プロトコルを使用する相互接続されたコンピュータネットワークおよびデバイスのグローバルシステムを含むことができる。ネットワーク１１２は、他のサービスプロバイダによって所有され、かつ／または運営される有線または無線の通信ネットワークを含むことができる。例えば、ネットワーク１１２は、ＲＡＮ１０４と同一のＲＡＴまたは異なるＲＡＴを使用可能な１つまたは複数のＲＡＮに接続された別のコアネットワークを含むことができる。
【００２４】
通信システム１００内のＷＴＲＵ１０２ａ、１０２ｂ、１０２ｃ、１０２ｄの一部または全ては、マルチモード能力を含むことができる。すなわち、ＷＴＲＵ１０２ａ、１０２ｂ、１０２ｃ、１０２ｄは、異なる無線リンク上で異なる無線ネットワークと通信する複数のトランシーバを含むことができる。例えば、図１Ａに示されたＷＴＲＵ１０２ｃを、セルラベースの無線技術を使用できる基地局１１４ａおよびＩＥＥＥ８０２無線技術を使用できる基地局１１４ｂと通信するように構成することができる。
【００２５】
図１Ｂは、一例のＷＴＲＵ１０２を示すシステム図である。図１Ｂに示されるように、ＷＴＲＵ１０２は、プロセッサ１１８、トランシーバ１２０、送受信要素１２２、スピーカ／マイクロホン１２４、キーパッド１２６、ディスプレイ／タッチパッド１２８、非リムーバブルメモリ１３０、リムーバブルメモリ１３２、電源１３４、ＧＰＳチップセット１３６および他の周辺機器１３８を含むことができる。ＷＴＲＵ１０２が、実施形態と一貫したままでありながら前述の要素の任意の副組合せを含みうることを了解されたい。
【００２６】
プロセッサ１１８を、汎用プロセッサ、特殊目的プロセッサ、従来のプロセッサ、ＤＳＰ（ディジタル信号プロセッサ）、複数のマイクロプロセッサ、ＤＳＰコアに関連する１つもしくは複数のマイクロプロセッサ、コントローラ、マイクロコントローラ、ＡＳＩＣ、ＦＰＧＡ回路、任意の他のタイプのＩＣ（集積回路）、状態機械などとすることができる。プロセッサ１１８は、信号符号化、データ処理、電力制御、入出力処理、および／またはＷＴＲＵ１０２が無線環境内で動作することを可能にする任意の他の機能性を実行することができる。プロセッサ１１８を、トランシーバ１２０に結合することができ、トランシーバ１２０を、送受信要素１２２に結合することができる。図１Ｂは、別々のコンポーネントとしてプロセッサ１１８およびトランシーバ１２０を示すが、プロセッサ１１８およびトランシーバ１２０を、電子パッケージまたはチップ内に一緒に一体化することができることを了解されたい。
【００２７】
エアインターフェース１１６上で基地局（例えば、基地局１１４ａ）へ信号を送信しまたはこれから信号を受信するように、送受信要素１２２を構成することができる。例えば、一実施形態では、送受信要素１２２を、ＲＦ信号を送信し、かつ／または受信するように構成されたアンテナとすることができる。別の実施形態では、送受信要素１２２を、例えば、ＩＲ、ＵＶ、または可視光信号を送信し、かつ／または受信するように構成されたエミッタ／検出器とすることができる。別の実施形態では、送受信要素１２２を、ＲＦ信号と光信号との両方を送信し、受信するように構成することができる。送受信要素１２２を、無線信号の任意の組合せを送信し、かつ／または受信するように構成することができることを了解されたい。
【００２８】
さらに、送受信要素１２２は、図１Ｂでは単一の要素として図示されているが、ＷＴＲＵ１０２は、任意の個数の送受信要素１２２を含むことができる。より具体的には、ＷＴＲＵ１０２は、ＭＩＭＯ技術を使用することができる。従って、一実施形態では、ＷＴＲＵ１０２は、エアインターフェース１１６上で無線信号を送受信する複数の送受信要素１２２（例えば、複数のアンテナ）を含むことができる。
【００２９】
送受信要素１２２によって送信される信号を変調し、送受信要素１２２によって受信される信号を復調するように、トランシーバ１２０を構成することができる。上記したように、ＷＴＲＵ１０２は、マルチモード能力を有しうる。従って、トランシーバ１２０は、ＷＴＲＵ１０２が例えばＵＴＲＡおよびＩＥＥＥ８０２．１１などの複数のＲＡＴを介して通信することを可能にする複数のトランシーバを含むことができる。
【００３０】
ＷＴＲＵ１０２のプロセッサ１１８は、スピーカ／マイクロホン１２４、キーパッド１２６、および／またはディスプレイ／タッチパッド１２８（例えば、ＬＣＤ（液晶ディスプレイ）表示ユニットまたはＯＬＥＤ（有機発光ダイオード）表示ユニット）に結合され、これらからユーザ入力データを受け取ることができる。プロセッサ１１８は、ユーザデータをスピーカ／マイクロホン１２４、キーパッド１２６、および／またはディスプレイ／タッチパッド１２８に出力することもできる。さらに、プロセッサ１１８は、非リムーバブルメモリ１３０および／またはリムーバブルメモリ１３２などの任意のタイプの適切なメモリからの情報にアクセスし、そのメモリにデータを格納することができる。非リムーバブルメモリ１３０は、ＲＡＭ、ＲＯＭ、ハードディスク、または任意の他のタイプのメモリストレージデバイスを含むことができる。リムーバブルメモリ１３２は、ＳＩＭ（subscriber identity module）カード、メモリスティック、ＳＤ（secure digital）メモリカードなどを含むことができる。他の実施形態では、プロセッサ１１８は、サーバ上またはホームコンピュータ（図示せず）上など、ＷＴＲＵ１０２上に物理的に配置されていないメモリからの情報にアクセスし、そのメモリにデータを格納することができる。
【００３１】
プロセッサ１１８は、電源１３４から電力を受け取ることができ、ＷＴＲＵ１０２内の他のコンポーネントに電力を分配し、かつ／または制御するように構成することができる。電源１３４は、ＷＴＲＵ１０２に電力を供給する任意の適切なデバイスとすることができる。例えば、電源１３４は、１つまたは複数の乾電池（例えば、ＮｉＣｄ（ニッケル−カドミウム）、ＮｉＺｎ（ニッケル−亜鉛）、ＮｉＭＨ（ニッケル水素）、リチウムイオン（Ｌｉ−ｉｏｎ）など）、太陽電池、燃料電池などを含むことができる。
【００３２】
プロセッサ１１８を、ＧＰＳチップセット１３６に結合することもでき、ＧＰＳチップセット１３６を、ＷＴＲＵ１０２の現在位置に関する位置情報（例えば、経度および緯度）を提供するように構成することができる。ＧＰＳチップセット１３６からの情報に加えてまたはその代わりに、ＷＴＲＵ１０２は、基地局（例えば、基地局１１４ａ、１１４ｂ）からエアインターフェース１１６を介して位置情報を受信し、かつ／または複数の近くの基地局から受信されつつある信号のタイミングに基づいてその位置を判定することができる。ＷＴＲＵ１０２が、実施形態と一貫したままでありながら任意の適切な位置判定方法によって位置情報を獲得できることを了解されたい。
【００３３】
プロセッサ１１８を、他の周辺機器１３８にさらに結合することができ、他の周辺機器１３８は、追加の特徴、機能性および／または有線もしくは無線の接続性を提供する１つまたは複数のソフトウェアモジュールおよび／またはハードウェアモジュールを含むことができる。例えば、周辺機器１３８は、加速度計、ｅコンパス、衛星トランシーバ、ディジタルカメラ（写真またはビデオ用）、ＵＳＢポート、振動デバイス、テレビジョントランシーバ、ハンズフリーヘッドセット、Ｂｌｕｅｔｏｏｔｈ（登録商標）モジュール、ＦＭ（周波数変調）ラジオユニット、ディジタル音楽プレイヤ、メディアプレイヤ、ビデオゲームプレイヤモジュール、インターネットブラウザなどを含むことができる。
【００３４】
図１Ｃは、一実施形態によるＲＡＮ１０４およびコアネットワーク１０６を示すシステム図である。上記したように、ＲＡＮ１０４は、エアインターフェース１１６を介してＷＴＲＵ１０２ａ、１０２ｂ、１０２ｃと通信するのにＵＴＲＡ無線技術を使用することができる。ＲＡＮ１０４は、コアネットワーク１０６と通信することもできる。図１Ｃに示されるように、ＲＡＮ１０４は、Ｎｏｄｅ−Ｂ１４０ａ、１４０ｂ、１４０ｃを含むことができ、このＮｏｄｅ−Ｂ１４０ａ、１４０ｂ、１４０ｃは、それぞれ、エアインターフェース１１６を介してＷＴＲＵ１０２ａ、１０２ｂ、１０２ｃと通信する１つまたは複数のトランシーバを含むことができる。Ｎｏｄｅ−Ｂ１４０ａ、１４０ｂ、１４０ｃのそれぞれを、ＲＡＮ１０４内の特定のセル（図示せず）に関連付けることができる。ＲＡＮ１０４は、ＲＮＣ１４２ａ、１４２ｂをも含むことができる。ＲＡＮ１０４が、実施形態と一貫したままでありながら任意の個数のＮｏｄｅ−ＢおよびＲＮＣを含むことができることを了解されたい。
【００３５】
図１Ｃに示されるように、Ｎｏｄｅ−Ｂ１４０ａ、１４０ｂは、ＲＮＣ１４２ａと通信しているものとすることができる。また、Ｎｏｄｅ−Ｂ１４０ｃは、ＲＮＣ１４２ｂと通信しているものとすることができる。Ｎｏｄｅ−Ｂ１４０ａ、１４０ｂ、１４０ｃは、Ｉｕｂインターフェースを介して各ＲＮＣ１４２ａ、１４２ｂと通信することができる。ＲＮＣ１４２ａ、１４２ｂは、Ｉｕｒインターフェースを介して互いに通信することができる。ＲＮＣ１４２ａ、１４２ｂのそれぞれは、それが接続されるそれぞれのＮｏｄｅ−Ｂ１４０ａ、１４０ｂ、１４０ｃを制御するように構成され得る。さらに、ＲＮＣ１４２ａ、１４２ｂのそれぞれは、アウターループ電力制御、負荷制御、アドミッション制御、パケットスケジューリング、ハンドオーバ制御、マクロダイバーシティ、セキュリティ機能、データ暗号化などの他の機能性を実行しまたはサポートするように構成され得る。
【００３６】
図１Ｃに示されたコアネットワーク１０６は、メディアゲートウェイ（ＭＧＷ）１４４、ＭＳＣ（mobile switching center）１４６、ＳＧＳＮ（serving GPRS support node）１４８、および／またはＧＧＳＮ（gateway GPRS support node）１５０を含むことができる。前述の要素のそれぞれが、コアネットワーク１０６の一部として図示されているが、これらの要素の任意の１つが、コアネットワークオペレータ以外のエンティティによって所有され、かつ／または運営される場合があることを了解されたい。
【００３７】
ＲＡＮ１０４内のＲＮＣ１４２ａを、ＩｕＣＳインターフェースを介してコアネットワーク１０６内のＭＳＣ１４６に接続することができる。ＭＳＣ１４６を、ＭＧＷ１４４に接続することができる。ＭＳＣ１４６およびＭＧＷ１４４は、ＷＴＲＵ１０２ａ、１０２ｂ、１０２ｃと伝統的な陸線通信デバイスとの間の通信を容易にするために、ＰＳＴＮ１０８などの回線交換ネットワークへのアクセスをＷＴＲＵ１０２ａ、１０２ｂ、１０２ｃに与えることができる。
【００３８】
ＲＡＮ１０４内のＲＮＣ１４２ａを、ＩｕＰＳインターフェースを介してコアネットワーク１０６内のＳＧＳＮ１４８に接続することもできる。ＳＧＳＮ１４８を、ＧＧＳＮ１５０に接続することができる。ＳＧＳＮ１４８およびＧＧＳＮ１５０は、ＷＴＲＵ１０２ａ、１０２ｂ、１０２ｃとＩＰ対応デバイスとの間の通信を容易にするために、インターネット１１０などのパケット交換ネットワークへのアクセスをＷＴＲＵ１０２ａ、１０２ｂ、１０２ｃに与えることができる。
【００３９】
上記したように、コアネットワーク１０６を、ネットワーク１１２に接続することもでき、ネットワーク１１２は、他のサービスプロバイダによって所有され、かつ／または運営される他の有線ネットワークまたは無線ネットワークを含むことができる。
【００４０】
図１Ｄは、一実施形態によるＲＡＮ１０４およびコアネットワーク１０６のシステム図である。上記したように、ＲＡＮ１０４は、エアインターフェース１１６を介してＷＴＲＵ１０２ａ、１０２ｂ、１０２ｃと通信するのにＥ−ＵＴＲＡ無線技術を使用することができる。ＲＡＮ１０４は、コアネットワーク１０６と通信していることもできる。
【００４１】
ＲＡＮ１０４は、ｅＮｏｄｅ−Ｂ１６０ａ、１６０ｂ、１６０ｃを含むことができるが、ＲＡＮ１０４が、実施形態と一貫したままでありながら任意の個数のｅＮｏｄｅ−Ｂを含むことができることを了解されたい。ｅＮｏｄｅ−Ｂ１６０ａ、１６０ｂ、１６０ｃは、それぞれ、エアインターフェース１１６を介してＷＴＲＵ１０２ａ、１０２ｂ、１０２ｃと通信する１つまたは複数のトランシーバを含むことができる。一実施形態では、ｅＮｏｄｅ−Ｂ１６０ａ、１６０ｂ、１６０ｃは、ＭＩＭＯ技術を実施することができる。従って、例えば、ｅＮｏｄｅ−Ｂ１６０ａは、ＷＴＲＵ１０２ａに無線信号を送信し、これから無線信号を受信するのに複数のアンテナを使用することができる。
【００４２】
ｅＮｏｄｅ−Ｂ１６０ａ、１６０ｂ、１６０ｃのそれぞれを、特定のセル（図示せず）に関連付けることができ、無線リソース管理判断、ハンドオーバ判断、アップリンクおよび／またはダウンリンクでのユーザのスケジューリングなどを処理するように構成することができる。図１Ｄに示されるように、ｅＮｏｄｅ−Ｂ１６０ａ、１６０ｂ、１６０ｃは、Ｘ２インターフェースを介して互いに通信することができる。
【００４３】
図１Ｄに示されたコアネットワーク１０６は、ＭＭＥ（mobility management gateway）１６２、サービングゲートウェイ１６４、およびＰＤＮ（packet data network）ゲートウェイ１６６を含むことができる。前述の要素のそれぞれが、コアネットワーク１０６の一部として図示されているが、これらの要素の任意の１つが、コアネットワークオペレータ以外のエンティティによって所有され、かつ／または運営される場合があることを了解されたい。
【００４４】
ＭＭＥ１６２は、Ｓ１インターフェースを介してＲＡＮ１０４内のｅＮｏｄｅ−Ｂ１６０ａ、１６０ｂ、１６０ｃのそれぞれに接続され、制御ノードとして働くことができる。例えば、ＭＭＥ１６２は、ＷＴＲＵ１０２ａ、１０２ｂ、１０２ｃのユーザの認証、ベアラのアクティブ化／非アクティブ化、ＷＴＲＵ１０２ａ、１０２ｂ、１０２ｃの初期アタッチ中の特定のサービングゲートウェイの選択などに関与することができる。ＭＭＥ１６２は、ＲＡＮ１０４とＧＳＭまたはＷ−ＣＤＭＡなどの他の無線技術を使用する他のＲＡＮ（図示せず）との間で切り替えるための制御プレーン機能を提供することもできる。
【００４５】
サービングゲートウェイ１６４を、Ｓ１インターフェースを介してＲＡＮ１０４内のｅＮｏｄｅ−Ｂ１６０ａ、１６０ｂ、１６０ｃのそれぞれに接続することができる。サービングゲートウェイ１６４は、一般に、ＷＴＲＵ１０２ａ、１０２ｂ、１０２ｃへ／からユーザデータパケットをルーティングし、転送する。サービングゲートウェイ１６４は、ｅＮｏｄｅ  Ｂ間ハンドオーバ中のユーザプレーンのアンカリング、ダウンリンクデータがＷＴＲＵ１０２ａ、１０２ｂ、１０２ｃについて使用可能である時のページングのトリガ、ＷＴＲＵ１０２ａ、１０２ｂ、１０２ｃのコンテキストの管理および格納など、他の機能を実行することもできる。
【００４６】
サービングゲートウェイ１６４を、ＰＤＮゲートウェイ１６６に接続することもでき、ＰＤＮゲートウェイ１６６は、ＷＴＲＵ１０２ａ、１０２ｂ、１０２ｃとＩＰ対応デバイスとの間の接続を容易にするために、インターネット１１０などのパケット交換ネットワークへのアクセスをＷＴＲＵ１０２ａ、１０２ｂ、１０２ｃに与えることができる。
【００４７】
コアネットワーク１０６は、他のネットワークとの通信を容易にすることができる。例えば、コアネットワーク１０６は、ＷＴＲＵ１０２ａ、１０２ｂ、１０２ｃと伝統的な陸線通信デバイスとの間の通信を容易にするために、ＰＳＴＮ１０８などの回線交換ネットワークへのアクセスをＷＴＲＵ１０２ａ、１０２ｂ、１０２ｃに与えることができる。例えば、コアネットワーク１０６は、コアネットワーク１０６とＰＳＴＮ１０８との間のインターフェースとして働くＩＰゲートウェイ（例えば、ＩＭＳ（ＩＰマルチメディアサブシステム）サーバ）を含むことができ、またはこれと通信することができる。さらに、コアネットワーク１０６は、他のサービスプロバイダによって所有され、かつ／または運営される他の有線または無線のネットワークを含むことができるネットワーク１１２へのアクセスをＷＴＲＵ１０２ａ、１０２ｂ、１０２ｃに与えることができる。
【００４８】
図１Ｅは、一実施形態によるＲＡＮ１０４およびコアネットワーク１０６を示すシステム図である。ＲＡＮ１０４は、エアインターフェース１１６を介してＷＴＲＵ１０２ａ、１０２ｂ、１０２ｃと通信するのにＩＥＥＥ８０２．１６無線技術を使用するＡＳＮ（アクセスサービスネットワーク）とすることができる。以下でさらに議論するように、ＷＴＲＵ１０２ａ、１０２ｂ、１０２ｃ、ＲＡＮ１０４、およびコアネットワーク１０６の異なる機能エンティティの間の通信リンクを、参照ポイントと定義することができる。
【００４９】
図１Ｅに示されるように、ＲＡＮ１０４は、基地局１７０ａ、１７０ｂ、１７０ｃ、およびＡＳＮゲートウェイ１７２を含むことができるが、ＲＡＮ１０４が、実施形態と一貫したままでありながら任意の個数の基地局およびＡＳＮゲートウェイを含むことができることを了解されたい。基地局１７０ａ、１７０ｂ、１７０ｃを、それぞれ、ＲＡＮ１０４内の特定のセル（図示せず）に関連付けることができ、基地局１７０ａ、１７０ｂ、１７０ｃは、それぞれ、エアインターフェース１１６を介してＷＴＲＵ１０２ａ、１０２ｂ、１０２ｃと通信するために１つまたは複数のトランシーバを含むことができる。さまざまな実施形態では、基地局１７０ａ、１７０ｂ、１７０ｃは、ＭＩＭＯ技術を実施することができる。従って、例えば、基地局１７０ａは、ＷＴＲＵ１０２ａに無線信号を送信し、ＷＴＲＵ１０２ａから無線信号を受信するのに複数のアンテナを使用することができる。基地局１７０ａ、１７０ｂ、１７０ｃは、ハンドオフトリガ、トンネル確立、無線リソース管理、トラフィック分類、ＱｏＳ（サービス品質）ポリシ実施などのモビリティ管理機能を提供することもできる。ＡＳＮゲートウェイ１７２は、トラフィックアグリゲーションポイントとして働くことができ、ページング、加入者プロファイルのキャッシング、コアネットワーク１０６へのルーティングなどに関与することができる。
【００５０】
ＷＴＲＵ１０２ａ、１０２ｂ、１０２ｃとＲＡＮ１０４との間のエアインターフェース１１６は、ＩＥＥＥ８０２．１６仕様を実施するＲ１参照ポイントと定義することができる。さらに、ＷＴＲＵ１０２ａ、１０２ｂ、１０２ｃのそれぞれは、コアネットワーク１０６との論理インターフェース（図示せず）を確立することができる。ＷＴＲＵ１０２ａ、１０２ｂ、１０２ｃとコアネットワーク１０６との間の論理インターフェースは、認証、認可、ＩＰホスト構成管理、および／またはモビリティ管理に使用できるＲ２参照ポイントと定義することができる。
【００５１】
基地局１４０ａ、１４０ｂ、１４０ｃのそれぞれの間の通信リンクは、ＷＴＲＵハンドオーバおよび基地局の間のデータの転送を容易にするプロトコルを含むＲ８参照ポイントと定義することができる。基地局１４０ａ、１４０ｂ、１４０ｃとＡＳＮゲートウェイ１７２との間の通信リンクを、Ｒ６参照ポイントと定義することができる。Ｒ６参照ポイントは、ＷＴＲＵ１０２ａ、１０２ｂ、１０２ｃのそれぞれに関連するモビリティイベントに基づくモビリティ管理を容易にするプロトコルを含むことができる。
【００５２】
図１Ｅに示されるように、ＲＡＮ１０４を、コアネットワーク１０６に接続することができる。ＲＡＮ１０４とコアネットワーク１０６との間の通信リンクを、例えばデータ転送およびモビリティ管理能力を容易にするプロトコルを含むＲ３参照ポイントと定義することができる。コアネットワーク１０６は、ＭＩＰ−ＨＡ（mobile IP home agent）１７４、ＡＡＡ（authentication, authorization, accounting）サーバ１７６およびゲートウェイ１７８を含むことができる。前述の要素のそれぞれは、コアネットワーク１０６の一部として図示されているが、これらの要素のいずれをも、コアネットワークオペレータ以外のエンティティが所有し、かつ／または運営することができることを了解されたい。
【００５３】
ＭＩＰ−ＨＡ１７４は、ＩＰアドレス管理に関与することができ、ＷＴＲＵ１０２ａ、１０２ｂ、１０２ｃが異なるＡＳＮおよび／または異なるコアネットワークの間でローミングすることを可能にすることができる。ＭＩＰ−ＨＡ１７４は、ＷＴＲＵ１０２ａ、１０２ｂ、１０２ｃとＩＰ対応デバイスとの間の通信を容易にするために、インターネット１１０などのパケット交換ネットワークへのアクセスをＷＴＲＵ１０２ａ、１０２ｂ、１０２ｃに与えることができる。ＡＡＡサーバ１７６は、ユーザ認証に関与し、およびユーザサービスをサポートすることに関与することができる。ゲートウェイ１７８は、他のネットワークとのインターワーキングを容易にすることができる。例えば、ゲートウェイ１７８は、ＷＴＲＵ１０２ａ、１０２ｂ、１０２ｃと伝統的な陸線通信デバイスとの間の通信を容易にするために、ＰＳＴＮ１０８などの回線交換ネットワークへのアクセスをＷＴＲＵ１０２ａ、１０２ｂ、１０２ｃに与えることができる。さらに、ゲートウェイ１７８は、他のサービスプロバイダによって所有され、かつ／または運営される他の有線または無線のネットワークを含むことができるネットワーク１１２へのアクセスをＷＴＲＵ１０２ａ、１０２ｂ、１０２ｃに与えることができる。
【００５４】
図１Ｅには示されていないが、ＲＡＮ１０４を他のＡＳＮに接続することができ、コアネットワーク１０６を他のコアネットワークに接続することができることを了解されたい。ＲＡＮ１０４および他のＡＳＮ間の通信リンクを、ＲＡＮ１０４と他のＡＳＮとの間でＷＴＲＵ１０２ａ、１０２ｂ、１０２ｃのモビリティを調整するプロトコルを含むことができるＲ４参照ポイントと定義することができる。コアネットワーク１０６と他のコアネットワークとの間の通信リンクを、ホームコアネットワークと訪問されたコアネットワークとの間のインターワーキングを容易にするプロトコルを含むことができるＲ５参照ポイントと定義することができる。
【００５５】
さまざまな実施形態では、通信ネットワーク１００は、セル間協調送受信（ＣｏＭＰ：Coordinated Multi-Point transmission and reception）に適合することができる。ＣｏＭＰは、一般に、複数の空間的に多様な送信（Ｔｘ）ポイントが、調整されたダウンリンク送信を受信するためにプロビジョニングされまたは他の形で備える、ＷＴＲＵなどの受信器に、ある形の協調（coordination）を介して、信号（送信）を送信する、送信および受信のモードを指すことができる。本明細書では、用語「Ｔｘポイント」は、ＷＴＲＵに送信しつつあるかＷＴＲＵから受信しつつあるものとすることができるネットワークからの任意のアンテナポートまたは地理的に同一の位置に配置されたアンテナポートのサブセットを指すことができる。所与のＷＴＲＵのために構成されまたはアクティブ化されたＴｘポイントのセットは、同一の物理セルアイデンティティに属してもしなくてもよい。Ｔｘポイントは、１つのＣＳＩ−ＲＳ（チャネル状態情報−リファレンス信号（channel state information reference signal））または１組のＣＳＩ−ＲＳを送信することができる。Ｔｘポイントは、１つのＣＲＳ（セル固有リファレンス信号（cell-specific reference signal））または１組のＣＲＳを送信することもできる。協調は、一般に、空間的に多様なＴｘポイント（またはそのサブセット）の中での、スケジューリングパラメータおよび／もしくは送信パラメータの協調、並びに／またはデータ配信の協調を含む。そのような協調の形は、一般に、ＣｏＭＰに関する複数の定義されたカテゴリ（ＣｏＭＰカテゴリ）のうちの１つに含まれる。しかし、協調の形は、適宜（例えば、チャネル条件および／またはＷＴＲＵの移動に依存して）、ＣｏＭＰカテゴリごとに変化することができる。ＣｏＭＰカテゴリの例は、ＪＰ（Joint Processing：結合処理）ＣｏＭＰおよびＣＳ／ＣＢ（Coordinated Scheduling/Coordinated Beamforming）を含むことができる。
【００５６】
ＪＰ  ＣｏＭＰは、例えば、ＪＴ（Joint Transmission：結合送信）ＣｏＭＰおよび動的ポイント選択（または瞬時セル選択）（ＤＰＳ）を含む複数のサブカテゴリを含むものとすることができる。ＪＰ  ＣｏＭＰ、ＪＴ  ＣｏＭＰ、およびＤＰＳのいずれについても、データを、ＣｏＭＰ協調セット（CoMP cooperating set）（すなわち、例えば、調整されたダウンリンク送信の対応するＰＤＳＣＨを含む、調整されたダウンリンク送信に直接にまたは間接に参加することができるＴｘポイントのセット）の各Ｔｘポイントで使用可能にすることができる。ＪＴ  ＣｏＭＰの下では、ＣｏＭＰ協調セットの複数のＴｘポイントは、所与の時間期間にまたはその中で（例えば、同時に）調整されたダウンリンク送信を送信するようにスケジューリングされ、能動的に送信することができる。調整されたダウンリンク送信を能動的に送信する複数のＴｘポイント（ＣｏＭＰ  Ｔｘポイント）は、ＣｏＭＰ協調セットのサブセットまたは全体とすることができる。この送信方法は、ＷＴＲＵ１０２の受信信号品質をコヒーレントにまたはノンコヒーレントに改善し、かつ／または他のＷＴＲＵに関する干渉を能動的に除去することができる。ＤＰＳの下では、調整されたダウンリンク送信のそれぞれは、ある時に（例えば、サブフレームごとに）スケジューリングされ、ＣｏＭＰ協調セット内の１つのＣｏＭＰ  Ｔｘポイントから送信される。ＤＳＰ調整されたダウンリンク送信のＣｏＭＰ  Ｔｘポイントになるために選択されるＴｘポイントは、ＣｏＭＰ協調セット内で動的に変化するものとすることができる。
【００５７】
ＣＳ／ＣＢについて、ＣＳ／ＣＢ送信のデータを、ＷＴＲＵ１０２のサービングセルで使用可能にすることができる。サービングセルまたはサービングＴｘポイントは、本明細書で時々使用される時に、ＰＤＣＣＨ（physical downlink control channel）またはＥ−ＰＤＣＣＨ（enhanced PDCCH）割当を送信するように適合されたセル（またはそのＴｘポイント）を指すことができ、そのようなセルまたはＴｘポイントは、例えば、単一のセルとすることができる。しかし、ユーザスケジューリングおよび／またはビームフォーミング判断を、ＣｏＭＰ協調セットに対応するセルの間の協調を用いて行うことができる。ＷＴＲＵ１０２は、アンテナポート（またはそのセット）および関連するリファレンス信号（例えば、ＣＲＳまたはＤＭ−ＲＳ）の知識だけに基づいてＰＤＣＣＨまたはＥ−ＰＤＣＣＨを復号することができ、そのような信号の送信に使用される実際のＴｘポイントの知識を必要としないものとすることができる。
【００５８】
図１Ｆは、通信システム１００などの通信システムと共に使用される例のＣｏＭＰネットワーク１８０を示すブロック図である。ＣｏＭＰネットワーク１８０は、ＣｏＭＰ協調セット１８２およびＣｏＭＰコントローラ１８４を含むことができる。ＣｏＭＰ協調セット１８２は、例えば、ＷＴＲＵ１０２による受信のための調整されたダウンリンク送信の１つまたは複数のＰＤＳＣＨを形成することを含めて、ＷＴＲＵ１０２への調整されたダウンリンク送信に直接にまたは間接に参加することができる、空間的に多様なＴｘポイント１１４ａ〜１１４ｄ（例えば、地理的に分離された基地局、ｅＮＢなど）を含むことができる。Ｔｘポイント１１４ａ〜１１４ｄを、例えば、高速バックホールおよび／またはＸ２インターフェースを介して、ＣｏＭＰコントローラ１８４に通信的に結合することができる。Ｔｘポイント１１４ａ〜１１４ｄは、それぞれのセルすなわち、ＷＴＲＵ１０２のサービングセル１８６ａおよび非サービングセル１８６ｂ〜１８６ｄを定義することができる。サービングセルであるサービングセル１８６ａ（例えば、Ｔｘポイント１１４ａ）は、ＰＤＣＣＨ割当、ＤＣＩ（downlink control information）、サービングセル以外のＣｏＭＰ  Ｔｘポイントを含むＣｏＭＰ  Ｔｘポイントから調整されたダウンリンク送信を受信するためのＷＴＲＵ１０２へのシグナリングに関する情報など、ＷＴＲＵ１０２が調整されたダウンリンク送信を受信することを可能にするさまざまな情報をＷＴＲＵ１０２に送信することができる。Ｔｘポイント１１４ａ〜１１４ｄは、論理的に同一のセルに属することもできる。この場合に、Ｔｘポイント１１４ａ〜１１４ｄは、ＣＲＳ（common reference signal）の同一のセットを送信するが、ポイント固有パラメータに従って他のリファレンス信号（ＣＳＩ−ＲＳおよび／またはＤＭ−ＲＳなど）を送信することができる。
【００５９】
Ｔｘポイント１１４ａ〜１１４ｄは、そのそれぞれのセル１８２ａ〜１８２ｄに対応するセル固有システムパラメータおよび／またはポイント固有パラメータのそれぞれのセットを含むことができる。セル固有システムパラメータの各セットは、例えば、対応するセルに関連するセル識別子（セルＩＤ）、調整されたダウンリンク送信に関連する無線フレーム内のタイムスロットインデックス、および／または対応するセルに関連するスクランブリングアイデンティティ（スクランブリングＩＤ）（セル固有スクランブリングＩＤ）を含むことができる。ポイント固有パラメータのセットは、おそらくは送信ポイントの識別子を含む、ＣＳＩ−ＲＳ構成パラメータのセットを含むことができる。非トランスペアレントＪＰ  ＣｏＭＰについて、Ｔｘポイント１１４ａ〜１１４ｄは、調整されたダウンリンク送信および／または関連する制御情報を生成し、ＷＴＲＵ１０２に送信するのに、セル固有システムパラメータおよび／またはポイント固有パラメータのそれぞれのセットを使用することができる。例えば、セル固有システムパラメータを、（ｉ）調整されたダウンリンク送信のＰＤＳＣＨをスクランブルし、（ｉｉ）ＵＥ固有信号および／または復調リファレンス信号（集合的に「ＤＭ−ＲＳ」）に関するポートの適当な使用法を判定し、（ｉｉｉ）ＤＭ−ＲＳシーケンスをスクランブルし、（ｉｖ）調整されたダウンリンク送信およびＤＭ−ＲＳをプリコーディングし、（ｖ）調整されたダウンリンク送信のＰＤＳＣＨを割り当てるためにＰＤＣＣＨを割り当てる、さまざまなプロセスと共に使用することができる。
【００６０】
一般に、調整されたダウンリンク送信のＰＤＳＣＨのＤＭ−ＲＳを、各ＣｏＭＰ  Ｔｘポイントから、アンテナポートｐ＝５、ｐ＝７、ｐ＝８、またはｐ＝７，８，…，ｖ＋６上で送信することができ、ここで、ｖは、ＰＤＳＣＨの送信に使用される層の数とすることができる。ＤＭ−ＲＳは、調整されたダウンリンク送信のＰＤＳＣＨが対応するアンテナポートに関連する場合に、ＷＴＲＵ１０２がＰＤＳＣＨの復調の実行と共に使用するために存在し、かつ／または有効な基準であるものとすることができる。
【００６１】
アンテナポートｐ∈｛７，８，…，ｖ＋６｝のいずれについても、各ＣｏＭＰ  Ｔｘポートは、例えば、以下のようなリファレンス信号シーケンスを使用してＰＤＳＣＨのＤＭ−ＲＳを生成することができる。
【００６２】
【数１】
0006039578.tif 000002
【００６３】
ここで、ｃ（ｉ）は、擬似乱数シーケンスである。擬似乱数シーケンスｃ（ｉ）は、例えば、長さ３１のゴールドシーケンスによって定義することができる。この長さ３１のゴールドシーケンスは、例えば、ＬＴＥ−Ａで示された長さ３１のゴールドシーケンスとすることができる。長さＭＰＮの出力シーケンスｃ（ｎ）、ただしｎ＝０，１，…，ＭＰＮ−１は、次式によって定義することができる。
【００６４】
【数２】
0006039578.tif 000003
【００６５】
ただし、Ｎｃ＝１６００であり、第１のｍ系列は、ｘ１（０）＝１、ｘ１（ｎ）＝０、ｎ＝１，２，…３０を用いて初期化することができ、第２のｍ系列の初期化は、
【００６６】
【数３】
0006039578.tif 000004
【００６７】
によって表すことができ、その値は、系列の適用に依存する。
【００６８】
各ＣｏＭＰ  Ｔｘポイントの擬似乱数シーケンスジェネレータを、各サブフレームの始めに次式を用いて初期化することができ、
【００６９】
【数４】
0006039578.tif 000005
【００７０】
ここで、
【００７１】
【数５】
0006039578.tif 000006
【００７２】
は、ＣｏＭＰ  ＴｘポイントのセルＩＤに対応し、ｎＳＣＩＤは、ＣｏＭＰ  ＴｘポイントのスクランブリングＩＤに対応する。ある実施形態では、アンテナポート７および８について、ｎＳＣＩＤを、例えば、ＤＣＩフォーマット２Ｂまたは２ＣのスクランブリングＩＤフィールドで指定されるなど、調整されたダウンリンク送信のＰＤＳＣＨに関連するＤＣＩで指定されるスクランブリングＩＤとすることができる。他の実施形態では、調整されたダウンリンク送信のＰＤＳＣＨに関連するＤＣＩフォーマット２Ｂまたは２Ｃがない時など、ｎＳＣＩＤをアンテナポート７または８について０とすることができる。アンテナポート９から１４までのｎＳＣＩＤも、０とすることができる。
【００７３】
より一般的には、擬似乱数シーケンスジェネレータのスクランブリングイニシエータ（scrambling initiator）は、次式を用いて表すことができる。
【００７４】
【数６】
0006039578.tif 000007
【００７５】
ここで、ＸＩＤは、１つまたは複数のＴｘポイントのセットのアイデンティティ、セルの物理セルアイデンティティ、またはＷＴＲＵに固有のパラメータに対応することができ、ＹＩＤは、１つまたは複数の送信ポイントのセットにおそらくは関連するスクランブリングアイデンティティに対応することができる。
【００７６】
例えば、ある実施形態では、ＷＴＲＵ１０２を、関係するＷＴＲＵ１０２に固有でありうるパラメータＸＩＤに関する１つまたは複数の値を用いて構成することができる。ＸＩＤ値のそれぞれは、調整されたダウンリンク送信の受信に使用される受信パラメータのセットの一部とすることができる。ＷＴＲＵ１０２は、調整されたダウンリンク送信の受信に使用される受信パラメータのセットの選択について説明されるものなど、本明細書で説明される他の方法に従って値を選択することができる。その後、ＷＴＲＵ１０２は、ＸＩＤの選択された値を使用することができる（例えば、
【００７７】
【数７】
0006039578.tif 000008
【００７８】
の代わりに）。ＸＩＤの構成された値のうちの１つは、特定のセルのアイデンティティに対応することもできる。
【００７９】
例えば、パラメータＸＩＤは、非ゼロ電力ＣＳＩ−ＲＳ構成のパラメータ部分または非ゼロ電力ＣＳＩ−ＲＳ構成に関連するパラメータなど、１つまたは複数の送信ポイントに関連する構成またはパラメータのセットに対応することができる。パラメータＸＩＤは、この非ゼロ電力ＣＳＩ−ＲＳ構成のスクランブリングイニシエータの計算にも使用されるパラメータにも対応することができる。
【００８０】
例えば、ある実施形態では、ＷＴＲＵ１０２を、関係するＷＴＲＵに固有でありうるパラメータＹＩＤに関する１つまたは複数の値を用いて構成することができる。ＹＩＤ値のそれぞれは、調整されたダウンリンク送信の受信に使用される受信パラメータのセットの一部とすることができる。ＷＴＲＵ１０２は、調整されたダウンリンク送信の受信に使用される受信パラメータのセットの選択について説明されるものなど、本明細書で説明される他の方法に従って値を選択することができる。その後、ＷＴＲＵ１０２は、ＹＩＤの選択された値を使用することができる（例えば、ｎＳＣＩＤの代わりに）。ＷＴＲＵ１０２を、さまざまな実施形態で、いくつかのアンテナポートだけに関してＹＩＤの１つまたは複数の値を用いて構成することができる。パラメータＹＩＤの値を、ポイント固有パラメータまたはＵＥ固有パラメータ（例えば、ＸＩＤに似て）と値０または１のうちの１つをとることができるｎＳＣＩＤとの合計として表すことができる。
【００８１】
例えば、ある実施形態では、ＷＴＲＵ１０２は、明示的なシグナリング情報の受信および／または暗黙の選択方法および／または受信パラメータのどのセットが関係するサブフレーム内でアクティブ化されるのかに基づいてを含む、本明細書で説明される方法に従って、所与のサブフレーム内での調整されたダウンリンク送信の受信に使用すべき受信パラメータのセットを動的に選択することができる。ＷＴＲＵ１０２は、おそらくは、サブフレームごとにＸＩＤおよびＹＩＤの異なる組合せを使用することができる。これは、柔軟な形で、必要な時に直交ＤＭ−ＲＳを使用するＷＴＲＵの異なるセットをスケジューリングするというネットワークに関する可能性を導入するという利益を有する可能性がある。直交ＤＭ−ＲＳを、スクランブリングイニシエータのＸＩＤパラメータおよびＹＩＤパラメータの同一の対を使用してスクランブルすることができる。例えば、両方とも所与のＴｘポイントに相対的に近いＷＴＲＵの対は、同一のリソースブロックおよびサブフレームで協調スケジューリングされる時に、ＸＩＤパラメータおよびＹＩＤパラメータの同一の対を利用することができる。
【００８２】
セル固有システムパラメータを使用する調整されたダウンリンク送信の各ＰＤＳＣＨをスクランブルする全般的なプロセスを、次のようにすることができる。符号語ｑごとに、ビットのブロック
【００８３】
【数８】
0006039578.tif 000009
【００８４】
は、変調の前にスクランブルされ、
【００８５】
【数９】
0006039578.tif 000010
【００８６】
に従って、スクランブルされたビットのブロック
【００８７】
【数１０】
0006039578.tif 000011
【００８８】
をもたらすことができる。ここで、
【００８９】
【数１１】
0006039578.tif 000012
【００９０】
は、１サブフレーム内の物理チャネル上で送信される符号語ｑ内のビット数とすることができる。
【００９１】
ここで、スクランブリングシーケンスｃ（ｑ）（ｉ）を導出することができる。各ＣｏＭＰ  Ｔｘポイントのスクランブリングシーケンスジェネレータを、初期化値ｃｉｎｉｔを用いて各サブフレームの始めに初期化することができる。この初期化値ｃｉｎｉｔは、例えば次式などの、トランスポートチャネルタイプに依存するものとすることができる。
【００９２】
【数１２】
0006039578.tif 000013
【００９３】
ここで、
【００９４】
【数１３】
0006039578.tif 000014
【００９５】
は、ＣｏＭＰ  ＴｘポイントのセルＩＤに対応することができ、ｎＲＮＴＩは、調整されたダウンリンク送信のＰＤＳＣＨに関連するＲＮＴＩ（radio network temporary identifier）に対応することができる。２つまでの符号語を、１つのサブフレーム内で送信することができる、すなわち、ｑ∈｛０，１｝である。単一符号語送信の例では、ｑを０と等しいものとすることができる。
【００９６】
より一般的に、ある実施形態では、パラメータ
【００９７】
【数１４】
0006039578.tif 000015
【００９８】
に使用される値は、パラメータＸＩＤに使用される同一の値に対応することができる。
【００９９】
セル固有システムパラメータを使用するＰＤＣＣＨ割当の全般的なプロセスを、以下に従って実行することができる。調整されたダウンリンク送信のサブフレームｋの制御領域は、ＣＣＥ（control channel element）のセットを含むことができる。これらのＣＣＥには、０からＮＣＣＥ，ｋ−１までの番号を付けることができ、ここで、ＮＣＣＥ，ｋは、サブフレームｋの制御領域内のＣＣＥの総数とすることができる。ＷＴＲＵ１０２は、少なくともＷＴＲＵ１０２がＤＲＸ（discontinuous reception）アクティブ時間内であるサブフレームの間にＰＤＣＣＨを監視することができ、ここで、監視は、全ての監視されるＤＣＩフォーマットに従ってセット内のＰＤＣＣＨのそれぞれを復号することを試みることを意味することができる。
【０１００】
監視すべきＰＤＣＣＨ候補のセットを、検索空間に関して定義することができ、ここで、アグリゲーションレベルＬ∈｛１，２，４，８｝の検索空間
【０１０１】
【数１５】
0006039578.tif 000016
【０１０２】
を、ＰＤＣＣＨ候補のセットによって定義することができる。検索空間
【０１０３】
【数１６】
0006039578.tif 000017
【０１０４】
のＰＤＣＣＨ候補ｍに対応するＣＣＥを、次式によって与えることができる。
【０１０５】
【数１７】
0006039578.tif 000018
【０１０６】
ここで、Ｙｋは、以下で定義され、ｉ＝０，…，Ｌ−１かつｍ＝０，…，Ｍ（Ｌ）−１である。Ｍ（Ｌ）は、検索空間内で監視すべきＰＤＣＣＨ候補の個数とすることができる。
【０１０７】
ＷＴＲＵ１０２は、アグリゲーションレベル４および８のそれぞれで１つの共通の検索空間を、アグリゲーションレベル１、２、４、８のそれぞれで１つのＷＴＲＵ固有検索空間を監視することができる。共通の検索空間およびＷＴＲＵ固有検索空間は、オーバーラップしてもよい。検索空間を定義するアグリゲーションレベルを、表１にリストアップする。ＷＴＲＵ１０２が監視できるＤＣＩフォーマットは、構成された送信モードに依存する。表１に、ＷＴＲＵによって監視できる例のＰＤＣＣＨ候補を示す。
【０１０８】
【表１】
0006039578.tif 000019
【０１０９】
共通の検索空間について、２つのアグリゲーションレベルＬ＝４およびＬ＝８について、Ｙｋに０をセットすることができる。アグリゲーションレベルＬのＷＴＲＵ固有検索空間
【０１１０】
【数１８】
0006039578.tif 000020
【０１１１】
について、変数Ｙｋを次式によって定義することができる。
【０１１２】
Ｙｋ＝（Ａ・Ｙｋ−１）ｍｏｄ  Ｄ      （８）
【０１１３】
ここで、Ｙｋ−１＝ｎＲＮＴＩ≠０、Ａ＝３９８２７、Ｄ＝６５５３７、および
【０１１４】
【数１９】
0006039578.tif 000021
【０１１５】
であり、ｎｓは、無線フレーム内のスロット番号とすることができる。
【０１１６】
ＬＴＥ−Ａで定義された送信モード９（Ｔｘモード９）について、ＣｏＭＰ  Ｔｘポイントは、ＤＭ−ＲＳベースのプリコーディングおよびＣＳＩ−ＲＳ（channel state information reference signal）ベースのＣＳＩフィードバックを使用することができる。ＤＬ  ＭＩＭＯの動作が、ＤＭ−ＲＳおよびＣＳＩ−ＲＳにより多く依存し、ＣＲＳ（common reference signal）により少なく依存するようになることが企図されている。Ｔｘモード９について、ＷＴＲＵ１０２を、ＰＤＣＣＨ検索空間内でＤＣＩフォーマットＣ２および１Ａを監視するように構成することができる。ＤＣＩフォーマット２Ｃを使用して送信される可能性がある情報の例を、表２に示す。
【０１１７】
【表２】
0006039578.tif 000022
【０１１８】
【表３】
0006039578.tif 000023
【０１１９】
表２および表３にはリストされていないが、ＤＣＩフォーマット２Ｃを使用して送信できる情報は、トランスポートブロック１について、５ビットとすることができるＭＣＳ（変調および符号化方式）、１ビットとすることができる新規データインジケータ、および２ビットとすることができる冗長性バージョンを含むことができる。トランスポートブロック２について、ＤＣＩフォーマット２Ｃを使用して送信できる情報は、５ビットとすることができるＭＣＳ、１ビットとすることができる新規データインジケータ、および２ビットとすることができる冗長性バージョンを含むことができる。
【０１２０】
ＤＣＩフォーマット１Ａを使用して送信できる情報の例を、表４に示す。
【０１２１】
【表４】
0006039578.tif 000024
【０１２２】
もう一度図１Ｆを参照すると、Ｔｘポイント１１４ａ〜１１４ｄは、ＣｏＭＰコントローラ１８４とインターフェースするそれぞれのＣｏＭＰコントローラモジュール（図示せず）を含むことができる。ＣｏＭＰコントローラモジュールは、高速バックホールおよび／またはＸ２インターフェースを介して直接にまたはＣｏＭＰコントローラ１８４を介して間接に情報を交換することができる。この情報を使用して、ＣｏＭＰに関するＴｘポイント１１４ａ〜１１４ｄの構成を容易にし、かつ／またはＴｘポイント１１４ａ〜１１４ｄからＷＴＲＵ１０２への調整されたダウンリンク送信のコーディネーションおよび／もしくはスケジューリングを容易にすることができる。
【０１２３】
ＣｏＭＰコントローラモジュールの間で直接にまたは間接に交換される情報は、調整されたダウンリンク送信のためにＣｏＭＰ協調セット１８２からＣｏＭＰ  Ｔｘポイントを選択する（例えば、動的に）ための構成情報を含むことができる。この情報は、例えば、適宜ＪＴ  ＣｏＭＰおよび／またはＤＰＳ  ＣｏＭＰのためにＣｏＭＰ  Ｔｘポイントをスケジューリングするためのスケジューリング情報を含むこともできる。
【０１２４】
ＣｏＭＰコントローラモジュールは、システムパラメータの共通のセットおよび／またはポイント固有パラメータを入手し、かつ／またはこれを用いてＴｘポイント１１４ａ〜１１４ｄのそれぞれ（または少なくともＣｏＭＰ  Ｔｘポイントのそれぞれ）を構成することもできる。パラメータの共通のセットを、Ｔｘポイント１１４ａ〜１１４ｄによって使用して、調整されたダウンリンク送信を生成し、送信することができる。ある実施形態では、ＣｏＭＰ  Ｔｘポイントのそれぞれによって使用されるパラメータの共通のセットは、そのような異なるＣｏＭＰ  Ｔｘポイントからの調整されたダウンリンク送信が、同一のソースから発するように見せることができる（例えば、異なるＣｏＭＰ  Ｔｘポイントの使用を、ＷＴＲＵ１０２にトランスペアレントにすることができ、例えば、ＰＤＳＣＨの復調を、ＬＴＥでの単一セルＭＩＭＯのようにトランスペアレントにすることができる）。
【０１２５】
例えば、共通のシステムパラメータは、共通のＤＭ−ＲＳシーケンス、ＤＭ−ＲＳ（すなわち、アンテナ）ポートの共通のセット、共通の識別子（共通ＩＤ）、共通のスロット番号、および／または共通のスクランブリングＩＤ（共通スクランブリングＩＤ）を含むことができる。共通のシステムパラメータのそれぞれを、例えば、任意の数に基づくものとすることができる。共通のシステムパラメータを使用する時に、各ＣｏＭＰ  ＴｘポイントでＤＭ−ＲＳを生成するのに使用される擬似乱数シーケンスジェネレータを、次式を用いて各サブフレームの始めに初期化することができる。
【０１２６】
【数２０】
0006039578.tif 000025
【０１２７】
ここで、ｎｓ＿ｃｏｍｍｏｎは、調整されたダウンリンク送信に関連するスロット番号であり、
【０１２８】
【数２１】
0006039578.tif 000026
【０１２９】
は共通識別子に対応し、ｎＳＣＩＤ＿ｃｏｍｍｏｎは共通スクランブリングＩＤに対応する。
【０１３０】
【数２２】
0006039578.tif 000027
【０１３１】
は、例えば、パラメータＸＩＤに対応することができ、ｎＳＣＩＤ＿ｃｏｍｍｏｎは、例えば、パラメータＹＩＤに対応することができる。共通のシステムパラメータを使用する時に、ＣｏＭＰ  ＴｘポイントによってＰＤＳＣＨスクランブリングに使用されるスクランブリングシーケンスジェネレータを、次式を用いて各サブフレームの始めに初期化することができる。
【０１３２】
【数２３】
0006039578.tif 000028
【０１３３】
ここで、
【０１３４】
【数２４】
0006039578.tif 000029
【０１３５】
は、ＣｏＭＰ  Ｔｘポイントの共通ＩＤに対応することができ、ｎｓ＿ｃｏｍｍｏｎは、調整されたダウンリンク送信に関連する無線フレーム内のタイムスロットインデックスに対応することができ、ｎＲＮＴＩは、調整されたダウンリンク送信のＰＤＳＣＨを受信するためのＷＴＲＵ１０２のＲＮＴＩに対応することができる。ある実施形態では、
【０１３６】
【数２５】
0006039578.tif 000030
【０１３７】
は、パラメータＸＩＤに対応することもできる。
【０１３８】
以下でより詳細に説明するように、システムパラメータの共通のセットを、物理層および／もしくはより上の層のシグナリングの組合せを使用してＷＴＲＵ１０２にシグナリングすることができ、またはあるいは、調整されたダウンリンク送信を受信する際に使用されるシステムパラメータの共通のセットを選択しかつ／もしくは決定するためのＷＴＲＵへのシグナリングに関する情報を、ＷＴＲＵ１０２に送信することができる。そのようなシグナリングおよび／または情報送信は、例えば、ＣｏＭＰ協調セットが構成されまたは再構成される時に発生することができる。そのようなシグナリングに応答して、ＷＴＲＵ１０２は、ＪＰ  ＣｏＭＰが各スケジューリングされたＰＤＳＣＨに適用されることを知ることができ、Ｔｘポイントは、上記で説明されたＰＤＣＣＨ割当プロセスを使用して、ＰＤＳＣＨをスケジューリングすることができる。Ｔｘポイントは、それが特定のリソースブロックおよびサブフレームで送信しつつあるのがどのＷＴＲＵまたはＷＴＲＵのどのセットであるのかに依存して、ＰＤＳＣＨスクランブリングに使用されるパラメータのセット（例えば、システムパラメータの共通のセット）を変更することができる。
【０１３９】
システムパラメータの共通のセットの他の例は、サービングセルのシステムパラメータのセル固有のセット（サービングセルシステムパラメータ）、ＣｏＭＰ協調セットに基づくシステムパラメータのセット（ＣｏＭＰセットシステムパラメータ）、サービングセルシステムパラメータおよびＣｏＭＰセットシステムパラメータに少なくとも部分的に基づくシステムパラメータのセット、サービングセル以外のＣｏＭＰ  Ｔｘポイントのシステムパラメータのセル固有セットに少なくとも部分的に基づくシステムパラメータのセット（非サービングセルＴｘポイントシステムパラメータ）、サービングセルシステムパラメータとＣｏＭＰセットシステムパラメータと非サービングセルＴｘポイントシステムパラメータとに少なくとも部分的に基づくシステムパラメータのセット、並びにその組合せを含むことができる。システムパラメータの共通のセットは、他のパラメータをも含むことができる。
【０１４０】
ＣｏＭＰセットシステムパラメータは、例えば、共通のＤＭ−ＲＳシーケンス、ＤＭ−ＲＳポートの共通のセット、ＣｏＭＰ協調セットに関連する識別子（ＣｏＭＰセットＩＤ）、調整されたダウンリンク送信に関連する無線フレーム内のタイムスロットインデックス、および／またはＣｏＭＰ協調セットに関連するスクランブリングＩＤ（ＣｏＭＰセットスクランブリングＩＤ）を含むことができる。ＣｏＭＰセットシステムパラメータを使用する時に、各ＣｏＭＰ  ＴｘポイントでＤＭ−ＲＳを生成するのに使用される擬似乱数シーケンスジェネレータを、次式を用いて各サブフレームの始めに初期化することができる。
【０１４１】
【数２６】
0006039578.tif 000031
【０１４２】
ここで、ｎｓ＿ＣｏＭＰ ｓｅｔは、調整されたダウンリンク送信に関連する無線フレーム内のタイムスロットインデックスであり、
【０１４３】
【数２７】
0006039578.tif 000032
【０１４４】
は、ＣｏＭＰセットＩＤに対応し、ｎＳＣＩＤ＿ＣｏＭＰ ｓｅｔは、ＣｏＭＰセットスクランブリングＩＤに対応する。さまざまな実施形態で、
【０１４５】
【数２８】
0006039578.tif 000033
【０１４６】
は、パラメータＸＩＤに対応することができ、ｎＳＣＩＤ＿ＣｏＭＰ ｓｅｔは、パラメータＹＩＤに対応することができる。ＣｏＭＰセットシステムパラメータを使用する時にＣｏＭＰ  ＴｘポイントによってＰＤＳＣＨスクランブリングに使用されるスクランブリングシーケンスジェネレータを、次式を用いて各サブフレームの始めに初期化することができる。
【０１４７】
【数２９】
0006039578.tif 000034
【０１４８】
ここで、
【０１４９】
【数３０】
0006039578.tif 000035
【０１５０】
は、ＣｏＭＰ  Ｔｘポイントの共通ＩＤに対応することができ、ｎＣｏＭＰ ｓｅｔは、調整されたダウンリンク送信に関連する無線フレーム内のタイムスロットインデックスに対応することができ、ｎＲＮＴＩは、調整されたダウンリンク送信のＰＤＳＣＨを受信するためのＷＴＲＵ１０２のＲＮＴＩに対応することができる。さまざまな実施形態で、
【０１５１】
【数３１】
0006039578.tif 000036
【０１５２】
は、パラメータＸＩＤに対応することもできる。
【０１５３】
ＣｏＭＰセットシステムパラメータを、物理層および／もしくはより上の層のシグナリングの組合せを使用してＷＴＲＵ１０２にシグナリングすることができ、またはあるいは、調整されたダウンリンク送信を受信する際に使用されるＣｏＭＰセットシステムパラメータを選択しかつ／もしくは決定するためのＷＴＲＵへのシグナリングに関する情報を、ＷＴＲＵ１０２に送信することができる。そのようなシグナリングおよび／または情報送信は、例えば、ＣｏＭＰ協調セットが構成されまたは再構成される時に発生することができる。そのようなシグナリングに応答して、ＷＴＲＵ１０２は、ＪＰ  ＣｏＭＰが各スケジューリングされたＰＤＳＣＨに適用されることを知ることができ、Ｔｘポイントは、上述されたＰＤＣＣＨ割当プロセスを使用して、ＰＤＳＣＨをスケジューリングすることができる。Ｔｘポイントのいずれもが、それが特定のリソースブロックおよびサブフレームで送信しつつあるのがどのＷＴＲＵまたはＷＴＲＵのどのセットであるのかに依存して、ＰＤＳＣＨスクランブリングに使用されるパラメータのセット（例えば、ＣｏＭＰセットシステムパラメータまたはシステムパラメータのセットが「共通のセット」もしくは「ＣｏＭＰセット」システムパラメータのどちらに対応するのか）を変更することができる。
【０１５４】
サービングセルシステムパラメータは、例えば、共通のＤＭ−ＲＳシーケンス、ＤＭ−ＲＳ（すなわち、アンテナ）ポートの共通のセット、セルＩＤ、調整されたダウンリンク送信に関連する無線フレーム内のタイムスロットインデックス、および／またはサービングセルスクランブリングＩＤを含むことができる。サービングセルシステムパラメータを使用する時に、各ＣｏＭＰ  ＴｘポイントでＤＭ−ＲＳを生成するのに使用される擬似乱数シーケンスジェネレータを、次式を用いて各サブフレームの始めに初期化することができる。
【０１５５】
【数３２】
0006039578.tif 000037
【０１５６】
ここで、ｎｓ＿ｓｅｒｖｉｎｇ ｃｅｌｌは、調整されたダウンリンク送信に関連するスロット番号であり、
【０１５７】
【数３３】
0006039578.tif 000038
【０１５８】
は、セルＩＤに対応し、ｎＳＣＩＤ＿ｓｅｒｖｉｎｇ ｃｅｌｌは、サービングセルスクランブリングＩＤに対応する。さまざまな実施形態では、
【０１５９】
【数３４】
0006039578.tif 000039
【０１６０】
は、パラメータＸＩＤに対応することができ、ｎＳＣＩＤ＿ｓｅｒｖｉｎｇ ｃｅｌｌは、パラメータＹＩＤに対応することができる。サービングセルシステムパラメータを使用する時に、ＰＤＳＣＨスクランブリングのためにＣｏＭＰ  Ｔｘポイントによって使用されるスクランブリングシーケンスジェネレータを、次式を用いて各サブフレームの始めに初期化することができる。
【０１６１】
【数３５】
0006039578.tif 000040
【０１６２】
ここで、
【０１６３】
【数３６】
0006039578.tif 000041
【０１６４】
は、ＣｏＭＰ  ＴｘポイントのサービングセルＩＤに対応することができ、ｎｓ＿ｓｅｒｖｉｎｇ ｃｅｌｌは、調整されたダウンリンク送信に関連する無線フレーム内のタイムスロットインデックスに対応することができ、ｎＲＮＴＩは、調整されたダウンリンク送信のＰＤＳＣＨを受信するためのＷＴＲＵ１０２のＲＮＴＩに対応することができる。さまざまな実施形態で、
【０１６５】
【数３７】
0006039578.tif 000042
【０１６６】
は、パラメータＸＩＤに対応することもできる。
【０１６７】
共通のシステムパラメータとしてのサービングセルシステムパラメータの使用を容易にするために、サービングセル１８６ａは、ＣｏＭＰ協調セット内の他のＴｘポイントにサービングセルシステムパラメータ（例えば、そのセルＩＤおよび無線フレーム内のそのサブフレームまたはタイムスロットインデックス）を転送することができる。サービングセル１８６ａは、例えばＣｏＭＰ協調セットが構成される時に、それを行うことができる。サービングセルＩＤおよびサブフレームまたはタイムスロットインデックスを、Ｘ２インターフェースを介して転送することができる。サービングセルＩＤを、例えばＸ２セットアップ手順を使用してＸ２セットアップ中に、セルの間で、またはＸ２構成更新手順中に獲得することができる。あるいは、ＣｏＭＰ協調セット１８２内の他のＴｘポイント１１４ｂ〜１１４ｄは、セルプラニングまたは例えばＣｏＭＰコントローラモジュールを介する他のシグナリングを介して、サービングセルＩＤの情報を獲得することができる。
【０１６８】
ＣｏＭＰコントローラ１８４は、図示のように集中化されたＣｏＭＰコントローラとするか、あるいは、例えば自律的な分散ＣｏＭＰコントローラなど、分散ＣｏＭＰコントローラとすることができる。ＣｏＭＰコントローラ１８４は、セル内の調整されたダウンリンク送信のスケジューリングを調整することおよび／または信号処理技法を使用して干渉を能動的に抑制することによって、干渉を最小にすることができる。ＣｏＭＰ信号処理では、ＣｏＭＰ  ＴｘポイントからＷＴＲＵ１０２のそれぞれへの調整されたダウンリンク送信に重みを付けて、干渉を最小にし、スループットを最大にし、かつ／またはそのようなＷＴＲＵ１０２ａで受信されるｃｏｍｐモード送信のＳＩＮＲを最大にすることができる。調整された送信は、ｃｏｍｐネットワーク１８０が高いスペクトル効率を達成することを可能にすることができる。
【０１６９】
ＷＴＲＵ１０２を、それぞれが１つのＤＭ−ＲＳに対応することができるパラメータの１つまたは複数のセットを用いて構成することができる。ＷＴＲＵ１０２は、パラメータのセットのうちの１つまたは複数を使用して、調整されたダウンリンク送信のＰＤＳＣＨを受信することができる。パラメータの各セットは、例えば、アンテナポートインデックス、ＤＭ−ＲＳジェネレータの初期化値、送信モード、および／またはＤＭ−ＲＳシーケンスを初期化するのに使用できる（セルまたは共通のＩＤに加えて）スクランブリングＩＤを含むことができる。このスクランブリングＩＤは、例えば、より上の層（例えば、ＲＲＣ）によって構成されるスクランブリングＩＤ、ＷＴＲＵ１０２のアイデンティティ、ＲＮＴＩ、サービングセルＩＤ、その他のいずれとすることもできる。サービングセルＩＤは、例えば、サービングセルを識別するのにＲＲＣによって使用されるｓｅｒｖＣｅｌｌＩＤ、または、例えば特定のＤＭーＲＳに対して、パラメータの所与のセットに関連付けることのできるサービングセルを識別するのに物理層が使用できるＣＩＦ（Carrier Indicator Field）とすることができる。一実施形態では、パラメータのセットは、ＷＴＲＵ構成のサービングセル（またはＰＤＳＣＨ）に類似するものとすることができる。本明細書で使用される時に、用語ＰＤＣＣＨは、Ｅ−ＰＤＣＣＨを含むことができる。
【０１７０】
４つのＴｘポイントすなわちＴｘポイント１１４ａ〜１１４ｄが図１に示されているが、ＣｏＭＰネットワーク１８０は、より多数またはより少数のＴｘポイントを含むことができる。さらに、ＣｏＭＰネットワーク１８０は、Ｔｘポイント１１４ａ〜１１４ｄの代わりにまたはこれに加えて、１つまたは複数のＲＲＥ（remote radio equipment）を含むことができる。ＲＲＥのそれぞれは、単一のまたは複数のアンテナを含むことができ、ＲＲＥの任意の１つを、ＣｏＭＰコントローラ１８４に通信的に結合することができ、ＣｏＭＰ送信のためのＴｘポイントとして使用可能である。さらに、ＣｏＭＰコントローラ１８４は、ＷＴＲＵ１０２へのさまざまなＣｏＭＰ送信を可能にするためにＴｘポイントを調整することができる。さらに、ＣｏＭＰ送信ネットワーク１８０は、分散ＣｏＭＰコントローラと集中ＣｏＭＰコントローラとの両方を含むことができる。
【０１７１】
本明細書の解説の単純さのために、Ｔｘポイント１１４ａ〜１１４ｄのアンテナの全てが、ＣｏＭＰコントローラ１８４に通信的に結合され、調整されたダウンリンク送信のためのＴｘポイントとしての使用に使用可能であると仮定することができる。ある場合に、任意の１つのセルまたは複数のセル内のＴｘポイントアンテナの全てよりも少ないＴｘポイントアンテナを、調整されたダウリンク送信のためのＴｘポイントとして使用することができる。他の場合に、任意のセル内のＴｘポイントアンテナのうちの複数を、調整されたダウンリンク送信のための単一のＴｘポイントとして使用することができる（例えば、ＭＩＭＯ（multiple-input multiple-output）動作のために）。
【０１７２】
本明細書で開示され、提案され、かつ／または教示される多地点協調送信でのダウンリンク共有チャネル受信の方法および装置のさまざまな実施形態では、複数の用語が、ＣｏＭＰ送信およびＣｏＭＰ受信に関して使用される場合がある。これらの用語が、解説の単純さのためにＬＴＥおよび／またはＬＴＥ−Ａに関してまたはこれに従って説明される場合がある。例えば、用語「ＣｏＭＰセット」が、ＣｏＭＰ動作セット、ＣｏＭＰ  Ｔｘポイントのセット、およびＣｏＭＰ測定セットのいずれかを指す場合がある。ＣｏＭＰ測定セットは、それに関してチャネル状態および／または統計情報が報告されるセルのセットとすることができる。チャネル状態／統計情報を、ＷＴＲＵ１０２とＣｏＭＰ協調セット１８２内のＴｘポイント１１４ａ〜１１４ｄのうちの１つまたは複数との間のリンクに関係付けることができる。ある場合に、ＣｏＭＰ測定セットは、ＣｏＭＰ協調セット１８２と同一とすることができる。実際のＷＴＲＵレポートは、ＣｏＭＰ測定セット１８２のセルのサブセットに関するフィードバックを含むことができる。これらのセルを、報告されるセルとみなすことができる。
【０１７３】
動作の例
図２は、結合処理（ＪＰ）ＣｏＭＰ送信を実行する一例のプロセス２００を示す流れ図である。図２のプロセス２００を、解説の簡単さのために図１Ａ〜図１Ｆを参照して説明する。プロセス２００を、他のアーキテクチャを使用して実行することもできる。
【０１７４】
プロセス２００を、さまざまな非トランスペアレントＪＰ  ＣｏＭＰ送信方式に、および、やがて来るダウンリンク送信がＷＴＲＵ１０２のサービングセル以外のＣｏＭＰ  Ｔｘポイントからの非トランスペアレントな調整されたダウンリンク送信であることをＷＴＲＵ１０２が判定することを可能にするのに、使用することができる。やがて来るダウンリンク送信がサービングセル以外のＣｏＭＰ  Ｔｘポイント（非サービングセルＣｏＭＰ  Ｔｘポイント）からの非トランスペアレントな調整されたダウンリンク送信であることの判定は、ＷＴＲＵ１０２がそのような非トランスペアレントな調整されたダウンリンク送信を正しく受信することを可能にすることができる。非サービングセルＣｏＭＰ  Ｔｘポイントからのやがて来るダウンリンク送信の受信は、（ｉ）アンテナポートのセットに関する時間領域ＯＦＤＭ（直交周波数分割多重）信号を受信することと、（ｉｉ）アンテナポートのセットに関する時間領域ＯＦＤＭ信号をアンテナポートのセットに関する対応する変調シンボルに変換することと、（ｉｉｉ）アンテナポートのセットに関する対応する変調シンボルの全てのプリコーディングの復号を実行することと、（ｉｖ）アンテナポートのセットに関するデプリコーディングされた（de-precoded）変調シンボルをアンテナポートのセットに対応する送信層のセットにマッピングするためにレイヤマッピングを実行することと、（ｖ）変調されたシンボルをスクランブルされたビットに復調することと、（ｖｉ）スクランブルされたビットを１つまたは複数の符号語の符号化されたビットにデスクランブルすることと、（ｖｉｉ）デスクランブルされた符号化されたビットから符号語を形成することとのうちのいずれをも含むことができる。
【０１７５】
プロセスブロック２０２に示されているように、非サービングセルＣｏＭＰ  Ｔｘポイントからのやがて来るダウンリンク送信を受信するためのＷＴＲＵ１０２へのシグナリングに関する情報を、ＷＴＲＵ１０２に送信することができる。このシグナリング情報を、サービングセルのＴｘポイント１１４ａから送信することができる。Ｔｘポイント１１４ａは、例えばレイヤ１（Ｌ１）、レイヤ２（Ｌ２）および／またはレイヤ３（Ｌ３）シグナリングなど、暗黙のシグナリングおよび／または明示的シグナリングを使用してこのシグナリング情報を送信することができる。または、Ｔｘポイント１１４ａは、ＷＴＲＵ１０２がそれに関してブラインド検出を実行するように構成される可能性があるダウンリンク制御チャネル（例えば、ＰＤＣＣＨ）の制御領域内でシグナリング情報を送信することができる。ダウンリンク制御チャネルを、ダウンリンク送信に関連付けることができる。
【０１７６】
プロセスブロック２０４に示されているように、シグナリング情報をＷＴＲＵ１０２で受信することができる。ＷＴＲＵ１０２は、例えば、暗黙のシグナリングおよび／または明示的シグナリングによってシグナリング情報を受信することができる。あるいは、ＷＴＲＵ１０２は、制御領域のブラインド検出を実行して、シグナリング情報（暗黙の表示および明示的表示のいずれかである可能性がある）を入手することができる。
【０１７７】
シグナリング情報の入手は、ＷＴＲＵ１０２が、ＤＣＩ（downlink control information）を受信し、かつ／または復号することを含むことができる。例えば、シグナリング情報は、受信されたＤＣＩおよび／または復号されたＤＣＩの１つまたは複数の特性、特徴、属性など（集合的に「特性」）に少なくとも部分的に基づくものとすることができる。ＷＴＲＵ１０２がシグナリング情報を入手するために、ＷＴＲＵ１０２は、まず、ＤＣＩを受信し、かつ／または復号し、その後、受信されたＤＣＩおよび／または復号されたＤＣＩの特性を認識しまたは他の形で解釈することができる。もう１つの例として、シグナリング情報は、受信されたＤＣＩおよび／または復号されたＤＣＩに関連し、この中に含まれ、これによって識別され、かつ／またはこれによって参照される情報に少なくとも部分的に基づくものとすることができる。上記と同様に、ＷＴＲＵ１０２は、ＪＰ  ＣｏＭＰ表示を入手するために、まず、ＤＣＩを受信し、かつ／または復号し、その後、受信されたＤＣＩおよび／または復号されたＤＣＩに関連し、この中に含まれ、これによって識別され、かつ／またはこれによって参照される情報を認識しまたは他の形で解釈することができる。
【０１７８】
シグナリング情報の例は、（ｉ）受信されたＤＣＩの（例えば最初の）ＣＣＥ（control channel element）のインデックスなど、復号されたＤＣＩのリソース割当に少なくとも部分的に基づく情報および／または表示（集合的に「情報」）と、（ｉｉ）所与の物理ダウンリンク（例えば、ＰＤＳＣＨ）送信に関する復号されたＤＣＩ内で受信された物理リソースブロック割当に少なくとも部分的に基づく情報と、（ｉｉｉ）復号されたＤＣＩに関するＰＤＣＣＨ検索空間に少なくとも部分的に基づく情報と、（ｉｖ）復号されたＤＣＩをスクランブルするのに使用されるＲＮＴＩに少なくとも部分的に基づく情報と、（ｖ）ＤＣＩ内のパラメータのセットの明示的なシグナリングに少なくとも部分的に基づく情報と、（ｖｉ）ＰＤＣＣＨ上で復号できるＤＣＩのサイズに少なくとも部分的に基づく情報と、（ｖｉｉ）ＰＤＣＣＨ上で復号できるＤＣＩの内部でシグナリングされるＤＭ−ＲＳポートインデックスに少なくとも部分的に基づく情報と、（ｖｉｉｉ）Ｔｘポートの数に少なくとも部分的に基づく情報と、（ｉｘ）ＰＤＣＣＨ上で復号できるＤＣＩの内部の搬送波インジケータに少なくとも部分的に基づく情報と、（ｘ）ＰＤＣＣＨ上で復号できるＤＣＩの内部のＨＡＲＱプロセス識別子に少なくとも部分的に基づく情報と、（ｘｉ）ＰＤＣＣＨがそれに関して復号されたサブフレームに対応するＷＴＲＵの構成の受信パラメータの１つまたは複数のセットのアクティブ化状態に少なくとも部分的に基づく情報と、（ｘｉｉ）類似物とのうちのいずれをも含むことができる。
【０１７９】
シグナリング情報を、次のうちの少なくとも１つに従ってＷＴＲＵ１０２によって入手することができる。復号されたＤＣＩのリソース割当に少なくとも部分的に基づく情報について、ＷＴＲＵ１０２は、ＤＣＩを受信し、復号することができ、その後、復号されたＤＣＩのリソース割当を、シグナリング情報の暗黙のシグナリングとして解釈することができる。復号されたＤＣＩ内で受信された物理リソースブロック割当に少なくとも部分的に基づく情報について、ＷＴＲＵ１０２は、ＤＣＩを受信し、復号することができ、その後、物理リソースブロック割当を、暗黙のシグナリングとして解釈することができる。
【０１８０】
復号されたＤＣＩに関するＰＤＣＣＨ検索空間に少なくとも部分的に基づく情報について、ＷＴＲＵ１０２は、ＤＣＩを受信し、復号することができ、その後、ＰＤＣＣＨ検索空間の特性を暗黙のシグナリングとして解釈することができる。例えば、ＷＴＲＵ１０２は、複数の（おそらくはオーバーラップしない）ＷＴＲＵ固有検索空間（ＷＴＲＵ−ＳＳ）をＷＴＲＵ１０２のために定義できると仮定して、有効なＤＣＩが受信されるＷＴＲＵ−ＳＳ内のＣＣＥの範囲を、暗黙のシグナリングとして解釈することができる。あるいは、ＷＴＲＵ１０２は、複数の（おそらくはオーバーラップしない）ＷＴＲＵ−ＳＳをＷＴＲＵ１０２のために定義できると仮定して、有効なＤＣＩが受信されるＷＴＲＵ−ＳＳのアイデンティティを、暗黙のシグナリングとして解釈することができる。他の代替案として、ＷＴＲＵ１０２は、有効なＤＣＩが受信されるＷＴＲＵ１０２の共通の検索空間内のＣＣＥの範囲および／または有効なＤＣＩが受信されるＷＴＲＵ１０２の共通の検索空間のアイデンティティを暗黙のシグナリングとして解釈することができる。
【０１８１】
復号されたＤＣＩをスクランブルするのに使用されるＲＮＴＩに少なくとも部分的に基づく情報について、ＷＴＲＵ１０２は、ＤＣＩを受信することができる。その後、ＷＴＲＵ１０２は、ＰＤＣＣＨ上で受信されたＤＣＩを復号するためにＷＴＲＵ１０２にプロビジョニングされた複数のＲＮＴＩ（ＷＴＲＵ固有ＲＮＴＩ）から、ＪＰ  ＣｏＭＰ送信のために指定されたＷＴＲＵ固有ＲＮＴＩを選択することができる。その後、ＷＴＲＵ１０２は、選択されたＷＴＲＵ固有ＲＮＴＩを使用してＤＣＩを復号することを試み、選択されたＷＴＲＵ固有ＲＮＴＩを使用した受信されたＤＣＩの成功の復号を暗黙のシグナリングとして解釈することができる。代替案として、ＷＴＲＵ１０２は、ＤＣＩを受信することができる。その後、ＷＴＲＵ１０２は、複数のＷＴＲＵ固有ＲＮＴＩを使用して、反復して、受信されたＤＣＩの復号を試み、ＪＰ  ＣｏＭＰ送信のために指定されたＷＴＲＵ固有ＲＮＴＩを用いて成功して復号された受信されたＤＣＩを暗黙のシグナリングとして解釈することができる。
【０１８２】
受信され復号されたＤＣＩ内のパラメータのセットの明示的なシグナリングに少なくとも部分的に基づく情報について、ＷＴＲＵ１０２は、ＪＰ  ＣｏＭＰ送信を示す１つまたは複数のインジケータビットを有するＤＣＩを受信し、復号し、インジケータビットの値（インジケータビット値）を入手することができ、その後、インジケータビット値がＪＰ  ＣｏＭＰ送信を示すならば、インジケータビットを、非サービングセルＣｏＭＰ  Ｔｘポイントからのやがて来るダウンリンク送信を受信するための明示的シグナリングとして解釈することができる。ＰＤＣＣＨ上で復号できるＤＣＩのサイズに少なくとも部分的に基づく情報について、ＷＴＲＵ１０２は、ＤＣＩを受信し、復号し、ＤＣＩのサイズ（ＤＣＩサイズ）を判定し、その後、ＤＣＩサイズがＪＰ  ＣｏＭＰ送信を示すならば、ＤＣＩサイズを暗黙のシグナリングとして解釈することができる。ＤＣＩサイズは、例えば、非ＣｏＭＰ送信に使用されるＤＣＩのサイズと異なる場合に、ＪＰ  ＣｏＭＰ送信を示すことができる。
【０１８３】
ＰＤＣＣＨ上で復号できるＤＣＩの内部でシグナリングされるＤＭ−ＲＳポートインデックスに少なくとも部分的に基づく情報について、ＷＴＲＵ１０２は、ＤＣＩを受信し、復号し、復号されたＤＣＩの内部でシグナリングされるＤＭ−ＲＳポートインデックスを入手し、その後、入手されたＤＭ−ＲＳポートインデックスを、非サービングセルＣｏＭＰ  Ｔｘポイントからのやがて来るダウンリンク送信を受信するための明示的シグナリングとして解釈することができる。シグナリングされるインデックスは、ａ）全て若しくはいくつかのデータおよび／または各もしくはいくつかの符号語のＤＭ−ＲＳポートインデックス、および／またはｂ）ＴｘポイントごともしくはＴｘポイントのセットごとのＤＭ−ＲＳポートインデックスのいずれにも従うことができる。
【０１８４】
Ｔｘポートの個数に少なくとも部分的に基づく情報について、ＷＴＲＵ１０２は、ＣＯＭＰ動作に使用されるダウンリンク制御シグナリング（例えば、ＤＣＩフォーマット）内で、ａ）サービングセル以外の送信ポイントの個数、およびｂ）ＤＭ−ＲＳポートインデックスという情報に対応することができる情報ビットを受信することができる。ＤＭ−ＲＳポートインデックスは、全てのデータまたは各符号語に関するものとすることができる。あるいは、ＤＭ−ＲＳポートインデックスは、各ＴｘポイントまたはＴｘポイントの各セットに関するものとすることができる。
【０１８５】
ＰＤＣＣＨ上で復号できるＤＣＩの内部の搬送波インジケータに少なくとも部分的に基づく情報について、ＷＴＲＵ１０２は、ＤＣＩを受信し、復号し、復号されたＤＣＩの内部でシグナリングされた搬送波インジケータを入手し、その後、入手された搬送波インジケータを非サービングセルＣｏＭＰ  Ｔｘポイントからのやがて来るダウンリンク送信を受信するための明示的シグナリングとして解釈することができる。シグナリングされる搬送波インジケータは、所与のサブフレーム内の調整されたダウンリンク送信の受信のために使用すべき受信パラメータのセットに値を関連付けるＷＴＲＵ１０２の構成に従うものとすることができる。
【０１８６】
ＰＤＣＣＨ上で復号できるＤＣＩの内部のＨＡＲＱプロセス識別子に少なくとも部分的に基づく情報について、ＷＴＲＵ１０２は、ＤＣＩを受信し、復号し、復号されたＤＣＩの内部でシグナリングされたＨＡＲＱプロセス識別子を入手し、その後、入手されたＨＡＲＱプロセス識別子を非サービングセルＣｏＭＰ  Ｔｘポイントからのやがて来るダウンリンク送信を受信するための明示的シグナリングとして解釈することができる。シグナリングされるＨＡＲＱプロセス識別子は、所与のサブフレーム内の調整されたダウンリンク送信の受信のために使用すべき受信パラメータのセットに値を関連付けるＷＴＲＵ１０２の構成に従うものとすることができる。
【０１８７】
ＰＤＣＣＨがそれに関して復号されたサブフレームに対応するＷＴＲＵの構成の受信パラメータの１つまたは複数のセットのアクティブ化状態に少なくとも部分的に基づく情報について、ＷＴＲＵ１０２は、ＤＣＩを受信し、復号し、対応するＰＤＣＣＨのタイミング並びに／または受信パラメータの関連するセットのアクティブ化および／もしくは非アクティブ化の表示を入手し、その後、入手された情報を非サービングセルＣｏＭＰ  Ｔｘポイントからのやがて来るダウンリンク送信を受信するための明示的シグナリングとして解釈することができる。受信パラメータの関連するセットを、関連するＤＣＩ内または異なるＤＣＩ内で提供することができ、例えば搬送波インジケータによって示すことができる。ＷＴＲＵ１０２は、受信パラメータのどのセットが対応するサブフレームタイミングについてアクティブ化されるのかを判定し、所与のサブフレーム内の調整されたダウンリンク送信の受信のためにパラメータの関係するセットを使用することができる。
【０１８８】
ＰＤＳＣＨ割当に関するＰＤＣＣＨの詳細は、適用される特定のＣｏＭＰ方式に依存するものとすることができる。ＰＤＣＣＨ設計の２つの例を以下で説明する。これらの例の１つでは、ＤＣＩフォーマット（時々、本明細書でＤＣＩフォーマット１Ｆと称する）を使用して、ＳＦＢＣ（space frequency block coding）ベースの開ループプリコーディングＪＴ  ＣｏＭＰをサポートすることができる。異なるデータを有するＪＴ  ＣｏＭＰをサポートするのに使用できるＤＣＩフォーマット１Ｆの例の詳細を表５にリストアップする。
【０１８９】
【表５】
0006039578.tif 000043
【０１９０】
もう１つの例では、別のＤＣＩフォーマット（時々、本明細書でＤＣＩフォーマット２Ｄと称する）を使用して、閉ループプリコーディングＪＴ  ＣｏＭＰをサポートすることができる。ＤＣＩフォーマット２Ｄの例の詳細を、表６にリストアップする。
【０１９１】
【表６】
0006039578.tif 000044
【０１９２】
シグナリング情報を入手した後に、プロセスブロック２０６に示されているように、やがて来る調整されたダウンリンク送信を、非サービングセルＣｏＭＰ  Ｔｘポイントを使用してＷＴＲＵ１０２に送信することができる。プロセスブロック２０８に示されているように、非サービングセルＣｏＭＰ  Ｔｘポイントからの調整されたダウンリンク送信をＷＴＲＵ１０２で受信することができる。上記したように、やがて来る調整されたダウンリンク送信の受信は、（ｉ）アンテナポートのセットに関する時間領域ＯＦＤＭ（直交周波数分割多重）信号を受信することと、（ｉｉ）アンテナポートのセットに関する時間領域ＯＦＤＭ信号をアンテナポートのセットに関する対応する変調シンボルに変換することと、（ｉｉｉ）アンテナポートのセットに関する対応する変調シンボルの全てのプリコーディングの復号を実行することと、（ｉｖ）アンテナポートのセットに関するデプリコーディングされた変調シンボルをアンテナポートのセットに対応する送信層のセットにマッピングするためにレイヤマッピングを実行することと、（ｖ）変調されたシンボルをスクランブルされたビットに復調することと、（ｖｉ）スクランブルされたビットを１つまたは複数の符号語の符号化されたビットにデスクランブルすることと、（ｖｉｉ）デスクランブルされた符号化されたビットから符号語を形成することとのうちのいずれをも含むことができる。
【０１９３】
非サービングセルＣｏＭＰ  Ｔｘポイントからの調整されたダウンリンク送信の受信を容易にするために、ＷＴＲＵ１０２は、受信パラメータのＷＴＲＵによってプロビジョニングされたセットから、非サービングセルＣｏＭＰ  Ｔｘポイントからの調整されたダウンリンク送信を受信するための受信パラメータのセットを選択することができる。受信パラメータのセットの選択は、非サービングセルＣｏＭＰ  Ｔｘポイントからのやがて来るダウンリンク送信を受信するためのＷＴＲＵ１０２へのシグナリングのためのシグナリング情報に基づくものとすることができる。あるいは、ＷＴＲＵ１０２は、非サービングセルＣｏＭＰ  Ｔｘポイントからのやがて来るダウンリンク送信を受信するためのＷＴＲＵ１０２へのシグナリングのためのシグナリング情報に基づいて受信パラメータのセットを決定することができる。ＷＴＲＵ１０２は、他の情報に基づいて受信パラメータのセットを決定することもできる。
【０１９４】
プロセスブロック２１０に示されているように、受信の後に、受信された調整されたダウンリンク送信を、ＷＴＲＵ１０２によって復号することができる。プロセスブロック２１０の後に、プロセス２００は終了することができる。あるいは、プロセス２００を、周期的に、連続的な形で、またはさらなる調整されたダウンリンク送信の発生などの条件の結果としてトリガされた時に、繰り返すことができる。もう１つの代替案として、プロセスブロック２０６〜２１０を、調整されたダウンリンク送信の追加の受信を引き起こすために、周期的に、連続的な形で、または条件の結果としてトリガされた時に、繰り返すことができる。
【０１９５】
図３は、ＪＰ  ＣｏＭＰ送信を実行する一例のプロセス３００を示す流れ図である。図３のプロセス３００を、解説の簡単さのために図１Ａ〜図１Ｆを参照して説明する。プロセス３００を、他のアーキテクチャを使用して実行することもできる。プロセス３００を、ＪＰ  ＣｏＭＰ送信の調整されたダウンリンク送信を受信するのに使用すべきパラメータのセットをＷＴＲＵ１０２が選択することを可能にするために、さまざまな非トランスペアレントＪＰ  ＣｏＭＰ送信方式に使用することができる。以下でより詳細に説明するように、ＷＴＲＵ１０２は、シグナリング情報を獲得することによってパラメータのセットを入手することができる。
【０１９６】
プロセス３００を、さまざまな非トランスペアレントＪＰ  ＣｏＭＰ送信方式に、および、やがて来るダウンリンク送信が非サービングセルＣｏＭＰ  Ｔｘポイントからの非トランスペアレントな調整されたダウンリンク送信であることをＷＴＲＵ１０２が判定することを可能にするのに、使用することができる。やがて来るダウンリンク送信が非サービングセルＣｏＭＰ  Ｔｘポイントの非トランスペアレントな調整されたダウンリンク送信であることの判定は、ＷＴＲＵ１０２がそのような非トランスペアレントな調整されたダウンリンク送信を正しく受信し、かつ／または復号することを可能にすることができる。図３のプロセス３００は、本明細書で説明されるものを除き、図２のプロセス２００に類似する。
【０１９７】
シグナリング情報を受信（ブロック２０４）した後に、ＷＴＲＵ１０２は、プロセスブロック３０２に示されているように、受信されたシグナリング情報に少なくとも部分的に基づいて、非サービングセルＣｏＭＰ  Ｔｘポイントからのやがて来る調整されたダウンリンク送信を受信するのに使用すべき受信パラメータのセットを決定することができる。ＷＴＲＵ１０２は、例えば、（ｉ）やがて来るダウンリンク送信に関連するダウリンク制御チャネル上で受信されたＤＣＩの特性、および（ｉｉ）やがて来るダウンリンク送信に関連するダウリンク制御チャネル上で復号されたＤＣＩの特性のいずれかに基づいて、ＷＴＲＵ内でプロビジョニングされる受信パラメータの複数のセットから受信パラメータのセットを選択することによって、受信パラメータのセットを決定することができる。あるいは、ＷＴＲＵ１０２は、（ｉ）やがて来るダウンリンク送信に関連するダウンリンク制御チャネル上で受信されたＤＣＩに関連する情報、（ｉｉ）受信されたＤＣＩによって参照される情報、（ｉｉｉ）やがて来るダウンリンク送信に関連するダウンリンク制御チャネル上で復号されたＤＣＩに関連する情報、（ｉｖ）復号されたＤＣＩ内に含まれる情報、（ｖ）復号されたＤＣＩによって識別される情報、および（ｖｉ）復号されたＤＣＩによって参照される情報のいずれかに基づいて、ＷＴＲＵ内でプロビジョニングされるパラメータの複数のセットから受信パラメータのセットを選択することによって、受信パラメータのセットを決定することができる。
【０１９８】
他の代替案として、ＷＴＲＵ１０２は、（ｉ）やがて来るダウンリンク送信に関連するダウンリンク制御チャネル上で受信されたＷＴＲＵ１０２によって復号されたＤＣＩのリソース割当と、（ｉｉ）ＷＴＲＵ１０２によってやがて来るダウンリンク送信に関連するダウンリンク制御チャネル上で復号されたＤＣＩ内で示された物理リソースブロック割当と、（ｉｉｉ）復号されるＤＣＩが、ＷＴＲＵ１０２によってやがて来るダウンリンク送信に関連するダウンリンク制御チャネル上でそれに関して受信される物理ダウンリンク制御チャネル検索空間と、（ｉｖ）ＷＴＲＵ１０２によってやがて来るダウンリンク送信に関連するダウンリンク制御チャネル上で受信されたＤＣＩを復号するのに使用されるＲＮＴＩと、（ｖ）ＷＴＲＵ１０２によってやがて来るダウンリンク送信に関連するダウンリンク制御チャネル上で復号されたＤＣＩ内で示されるシグナリングであって、やがて来るダウンリンク送信をシグナリングする少なくとも１つのビットを含むシグナリングと、（ｖｉ）ＷＴＲＵ１０２によってやがて来るダウンリンク送信に関連するダウンリンク制御チャネル上で復号されたＤＣＩ内で示されるシグナリングであって、Ｔｘポイントおよびサービングセルを含むＣｏＭＰ協調セットのＴｘポイントの個数をシグナリングする少なくとも１つのビットを含むシグナリングと、（ｖｉｉ）ＷＴＲＵ１０２によってやがて来るダウンリンク送信に関連するダウンリンク制御チャネル上で復号されたＤＣＩ内で示されるシグナリングであって、アンテナポートインデックスをシグナリングする少なくとも１つのビットを含むシグナリングと、（ｖｉｉｉ）ＷＴＲＵによってやがて来るダウンリンク送信に関連するダウンリンク制御チャネル上で復号されたＤＣＩ内で示されるシグナリングであって、シグナリングは、アンテナポートインデックスをシグナリングする少なくとも１つのビットを含み、アンテナポートインデックスは、（ａ）全てのデータに関するアンテナポートインデックス、（ｂ）各符号語に関するアンテナポートインデックス、（ｃ）Ｔｘポイントおよびサービングセルを含むＣｏＭＰ協調セットの各Ｔｘポイントに関するアンテナポートインデックス、および（ｄ）ＣｏＭＰ協調セットに関するアンテナポートインデックスのいずれかを含む、シグナリングと、（ｉｘ）ＷＴＲＵ１０２によってやがて来るダウンリンク送信に関連するダウンリンク制御チャネル上で復号されたＤＣＩのサイズと、（ｘ）ＷＴＲＵ１０２によってやがて来るダウンリンク送信に関連するダウンリンク制御チャネル上で復号されたＤＣＩのサイズであって、ＤＣＩのサイズは、ＣｏＭＰ送信を示す、ＤＣＩのサイズと、（ｘｉ）ＷＴＲＵ１０２によってやがて来るダウンリンク送信に関連するダウンリンク制御チャネル上で復号されたＤＣＩのサイズであって、ＤＣＩのサイズは、非ＣｏＭＰ送信を示さない、ＤＣＩのサイズと、（ｘｉｉ）アンテナポートインデックスと、（ｘｉｉｉ）ＷＴＲＵ１０２によってやがて来るダウンリンク送信に関連するダウンリンク制御チャネル上で復号されたＤＣＩ内でシグナリングされるアンテナポートインデックスと、（ｘｉｖ）サブフレームタイプと、（ｘｖ）タイミング情報と、（ｘｖｉ）やがて来るダウンリンク送信のＰＤＳＣＨの搬送波周波数と、（ｘｖｉｉ）搬送波インデックスと、（ｘｖｉｉｉ）セルインデックスと、（ｘｉｘ）ＣｏＭＰ協調セット１８２の送信ポイントの数と、（ｘｘ）ＨＡＲＱプロセス識別子と、（ｘｘｉ）ＷＴＲＵの構成の受信パラメータのセットのうちの１つまたは複数のアクティブ化表示と、（ｘｘｉｉ）類似物とのいずれかに少なくとも部分的に基づくことによって受信パラメータのセットを決定することができる。
【０１９９】
受信パラメータのセットを決定した後に、プロセスブロック３０６に示されているように、非サービングセルＣｏＭＰ  Ｔｘポイントからの調整されたダウンリンク送信を、受信パラメータのそのようなセットを使用してＷＴＲＵ１０２で受信することができる。受信の後に、プロセスブロック２１０に示されているように、受信された調整されたダウンリンク送信を、ＷＴＲＵ１０２によって復号することができる。
【０２００】
プロセスブロック２１０の後に、プロセス３００は、終了することができる。あるいは、プロセス３００を、周期的に、連続的な形で、またはさらなる調整されたダウンリンク送信の発生などの条件の結果としてトリガされた時に、繰り返すことができる。もう１つの代替案として、プロセスブロック３０２、３０６および２１０を、調整されたダウンリンク送信の追加の受信を引き起こすために、周期的に、連続的な形で、または条件の結果としてトリガされた時に、繰り返すことができる。
【０２０１】
図４は、ＪＰ  ＣｏＭＰ送信を実行する一例のプロセス４００を示す流れ図である。図４のプロセス４００を、解説の簡単さのために図１Ａ〜図１Ｆを参照して説明する。プロセス４００を、他のアーキテクチャを使用して実行することもできる。プロセス４００を、ＪＰ  ＣｏＭＰ送信の調整されたダウンリンク送信を受信するのに使用すべき受信パラメータのセットをＷＴＲＵ１０２が選択し、かつ／または決定することを可能にするために、さまざまな非トランスペアレントＪＰ  ＣｏＭＰ送信方式に使用することができる。
【０２０２】
プロセス４００を、さまざまな非トランスペアレントＪＰ  ＣｏＭＰ送信方式に、および、やがて来るダウンリンク送信が非サービングセルＣｏＭＰ  Ｔｘポイントからの非トランスペアレントな調整されたダウンリンク送信であることをＷＴＲＵ１０２が判定することを可能にするのに、使用することができる。やがて来るダウンリンク送信が非サービングセルＣｏＭＰ  Ｔｘポイントの非トランスペアレントな調整されたダウンリンク送信であることの判定は、ＷＴＲＵ１０２がそのような非トランスペアレントな調整されたダウンリンク送信を正しく受信し、かつ／または復号することを可能にすることができる。図４のプロセス４００は、本明細書で説明されるものを除いて、それぞれ図２、図３のプロセス２００、３００に類似する。
【０２０３】
シグナリング情報を送信（ブロック２０２）した後に、プロセスブロック４０２に示されているように、非サービングＣｏＭＰ  Ｔｘポイントからのやがて来るダウンリンク送信を受信するのに使用すべき受信パラメータのセットを選択するためのＷＴＲＵ１０２へのシグナリングに関する情報を、ＷＴＲＵ１０２に送信することができる。この受信パラメータシグナリング情報を、サービングセルのＴｘポイント１１４ａから送信することができる。Ｔｘポイント１１４ａは、例えばＬ１シグナリング、Ｌ２シグナリング、および／またはＬ３シグナリングなど、暗黙のシグナリングおよび／または明示的シグナリングを使用して受信パラメータシグナリング情報を送信することができる。あるいは、Ｔｘポイント１１４ａは、ＷＴＲＵ１０２がそれに関してブラインド検出を実行するように構成される可能性があるダウンリンク制御チャネル（例えば、ＰＤＣＣＨ）の制御領域内で受信パラメータシグナリング情報を送信することができる。
【０２０４】
シグナリング情報を受信（ブロック２０４）した後に、プロセスブロック４０４に示されているように、受信パラメータシグナリング情報を、ＷＴＲＵ１０２で受信することができる。ＷＴＲＵ１０２は、例えば、暗黙のシグナリングおよび／または明示的シグナリングによって受信パラメータシグナリング情報を受信することができる。あるいは、ＷＴＲＵ１０２は、受信パラメータシグナリング情報（暗黙のシグナリングおよび明示的シグナリングのいずれかである可能性がある）を入手するために制御領域のブラインド検出を実行することができる。受信パラメータシグナリング情報は、非サービングセルＣｏＭＰ  Ｔｘポイントからのやがて来るダウンリンク送信を受信するためのＷＴＲＵ１０２へのシグナリングに関するシグナリング情報と同一の情報とすることができる。その場合に、受信パラメータシグナリング情報を、そのようなシグナリング情報と共に送信し、受信することができる。あるいは、以下でより詳細に説明するように、受信パラメータシグナリング情報を、そのような情報とは異なるものとすることができる。
【０２０５】
プロセスブロック４０６に示されているように、ＷＴＲＵ１０２は、受信された受信パラメータシグナリング情報に少なくとも部分的に基づいて、非サービングセルＣｏＭＰ  Ｔｘポイントからのやがて来る調整されたダウンリンク送信を受信するのに使用すべき受信パラメータのセットを決定することができる。ＷＴＲＵ１０２は、例えば、図３のプロセスブロック３０２に関して上記で説明したように、ＷＴＲＵ内でプロビジョニングされる受信パラメータの複数のセットから受信パラメータのセットを選択することによって、受信パラメータのセットを決定することができる。あるいは、ＷＴＲＵ１０２は、ＰＤＳＣＨ送信が行われるサブフレームのタイミングに基づいて、対応するＰＤＳＣＨ送信を復号するための受信パラメータのセットを決定することができる。このタイミングは、フレーム番号、サブフレーム番号、周期性、および／またはオフセットのうちの少なくとも１つを使用して定義することができる。ＷＴＲＵ１０２は、サブフレームのタイプに基づいて受信パラメータのセットを決定することもでき、ここで、サブフレームのタイプは、少なくともＭＢＳＦＮ（MBMS(Multimedia Broadcast/Multicast Service)over a Single Frequency Network）サブフレームの特定のサブセット、ＡＢＳ（Almost Blank Subframe）、または「ノーマル」（例えば、ＭＢＳＤＦでもＡＢＳでもない）サブフレームのうちの１つとすることができる。もう１つの代替案として、ＷＴＲＵ１０２は、ＰＤＳＣＨ送信の搬送波周波数（または搬送波インデックスもしくはセルインデックス）に基づいて受信パラメータのセットを決定することもできる。
【０２０６】
ＷＴＲＵは、関係するＰＤＳＣＨ送信に適用可能なアイデンティティに基づいて、対応するＰＤＳＣＨ送信の復号に使用すべき受信パラメータ（例えば、リファレンス信号）のセットを決定することができる。例えば、ＷＴＲＵは、サービングセルＩＤの明示的表示（例えば、サービングセルを識別するのにＲＲＣによって使用されるｓｅｒｖＣｅｌｌＩＤまたはサービングセルを識別するのに物理層によって使用され得るＣＩＦに対応する）を受信することができる。例えば、パラメータ（例えば、リファレンス信号）のセットを、ＤＣＩフォーマット内のＣＩＦ値に関連付けることができる。
【０２０７】
ＷＴＲＵ１０２は、例えばＰＤＣＣＨ上で受信されるＤＣＩではなく、ＭＡＣ（媒体アクセス制御）制御要素の受信に基づいて、受信パラメータのセット（および／または他のシグナリング情報）を決定することができる。例えば、ＷＴＲＵ１０２は、１つまたは複数のＰＤＣＣＨに関連する状態に基づいて受信パラメータのセットを決定することができる。例えば、ＷＴＲＵ１０２は、ＰＤＣＣＨ上で最近受信されたＤＣＩに基づいて受信パラメータのセット（および／または調整されたダウンリンク送信を受信すべきかどうか）を決定することができ、ここで、ＤＣＩの少なくとも１つのフィールドが、別の表示が提供されるまで使用すべき受信パラメータのセットを示す。あるいは、ＷＴＲＵは、ＭＡＣ制御要素の受信に基づいて受信パラメータのセット（および／または調整されたダウンリンク送信を受信すべきかどうか）を決定することができ、ここで、ＭＡＣ  ＣＥの少なくとも１つのフィールドが、別の表示が提供されるまで使用すべき受信パラメータのセットを示す。
【０２０８】
もう１つの例として、ＷＴＲＵ１０２は、パラメータ（例えば、リファレンス信号に対応する）の対応するセットのアクティブ化状態に基づいて、受信パラメータのセット（および／または調整されたダウンリンク送信を受信すべきかどうか）を決定することができる。ＷＴＲＵ１０２は、受信パラメータのセットを、パラメータのそのようなセットが関係するＰＤＳＣＨについてアクティブ化されるのか非アクティブ化されるのかを示すことができるアクティブ化状態に関連付けることができる。ＷＴＲＵ１０２は、ＷＴＲＵ１０２の構成の１つまたは複数のＰＤＳＣＨについてパラメータの１つまたは複数のセットをＷＴＲＵ１０２にアクティブ化させ、かつ／または非アクティブ化させる制御シグナリングを受信することができる。
【０２０９】
ＷＴＲＵ１０２によって受信される制御シグナリングは、次のうちの少なくとも１つを含むことができる。
【０２１０】
受信されるシグナリングが、Ｌ１シグナリングである場合があり、ここで、ＷＴＲＵ１０２は、１つまたは複数のＰＤＳＣＨに関する受信パラメータのセットのアクティブ化または非アクティブ化を示すＰＤＣＣＨ上のＤＣＩを受信することができる。受信される表示は、（ｉ）ＷＴＲＵ１０２が、構成されたＲＮＴＩを使用してＤＣＩを成功裏に復号することができる（ここで、ＲＮＴＩは、受信パラメータのセットおよび／または所与のＰＤＳＣＨに対応する）、かつ（ｉｉ）ＤＣＩがあるタイプであり、かつ／または関係するＰＤＳＣＨを例えばおそらくは本明細書で説明される他の方法に従ってどのように復号すべきかをＷＴＲＵ１０２が決定することを可能にする明示的表示（例えば、フィールドおよび／またはフラグおよび／または任意の他の表示）を含むことをＷＴＲＵが判定することのうちの少なくとも１つに従うものとすることができる。ＷＴＲＵは、アクティブ化／非アクティブ化コマンドとして解釈されるＤＣＩの受信を肯定応答するために、ＨＡＲＱ（ハイブリッド自動再送）肯定応答（ＡＣＫ）を送信することができる。例えば、サブフレームｎ内で受信されたＤＣＩシグナリングに関して、ＷＴＲＵ１０２は、サブフレームｎ＋ｋにアップリンクチャネル上でＨＡＲＱ  ＡＣＫを送信することができ、ここで、ｋは、ＷＴＲＵ処理遅延を表すことができ、例えばｋ＝４サブフレームである。
【０２１１】
受信されるシグナリングが、Ｌ２シグナリングである場合があり、ここで、ＷＴＲＵは、１つまたは複数のＰＤＳＣＨに関する受信パラメータのセットのアクティブ化および／または非アクティブ化を示すＭＡＣ制御要素（ＣＥ）を受信することができる。このＭＡＣ  ＣＥを、ＷＴＲＵ１０２の構成の任意のＰＤＳＣＨ上で受信することができる。ＷＴＲＵ１０２は、ＭＡＣ  ＣＥ内に含まれる明示的表示（例えば、ビットマップまたはアンテナポート）に基づいて、関係するＰＤＳＣＨに対応するパラメータのセットをアクティブ化しまたは非アクティブ化することができる。あるいは、ＷＴＲＵ１０２は、例えばシーケンス内の受信パラメータの別の（例えば、次の）セットをアクティブ化する（または非アクティブ化する）ことによって、ＭＡＣ  ＣＥがその上で受信された関係するＰＤＳＣＨに対応する受信パラメータのセットをアクティブ化（または非アクティブ化）することができる。
【０２１２】
受信されるシグナリングが、Ｌ３シグナリングである場合があり、ここで、ＷＴＲＵ１０２は、デフォルトセットをアクティブ状態にすることができる、所与のＰＤＳＣＨに関する受信パラメータの１つまたは複数のセットに関する構成を受信することができる。所与のＰＤＳＣＨに関する受信パラメータのデフォルト（またはフォローオン）セットの使用のアクティブ化（または非アクティブ化）は、即座に（例えば、レイヤ１シグナリングの場合）またはおそらくは例えばｋ個のサブフレームの固定された遅延の後に（例えば、レイヤ２／３シグナリングの場合）適用することができる。例えば、サブフレームｎに受信されるレイヤ２シグナリングについて、ＷＴＲＵ１０２は、サブフレームｎ＋ｋ（ｋは、８サブフレームと等しいものとすることができる）からあるいはＭＡＣ  ＣＥが受信されたトランスポートブロックに関するＨＡＲＱ  ＡＣＫの送信の後のサブフレーム内にアクティブ化された（または非アクティブ化された）状態になる受信パラメータのセットを考慮することができる。ＷＴＲＵは、ＨＡＲＱプロセスが成功して完了するまでおよび／または受信される制御シグナリングが新しいデータ送信を示す（例えば、新規データインジケータすなわちＤＣＩフォーマットのＮＤＩフィールドから）まで、所与の進行中のＨＡＲＱプロセスの受信パラメータのフォローオンセットを使用してさらに遅延することができる。
【０２１３】
受信パラメータを決定した後に、プロセスブロック２０６に示されているように、やがて来る調整されたダウンリンク送信を、非サービングセルＣｏＭＰ  Ｔｘポイントを使用してＷＴＲＵ１０２に送信することができる。プロセスブロック３０６に示されているように、非サービングセルＣｏＭＰ  Ｔｘポイントからの調整されたダウンリンク送信を、受信パラメータの決定されたセットを使用してＷＴＲＵ１０２で受信することができる。受信の後に、プロセスブロック２１０に示されているように、受信された調整されたダウンリンク送信を、ＷＴＲＵ１０２によって復号することができる。
【０２１４】
プロセスブロック２１０の後に、プロセス４００は終了することができる。あるいは、プロセス４００を、周期的に、連続的な形で、またはさらなる調整されたダウンリンク送信の発生などの条件の結果としてトリガされた時に、繰り返すことができる。もう１つの代替案として、プロセスブロック２０６、３０６、および２１０を、調整されたダウンリンク送信の追加の受信を引き起こすために、周期的に、連続的な形で、または条件の結果としてトリガされた時に、繰り返すことができる。
【０２１５】
図５は、ＣｏＭＰ送信を実行する一例のプロセス５００を示す流れ図である。プロセス５００を、他のアーキテクチャを使用して実行することもできる。プロセス５００は、同一のデータを用いるＪＰ  ＣｏＭＰ方式（例えば、ＳＦＮ（system frame number）プリコーディングおよび／またはローカル／グローバルプリコーディングを含む）または送信ポイントにまたがって異なるデータを用いるＪＰ  ＣｏＭＰ方式、開ループＪＴ  ＣｏＭＰ、および動的セル選択ベースのＣｏＭＰ方式など、さまざまなＣｏＭＰ方式に適用可能とすることができる。図５のプロセス５００を、解説の簡単さのために図１Ａ〜図１Ｆを参照して説明する。プロセス５００を、他のアーキテクチャを使用して実行することもできる。上記したように、ＤＭ−ＲＳポートインデックスおよびＰＤＳＣＨに使用されるシーケンスを、半静的に（事前に）構成し、またはＰＤＣＣＨを使用して動的にシグナリングすることができる。ある例では、上記で詳述したように、ＷＴＲＵ１０２が、復調のためにＤＭ−ＲＳインデックスおよびシーケンス情報を入手するためにＰＤＣＣＨを復号することができる。
【０２１６】
プロセスブロック５０２に示されているように、ＷＴＲＵ１０２のサービングセルおよび非サービングセルＣｏＭＰ  Ｔｘポイントを、共通のシステムパラメータを用いて構成することができる。共通のシステムパラメータは、例えば、上記で提供された例のいずれかとすることができる。その後、非サービングセルＣｏＭＰ  Ｔｘポイントは、プロセスブロック５０４に示されているように、共通システムパラメータを使用して調整されたダウンリンク送信を生成することができる。
【０２１７】
プロセスブロック５０６に示されているように、非サービングセルＣｏＭＰ  Ｔｘポイントからのやがて来る調整されたダウンリンク送信を受信するためのＷＴＲＵ１０２へのシグナリングに関するシグナリング情報を、ＷＴＲＵ１０２に送信することができる。その後、プロセスブロック５０８に示されているように、シグナリング情報をＷＴＲＵ１０２で受信することができる。その後、ＷＴＲＵ１０２は、やがて来る調整されたダウンリンク送信を受信するための受信パラメータのセットを決定することができる。受信パラメータのセットを、例えば上記で説明したように、調整されたダウンリンク送信を生成するのに共通のシステムパラメータを使用する、非サービングセルＣｏＭＰ  Ｔｘポイント、サービングセル、およびＣｏＭＰ協調セットの他のＴｘポイントを示すシグナリングに基づいて、決定し、かつ／または選択することができる。
【０２１８】
非サービングセルＣｏＭＰ  Ｔｘポイントは、プロセスブロック５１２に示されているように、調整されたダウンリンク送信を送信することができる。その後、ＷＴＲＵ１０２は、プロセスブロック５１４に示されているように、受信パラメータの決定されたセットを使用して、調整されたダウンリンク送信を受信することができる。受信の後に、プロセスブロック５１６に示されているように、受信された調整されたダウンリンク送信を、ＷＴＲＵ１０２によって復号することができる。
【０２１９】
プロセスブロック５１６の後に、プロセス５００は、終了することができる。あるいは、プロセス５００を、周期的に、連続的な形で、またはさらなる調整されたダウンリンク送信の発生などの条件の結果としてトリガされた時に、繰り返すことができる。もう１つの代替案として、プロセスブロック５１２〜５１６を、調整されたダウンリンク送信の追加の受信を引き起こすために、周期的に、連続的な形で、または条件の結果としてトリガされた時に、繰り返すことができる。
【０２２０】
プロセス５００を、ＣｏＭＰ協調セット１８２の各ＣｏＭＰ  Ｔｘポイントについて実行することができる。あるＷＴＲＵの各ＣｏＭＰ  Ｔｘポイントは、共通のＤＭ−ＲＳシーケンスおよびＣｏＭＰ協調セット１８２の他のＴｘと同一のＤＭ−ＲＳポートを使用することができる。
【０２２１】
例えば、各ＣｏＭＰ  Ｔｘポイントの擬似乱数シーケンスジェネレータを、サービングセルシステムパラメータまたはあるいはＣｏＭＰセットシステムパラメータを使用して初期化することができる。後者について、擬似乱数シーケンスジェネレータを、各サブフレームの始めに
【０２２２】
【数３８】
0006039578.tif 000045
【０２２３】
を用いて初期化することができ、ＣｏＭＰセットシステムパラメータを、ＣｏＭＰ協調セットが構成されまたは再構成される時にＷＴＲＵ１０２にシグナリングすることができる。さまざまな実施形態では、
【０２２４】
【数３９】
0006039578.tif 000046
【０２２５】
は、パラメータＸＩＤに対応することができ、ｎＳＣＩＤ＿ＣｏＭＰ ｓｅｔは、パラメータＹＩＤに対応することができる。  
サービングセルシステムパラメータについて、擬似乱数シーケンスジェネレータを、各サブフレームの始めに
【０２２６】
【数４０】
0006039578.tif 000047
【０２２７】
を用いて初期化することができる。さまざまな実施形態では、
【０２２８】
【数４１】
0006039578.tif 000048
【０２２９】
は、パラメータＸＩＤに対応することができ、ｎＳＣＩＤ＿ｓｅｒｖｉｎｇ ｃｅｌｌは、パラメータＹＩＤに対応することができる。サービングセルは、ＣｏＭＰセットが構成される時に、ＣｏＭＰ協調セット１８２の他のＴｘポイントにサービングセルＩＤおよびサブフレームまたは無線フレーム内のタイムスロットインデックスを転送することができる。あるいは、ＣｏＭＰ協調セット１８２のＴｘポイントは、セルプラニングまたは他のシグナリングを介してサービングセルシステムパラメータを獲得することができる。
【０２３０】
ある場合に、ＣｏＭＰ協調セット１８２のＴｘポイントの全てが、無線フレーム内のサブフレームインデックスを同期化している場合があり、これは、ＣｏＭＰ協調セット１８２が、無線フレーム内のサブフレームの情報を交換しないことを可能にする。サービングセルは、全ての結合送信されるＰＤＳＣＨに関連するＤＭ−ＲＳシーケンスに適用されるＤＭ−ＲＳスクランブリングＩＤと、関連するＨＡＲＱプロセスＩＤとを、ＣｏＭＰ協調セットの他のＴｘポイントに転送することができる。この送信は、ＮＢ内ＣｏＭＰの場合にＸ２インターフェースを介して行うことができる。この形で、ＷＴＲＵによる復調を、ＪＴ  ＣｏＭＰが適用されるか否かについてトランスペアレントにすることができる。
【０２３１】
別の実施形態では、ＣｏＭＰ協調セット１８２の各Ｔｘポイントは、例えば異なるＲＥ（routing entity）もしくは時間位置および周波数位置上で、または異なる直交カバー符号を使用する他の送信ポイントに直交なＤＭ−ＲＳポートのセットを使用することができる。ＤＭ−ＲＳポートを、事前に定義することができる。動的ＤＭ−ＲＳポート割当を、使用し、各ＰＤＳＣＨ割当についてＰＤＣＣＨ内でシグナリングすることができる。そのようなシグナリングを、例えばプロセス２００、３００、４００、および５００のいずれかを使用して実行することができる。
【０２３２】
あるいは、事前に定義されたパターンを有するＤＭ−ＲＳポートを、送信ポイントの中で使用して、ＤＬ制御シグナリングオーバーヘッドを節約することができる。事前定義のＤＭ−ＲＳポートパターンを、ＣｏＭＰ協力セットが形成され、かつ／または構成されもしくは再構成される時に、Ｘ２インターフェースを介して送信ポイントの間で指定しまたは確立することができる。例えば、２ＴｘポイントＪＴ  ＣｏＭＰについて、ポート７およびポート８の単純なＤＭ−ＲＳポート使用パターンを、サービングセル内で使用することができ、ポート９およびポート１０を、他の送信ポート内で使用することができる。各Ｔｘポイントは、共通のタイムスロットインデックスおよび共通のセルＩＤ（例えば、ＣｏＭＰセットＩＤ）を使用して、ＤＭ−ＲＳシーケンスの擬似乱数シーケンスジェネレータを初期化することができる。
【０２３３】
あるいは、ＣｏＭＰ協調セットの各Ｔｘポイントは、それ自体のタイムスロットインデックスおよびセルＩＤを使用して、ＤＭ−ＲＳシーケンスの擬似乱数シーケンスジェネレータを初期化することができ、このセル固有情報（例えば、非サービングセルＴｘポイントの相対タイムスロットまたはサブフレームインデックスおよびセルＩＤ）を、ＣｏＭＰ協調セット１８２がＷＴＲＵ１０２について構成されまたは再構成される時に、より上の層のシグナリング（ＲＲＣシグナリングまたはＭＡＣ制御要素ヘッダなど）を介してＷＴＲＵ１０２にシグナリングすることができる。
【０２３４】
ＪＴ  ＣｏＭＰと単一セルＭＩＭＯ動作との間の動的切替を可能にすることができるＴｘモードで構成された後に、ＷＴＲＵ１０２は、（例えば、ＪＴ）ＣｏＭＰ動作をサポートするＰＤＣＣＨフォーマット（以下では「ＣｏＭＰ−ＰＤＣＣＨ」）と、例えばＤＣＩフォーマット１Ａなどの他の適当なフォールバックＰＤＣＣＨフォーマットを、共通の検索空間内およびＷＴＲＵ固有検索空間内で監視することができる。検出される有効なＣｏＭＰ−ＰＤＣＣＨについて、ＷＴＲＵ１０２は、例えば前述のシグナリング情報（例えば、受信されたＤＣＩのＣＣＥインデックスなど）のいずれかに基づいて、（例えば、ＪＴ）ＣｏＭＰが適用されるかどうかの情報を入手することができる。
【０２３５】
（例えば、ＪＴ）ＣｏＭＰが適用される場合に、ＷＴＲＵ１０２は、非サービングセルＴｘポイントの個数（個数が固定されていない場合）および非サービングセルＴｘポイントのそれぞれによって使用されるＤＭ−ＲＳポートに関する情報を入手することができる。ＷＴＲＵ１０２は、非サービングセルＴｘポイントのそれぞれにおいて使用されるＤＭ−ＲＳポートの情報を使用して、対応するＤＭ−ＲＳポート上の各非サービングセルＴｘポイントのチャネル推定を実行することができる。ＷＴＲＵ１０２は、ＲＢ（リソースブロック）割当、ＨＡＲＱプロセス番号、ＭＣＳ、ＮＤＩ、およびＲＶなどの情報を、受信されたＰＤＣＣＨの復号から入手することもできる。ＷＴＲＵ１０２は、この情報を適用して、ＰＤＳＣＨを受信し、復調されたデータをそれ相応に処理する（例えば、復号する）ことができる。
【０２３６】
もう１つの代替案として、ＷＴＲＵ１０２のＣｏＭＰ協調セット１８２の各Ｔｘポイントは、ＣｏＭＰ協調セット１８２の他のＴｘポイントと同一のＤＭ−ＲＳポートを使用することができるが、ＤＭ−ＲＳシーケンスの異なる初期化パラメータを使用することができる。ＣｏＭＰ協調セット１８２のＴｘポイントのそれぞれのＤＭ−ＲＳシーケンスの擬似乱数シーケンスジェネレータを、各サブフレームの始めに、
【０２３７】
【数４２】
0006039578.tif 000049
【０２３８】
において、ＴｘポイントのそれぞれのｎＳＣＩＤを０と等しくすることができるように、それ自体のセル固有システム情報を用いて初期化することができる。このセル固有システム情報（例えば、相対タイムスロットまたはサブフレームインデックスおよび非サービングセルＴｘポイントのセルＩＤ）を、ＣｏＭＰ協調セット１８２がＷＴＲＵ１０２のために構成されまたは再構成される時に、より上の層のシグナリング（ＲＲＣシグナリングまたはＭＡＣ制御要素ヘッダ）を介してＷＴＲＵ１０２にシグナリングすることができる。
【０２３９】
あるいは、各Ｔｘポイントｎは、セルＩＤの代わりのＣｏＭＰセットＩＤおよびＤＭ−ＲＳシーケンスジェネレータの共通タイムスロットインデックスを使用し、｛０，１，  …，Ｎ−１｝の範囲からの一意のｎＳＣＩＤ＝ｎ−１を適用することができる。一実施形態では、ｎＳＣＩＤの範囲を、例えば、ＪＴ  ＣｏＭＰの送信ポイントの個数から導出することができ、明示的にシグナリングされないものとすることができる。あるいは、ｎＳＣＩＤの範囲を、ｎＳＣＩＤ値に関する異なる仮説を用いて共通のＤＭ−ＲＳポートに対するブラインド検出を実行することによって、ＷＴＲＵによって入手することができる。
【０２４０】
受信を容易にするために、ＷＴＲＵ１０２は、（例えば、ＪＴ）ＣｏＭＰと単一セルＭＩＭＯ動作との間の動的切替を可能にするＴｘモードで構成された後に、ＣｏＭＰ−ＰＤＣＣＨおよび他の適当なフォールバックＰＤＣＣＨフォーマット（例えば、フォーマット１Ａ）について、共通の検索空間内およびＷＴＲＵ固有検索空間内で監視することができる。検出される有効なＣｏＭＰ−ＰＤＣＣＨについて、ＷＴＲＵ１０２は、例えば前述のシグナリング情報（例えば、受信されたＤＣＩのＣＣＥインデックスなど）のいずれかに基づいて、ＪＴ  ＣｏＭＰが適用されるかどうかの情報を入手することができる。（例えば、ＪＴ）ＣｏＭＰが適用される場合に、ＷＴＲＵは、非サービングセルＴｘポイントの個数（個数が固定されていない場合）および各Ｔｘポイントによって使用されるＤＭ−ＲＳポートに関する情報を入手することができる。ＷＴＲＵ１０２は、非サービングセルＴｘポイントのそれぞれにおいて使用されるＤＭ−ＲＳポートの情報を使用して、対応するＤＭ−ＲＳポート上の各非サービングセルＴｘポイントのチャネル推定を実行することができる。ＷＴＲＵ１０２は、ＲＢ割当、ＨＡＲＱプロセス番号、ＭＣＳ、ＮＤＩ、およびＲＶなどの情報を、受信されたＰＤＣＣＨの復号から入手することもできる。ＷＴＲＵ１０２は、この情報を適用して、ＰＤＳＣＨを受信し、復調されたデータをそれ相応に処理する（例えば、復号する）ことができる。
【０２４１】
ＤＰＳの一例は、ＣｏＭＰ協調セット内の瞬間的なＴｘポイントのインデックスを示す情報フィールドを有する、ＤＣＩフォーマット１ＧなどのＤＣＩでのダウンリンク割当の使用を含むことができ、このインデックスは、セルＩＤとある無線フレーム内のタイムスロットまたはサブフレームインデックスとの組合せをポイントすることができる。例えば、３セル（またはＴｘポイント）を有するＤＳＰ  ＣｏＭＰについて、ＣｏＭＰセット内の瞬間的なＴｘポイントのインデックスを、１、２、または３とすることができる。
【０２４２】
異なるデータを有するＪＴ  ＣｏＭＰをサポートするのに使用できるＤＣＩフォーマット１Ｇの例の詳細を、表７にリストアップする。
【０２４３】
【表７】
0006039578.tif 000050
【０２４４】
あるいは、ＷＴＲＵ１０２は、ＪＴ  ＣｏＭＰが適用されるかどうかを判定するためにブラインド検出を実行することができる。ＣｏＭＰ協調セット１８２の各Ｔｘポイントの各事前定義のＤＭ−ＲＳポート上で、ＤＭ−ＲＳシーケンスを、セル固有システムパラメータを使用してスクランブルすることができる。次に、ＷＴＲＵ１０２は、潜在的なＴｘポイントの特定のパラメータ、例えばセルＩＤおよび／またはタイムスロットインデックスを使用することによってＤＭ−ＲＳのブラインド検出を実行して、ＤＭ−ＲＳポート上で受信されたＤＭ−ＲＳシーケンスをデスクランブルすることができる。デスクランブルの後に有効なＤＭ−ＲＳシーケンスが検出される場合には、ＷＴＲＵ１０２は、その結果を解釈して、やがて来るＪＴ  ＣｏＭＰダウンリンク送信を受信する。
【０２４５】
１つまたは複数の実施形態では、ＣｏＭＰ協調セット１８２のＴｘポイントは、セル固有システムパラメータを使用して、そのようなＴｘポイント（またはセル）からＰＤＳＣＨを受信するＷＴＲＵ１０２のＤＭ−ＲＳシーケンスを初期化することができる。次では、このＴｘポイント（またはセル）内の非ＣｏＭＰ  ＷＴＲＵが、ＷＴＲＵ１０２など、協調スケジューリングされたＣｏＭＰを備えるＷＴＲＵの存在を検出できるようにするために、様々なプロセスが、効率的なマルチユーザ（ＭＵ）−ＭＩＭＯ動作をサポートするために提供される。これらのプロセスをＭＵ−ＭＩＭＯ検出で使用することができる。
【０２４６】
一実施形態では、ＣｏＭＰ  Ｔｘポイントまたはセルのいずれにおいても、ｅＮＢは、同一のＲＢまたはサブバンド内でＷＴＲＵ１０２への調整されたダウンリンク送信と共に非ＣｏＭＰ  ＷＴＲＵへのダウンリンク送信を協調スケジューリングしてはならない。あるいは、ＣｏＭＰ  Ｔｘポイントまたはセルのいずれにおいても、ｅＮＢは、セル固有セルＩＤおよびタイムスロットインデックスなどの異なるシステムパラメータを用いてそのＤＭ−ＲＳシーケンスが初期化される２つのＷＴＲＵを協調スケジューリングしてはならない。そのようなＷＴＲＵを、時間領域において、例えば異なるサブフレーム内で分離することができる。
【０２４７】
もう１つの実施形態では、ＣｏＭＰセットシステムパラメータを初期化に使用できる場合に、各ＷＴＲＵは、そのような情報をシグナリングされるかこれを用いて構成されるものとすることができるが、そのようなＷＴＲＵのいくつかが、全てのＴＴＩにＣｏＭＰで動作しているのではない場合がある。そのような構成をサポートするために、各非ＣｏＭＰ  ＷＴＲＵは、ＣｏＭＰセットシステムパラメータのＤＭ−ＲＳシーケンス初期化を使用して、他のＤＭ−ＲＳポートまたはシーケンスの１つの余分なブラインド検出を実行することができる。
【０２４８】
あるいは、ＣｏＭＰ協調セット１８２の第１のＴｘポイントのセル固有システムパラメータを、ＷＴＲＵ１０２の第２のＴＸポイントのＤＭ−ＲＳシーケンス初期化に使用できる場合に、第２のＴｘポイントを識別するのに使用できるＣｏＭＰ協調セット内の相対インデックスを、例えばＬ１／Ｌ２専用シグナリングまたはブロードキャストのいずれかを介して、当該の非ＣｏＭＰ  ＷＴＲＵにシグナリングすることができる。この構成をサポートするために、非ＣｏＭＰ  ＷＴＲＵは、第２のＴｘポイントベースのＤＭ−ＲＳシーケンス初期化のセル固有システムパラメータを使用して、他のＤＭ−ＲＳポートまたはシーケンスの１つの余分なブラインド検出を実行することができる。あるいは、第２のＴｘポイントの相対インデックスを、ＷＴＲＵ１０２にシグナリングされないものとすることができる。そうではなく、ＷＴＲＵ１０２を、ＣｏＭＰ協調セット１８２がＷＴＲＵ１０２のために構成されまたは再構成される時に、より上の層のシグナリング（ＲＲＣシグナリングまたはＭＡＣ制御要素ヘッダなど）を介してＴｘポイントのセル固有システムパラメータ（例えば、セルＩＤ、相対タイムスロットインデックス）のセットの全て（または、所与の近接内の全て）の情報を用いて構成することができる。ＣｏＭＰ協調セット１８２内にＫ個のＴｘポイントがある場合に、当該の非ＣｏＭＰ  ＷＴＲＵは、それぞれ潜在的なＴｘポイントベースのＤＭ−ＲＳシーケンス初期化のセル固有システムパラメータのセットを使用して、余分なＫ−１回のブラインド検出を実行することができる。
【０２４９】
ＤＰＳベースのＣｏＭＰ方式について、サービングセルシステムパラメータが、瞬間的な送信ポイントによってＤＭ−ＲＳシーケンス初期化に使用される場合に、瞬間的な送信ポイントによって使用される同一のＤＭ−ＲＳポートを、サービングセル内で使用してはならない。
【０２５０】
さまざまな実施形態で、さまざまなＣｏＭＰ方式について、ＣｏＭＰの動作をサポートし、（例えばＣｏＭＰ）ＷＴＲＵ１０２が受信されたＣｏＭＰ  ＰＤＳＣＨを効率的にデスクランブルすることを可能にするためのＰＤＳＣＨスクランブリングのプロセス。
【０２５１】
上記したように、ＷＴＲＵ１０２を、ＷＴＲＵがＪＴ  ＣｏＭＰと単一セルＭＩＭＯ動作との間で動的に切り替えることを可能にするＴｘモードで構成される時に、ＣｏＭＰ協調セット１８２のＴｘポイントの全てに関するシステムパラメータの共通のセットを用いて構成することができる。そのような構成の使用は、ＰＤＳＣＨスクランブリングがＣｏＭＰの動作をサポートすることを可能にし、ＷＴＲＵ１０２が受信されたＣｏＭＰ  ＰＤＳＣＨを効率的にデスクランブルすることを可能にする。
【０２５２】
もう１つの実施形態では、各ＣｏＭＰ  Ｔｘポイントは、それ自体の一意（例えば、セル固有）のセルＩＤおよび無線フレーム内のタイムスロットインデックスによって初期化されたＰＤＳＣＨスクランブリングシーケンスを有することができる。ＷＴＲＵ１０２にＰＤＳＣＨを結合送信するＫ個のＣｏＭＰ  Ｔｘポイントがあると仮定すると、ＷＴＲＵ１０２は、各セルのスクランブリングシーケンスを使用してＫ回デスクランブルし、その後に組み合わせることができる。
【０２５３】
さまざまな実施形態で、Ｔｘポイントにまたがって異なるデータを有するＪＴ  ＣｏＭＰなど、さまざまなＣｏＭＰ方式について、ＣｏＭＰ協調セット１８２の複数のＴｘポイントにまたがるＨＡＲＱプロセスを容易にし、かつ／または維持するために、さまざまなプロセスが、本明細書で提供される。
【０２５４】
ＨＡＲＱを、Ｔｘポイントにまたがって異なるデータを有するＪＴ  ＣｏＭＰについて実行することができる。ＣｏＭＰ  ｔｘポイントにまたがって異なるデータを有する閉ループＭＩＭＯベースのプリコーディングを使用するＪＴ  ＣｏＭＰについて、例えば、異なるＣｏＭＰ  Ｔｘポイントからのデータブロックを、異なる符号語と考えることができる。ＭＩＭＯベースのプリコーディングは、ローカルプリコーディング、グローバルプリコーディング、およびＭＢＳＦＮ（multicast/broadcast over single frequency network）プリコーディングなどを含む。ＷＴＲＵ１０２に関するＫ個のＴｘポイントを仮定すると、符号語（ＣＷ）の個数を、ＷＴＲＵ１０２の受信アンテナの個数（または標準の最大値制限）によって制限することができる。
【０２５５】
Ｔｘポイントにまたがる異なるデータを有するＪＴ  ＣｏＭＰのＨＡＲＱを、さまざまな例のプロセスを使用して実施することができる。これらのプロセスの１つでは、各Ｔｘポイントは、（例えば、ＪＴ  ＣｏＭＰ）ＷＴＲＵ１０２に関するＨＡＲＱプロセスの独立のセットを維持する。そのような維持は、ネットワーク、例えば各Ｔｘポイントでの柔軟なスケジューリングを可能にすることができるが、ＣｏＭＰ  ＴｘポイントのそれぞれについてＨＡＲＱプロセスの複数のセットを実施するために、ＷＴＲＵ１０２での複雑さを導入する可能性がある。次のＰＤＣＣＨフォーマットを使用して、ＪＴ  ＣｏＭＰをサポートし、ＷＴＲＵ１０２にＰＤＳＣＨ割当をシグナリングすることができる。
【０２５６】
一実施形態では、ＤＣＩフォーマット（本明細書では「ＤＣＩフォーマット２Ｅ」と称する）を使用して、全てのＣｏＭＰ  Ｔｘポイントから送信されるＰＤＳＣＨのパラメータ（例えば、ＭＣＳ、ＤＭ−ＲＳポート、ＨＡＲＱ情報など）の制御情報を伝えることができる。異なるデータを有するＪＴ  ＣｏＭＰをサポートするのに使用できるＤＣＩフォーマット２Ｅの例の詳細を、表８にリストアップする。
【０２５７】
【表８】
0006039578.tif 000051
【０２５８】
ＨＡＲＱプロセス番号およびＣｏＭＰ  Ｔｘポイントのそれぞれから送信されるトランスポートブロックのＭＣＳ情報の例の詳細を、表９にリストアップする。
【０２５９】
【表９】
0006039578.tif 000052
【０２６０】
アンテナポート、スクランブリングアイデンティティ、および層の個数のセルまたはＴｘポイントのシグナリングのそれぞれが、他のセルのシグナリングと独立に符号化される場合に、複数のセルまたはＴｘポイントにまたがるＨＡＲＱプロセスの維持は、表１に従うものとすることができる。
【０２６１】
もう１つの実施形態では、全てのＴｘポイントに関するアンテナポート、スクランブリングＩＤ、および層の個数のシグナリングを結合して符号化することを、実行することができる。というのは、層の総数を、ＷＴＲＵ１０２の受信アンテナの個数によって制限することができるからである。アンテナの個数を、単一のセル／Ｔｘポイント内の層の最大個数によって制限することができる。
【０２６２】
このＰＤＣＣＨ方式は、より大きい検索空間を必要とする可能性があるダウンリンク割当ＰＤＣＣＨのサイズを劇的に増やす可能性がある。より大きい検索空間を容易にするために、少なくとも１つのより大きいアグリゲーションレベルＸ（Ｘ＞８）を、ＷＴＲＵ１０２のＰＤＣＣＨ検索空間に追加することができ、これは、アグリゲーションレベルＬ∈｛１，２，４，８，Ｘ｝で検索空間
【０２６３】
【数４３】
0006039578.tif 000053
【０２６４】
を作成することができる。検索空間
【０２６５】
【数４４】
0006039578.tif 000054
【０２６６】
のＰＤＣＣＨ候補ｍに対応するＣＣＥを、例えば、ＬＴＥと同一の形で、しかしＬのより大きい値を用いて判定することができる。ＷＴＲＵ１０２は、アグリゲーションレベル４および８とオプションのＸとのそれぞれで１つの共通の検索空間を監視し、アグリゲーションレベル１、２、４、８、Ｘのそれぞれで１つのＷＴＲＵ固有検索空間を監視することができる。検索空間を定義するアグリゲーションレベルを表１０にリストアップする。
【０２６７】
【表１０】
0006039578.tif 000055
【０２６８】
示されているように、表１０は、ＷＴＲＵ１０２によって監視できる一例のＰＤＣＣＨ候補をリストアップする。共通の検索空間について、Ｙｋには、２つのアグリゲーションレベルＬ＝４およびＬ＝８について０をセットし、オプションのアグリゲーションレベルＸについても０をセットすることができる。
【０２６９】
送信ポイントにまたがって異なるデータを有するＪＴ  ＣｏＭＰと単一セルＭＩＭＯ動作との間の動的切替を可能にするＴｘモードで構成された後に、ＷＴＲＵ１０２は、ＰＤＣＣＨフォーマット２Ｅおよび他の適当なフォールバックＰＤＣＣＨフォーマット、例えばフォーマット１Ａまたは２Ｃを、上記で定義された共通の検索空間内およびＷＴＲＵ固有検索空間内で監視することができる。有効なＰＤＣＣＨフォーマット２Ｅが検出される場合に、ＷＴＲＵ１０２は、ＰＤＳＣＨのその復調でこのＰＤＣＣＨ割当を適用することができ、他のＰＤＳＣＨ割当を全く処理しないものとすることができる。受信されたＰＤＣＣＨフォーマット２Ｅから、ＷＴＲＵ１０２は、各ＴｘポイントのＨＡＲＱプロセス番号、Ｔｘポイントのそれぞれの各トランスポートブロックのＭＣＳ、ＮＤＩ、およびＲＶ、Ｔｘポイントのそれぞれのアンテナポート、スクランブリングＩＤ、および層の個数の情報を入手することができる。ＷＴＲＵ１０２は、この情報を適用して、セルまたはＴｘポイントごとの各ＨＡＲＱプロセスに関するそのＰＤＳＣＨを復調し、復調されたデータをそれ相応に処理することができる。ある実施形態では、同一の周波数搬送波上でＷＴＲＵ１０２で復調されるＫ個（少なくとも２つ）のＨＡＲＱプロセスがある可能性がある。
【０２７０】
他の代替案では、Ｋ個の別々のＰＤＣＣＨを使用することができ、各ＰＤＣＣＨは、１つのＣｏＭＰセルまたはＴＸポイントのＰＤＳＣＨパラメータをシグナリングすることができる。例えば、２つまでの符号語がＴｘポイントごとに許容される場合に、ＬＴＥ−Ａで定義されるＤＣＩフォーマット２Ｃを使用することができる。１つの符号語だけがＴｘポイントごとに許容される場合に、ＤＣＩフォーマット（本明細書ではＤＣＩフォーマット１Ｅと称する）を使用することができる。異なるデータを有するＪＴ  ＣｏＭＰをサポートするのに使用できるＤＣＩフォーマット１Ｅの例の詳細を表１１にリストアップする。
【０２７１】
【表１１】
0006039578.tif 000056
【０２７２】
あるいは、サービングセル以外の他の送信ポイントに使用されるＰＤＣＣＨフォーマットは、全ての送信ポイントに共通の情報フィールドを含まないことによって、ＤＣＩフォーマット２Ｃまたは１Ｅより少ないペイロードを使用することができ、サービングセルに使用されるＰＤＣＣＨフォーマットは、ＲＢ割当、リソース割当ヘッダ、ＴＰＣ、およびＤＡＩなど、共通の情報フィールドを含まなければならない。
【０２７３】
アンテナポートインデックスおよびスクランブリングアイデンティティのビットフィールドの例の詳細を、表１２にリストアップする。
【０２７４】
【表１２】
0006039578.tif 000057
【０２７５】
前述の使用が、ＷＴＲＵ１０２での高められたＰＤＣＣＨブラインド検出の複雑さを引き起こす可能性がある。ブラインド復号の複雑さを減らすために、同一のＷＴＲＵ１０２に送信されるＫ個のＰＤＣＣＨの間の事前定義の関係を使用することができ、その結果、ＷＴＲＵ１０２は、第１のＰＤＣＣＨを成功して復号した後に、第２のＰＤＣＣＨについてＣＣＥのセットのどのインデックスを復号すべきかを知ることができるようになる。ＷＴＲＵ１０２が、第ｋ（１≦ｋ≦Ｋ）のＰＤＣＣＨを成功して復号する場合に、第ｉ（ｉ≠ｋ）のＰＤＣＣＨのＣＣＥインデックスのセットは、第ｋのＰＤＣＣＨのＣＣＥインデックスのセットの事前定義の関数とすることができる。すなわち、例えば、
【０２７６】
【数４５】
0006039578.tif 000058
【０２７７】
あるいは、第ｉ（ｉ≠ｋ）のＰＤＣＣＨのＣＣＥインデックスのセットを、第ｋのＰＤＣＣＨの第１のＣＣＥのインデックスのセットの事前定義の関数とすることができる。すなわち、例えば、
【０２７８】
【数４６】
0006039578.tif 000059
【０２７９】
送信ポイントにまたがって異なるデータを有するＪＴ  ＣｏＭＰと単一セルＭＩＭＯ動作との間の動的切替を可能にするＴｘモードで構成された後に、ＷＴＲＵ１０２は、ＰＤＣＣＨフォーマット２Ｃまたは１Ｅ（または減らされたペイロードを有する２Ｃ／１Ｅ）および他の適当なＰＤＣＣＨフォーマット、例えばフォーマット１Ａを、共通の検索空間内およびＷＴＲＵ固有検索空間内で監視することができる。ＷＴＲＵは、同一の搬送波上でＫ個までのＰＤＳＣＨ割当を受信し、処理することができる（任意のＴＴＩに周波数搬送波あたり１つのＰＤＳＣＨ割当だけがＷＴＲＵ１０２によって適用され／処理される場合とは異なって）。Ｋ個のＰＤＣＣＨの間の事前定義の関係が適用される場合には、ＷＴＲＵは、式（１５）または（１６）を使用して第１のＰＤＣＣＨを成功して復号した後に、第２のＰＤＣＣＨに関して復号すべきＣＣＥのセットのインデックスがどれであるのかを知ることができる。
【０２８０】
Ｋ個の有効なＰＤＳＣＨ割当を受信し、処理した後に、ＷＴＲＵ１０２は、他のＰＤＳＣＨ割当を全く処理しないものとすることができる。検出される有効なＰＤＣＣＨフォーマット２Ｃまたは１Ｅごとに、ＷＴＲＵ１０２は、各トランスポートブロックのＲＢ割当、ＨＡＲＱプロセス番号、ＭＣＳ、ＮＤＩ、およびＲＶ、対応する送信ポイントのアンテナポート、スクランブリングＩＤ、および層の個数の情報を入手することができる。ＷＴＲＵ１０２は、この情報を適用して、対応する送信ポイントのＨＡＲＱプロセスについてそのＰＤＳＣＨを復調し、復調されたデータをそれ相応に処理することができる。
【０２８１】
あるいは、ＷＴＲＵは、全てのＴｘポイントでのＰＤＳＣＨのサービングセル復調に関して受信されたＰＤＣＣＨ内に含まれる共通のＤＬ関連情報を適用し、そのサービングセルのアップリンクにＴＰＣなどのサービングセルに関して受信されたＰＤＣＣＨ内に含まれる共通のＵＬ関連情報を適用することができる。サービングセルに関して受信されたＰＤＣＣＨ内に含まれる共通のＤＬ関連情報は、ＲＢ割当その他などの情報を含むことができる。同一の周波数搬送波上に、ＷＴＲＵで復調されるＫ個（少なくとも２つ）のＨＡＲＱプロセスがある可能性がある。
【０２８２】
もう１つの代替案では、ＨＡＲＱプロセスの１セットを、（例えば、ＪＴ  ＣｏＭＰ）ＷＴＲＵ１０２の全てのＴｘポイントにまたがって維持することができる。一実施形態では、ＤＣＩフォーマット（本明細書では「ＤＣＩフォーマット２Ｆ」と称する）を使用して、全てのＣｏＭＰ  Ｔｘポイントから送信されるＰＤＳＣＨのパラメータ（例えば、ＭＣＳ、ＤＭ−ＲＳポートなど）の制御情報を伝えることができる。異なるデータを有するＪＴ  ＣｏＭＰをサポートするのに使用できるＤＣＩフォーマット２Ｆの例の詳細を、表１３にリストアップする。
【０２８３】
【表１３】
0006039578.tif 000060
【０２８４】
各Ｔｘポイントから送信される可能性があるトランスポートブロックの例のＭＣＳ、ＮＤＩ、およびＲＶの情報を、表１４にリストアップする。
【０２８５】
【表１４】
0006039578.tif 000061
【０２８６】
アンテナポート、スクランブリングアイデンティティ、および層の個数の各セルまたは各Ｔｘポイントのシグナリングが、他のセルのシグナリングと独立に符号化される場合には、複数のセルまたはＴｘポイントにまたがるＨＡＲＱプロセスの１セットの維持は、表１に従うことができる。
【０２８７】
上記のＰＤＣＣＨ方式に似て、全ての送信ポイントに関するアンテナポート、スクランブリングアイデンティティ、および層の個数のシグナリングを、結合して符号化し、シグナリングすることができる。このＰＤＣＣＨ方式は、上記のＰＤＣＣＨ方式と同一の、ＰＤＣＣＨ検索空間に対する影響を有することができる。
【０２８８】
送信ポイントにまたがって異なるデータを有するＪＴ  ＣｏＭＰと単一セルＭＩＭＯ動作との間の動的切替を可能にするＴｘモードで構成された後に、ＷＴＲＵ１０２は、ＰＤＣＣＨフォーマット２Ｆおよび他の適当なＰＤＣＣＨフォーマット、例えばフォーマット１Ａまたは２Ｃを、上記で定義された共通の検索空間内およびＷＴＲＵ固有検索空間内で監視することができる。有効なＰＤＣＣＨフォーマット２Ｆが検出される場合に、ＷＴＲＵ１０２は、その復調でこのＰＤＳＣＨ割当を適用することができ、他のＰＤＳＣＨ割当を全く処理しないものとすることができる。受信されたＰＤＣＣＨフォーマット２Ｆから、ＷＴＲＵ１０２は、各トランスポートブロックのＭＣＳ、ＮＤＩ、およびＲＶ、各送信ポイントのアンテナポート、スクランブリングアイデンティティ、および層の個数の情報を入手することができる。ＷＴＲＵ１０２は、この情報を適用して、全ての送信ポイントにまたがって１つのＨＡＲＱプロセスについてそのＰＤＳＣＨを復調し、復調されたデータを処理することができる。１つのＨＡＲＱプロセスが、ＬＴＥでの２つまでではなく、２Ｋ個までのトランスポートブロック（または符号語）を含むことができることに留意されたい。
【０２８９】
第２の例の解決策では、Ｋ個の別々のＰＤＣＣＨを使用することができ、各ＰＤＣＣＨは、１つのＣｏＭＰセルまたはＴｘポイントのＰＤＳＣＨパラメータをシグナリングすることができる。例えば、送信ポイントごとに２つまでの符号語が許容される場合に、ＬＴＥ−Ａで定義されたＤＣＩフォーマット２Ｃを使用することができ、送信ポイントごとに１つの符号語だけが許容される場合には、表８で定義されたＤＣＩフォーマット１Ｅを使用することができる。
【０２９０】
あるいは、サービングセル以外の他の送信ポイントに使用されるＰＤＣＣＨフォーマットは、全ての送信ポイントに共通の情報フィールドを含まないことによって、ＤＣＩフォーマット２Ｃまたは１Ｅより少ないペイロードを使用することができ、サービングセルに使用されるＰＤＣＣＨフォーマットは、ＨＡＲＱプロセスＩＤ、ＲＢ割当、リソース割当ヘッダ、ＴＰＣ、およびＤＡＩなど、共通の情報フィールドを含むことができる。
【０２９１】
方法１のＰＤＣＣＨ解決策２に似て、ブラインド復号の複雑さを減らすために、ＷＴＲＵに送信されるＫ個のＰＤＣＣＨ間の事前定義の関係を使用することができ、その結果、ＷＴＲＵは、第１のＰＤＣＣＨを成功して復号した後に、第２のＰＤＣＣＨについてＣＣＥのセットのどのインデックスを復号すべきかを知ることができるようになる。
【０２９２】
送信ポイントにまたがって異なるデータを有するＪＴ  ＣｏＭＰと単一セルＭＩＭＯ動作との間の動的切替を可能にするＴｘモードで構成された後に、ＷＴＲＵは、ＰＤＣＣＨフォーマット２Ｃまたは１Ｅ（または減らされたペイロードを有する２Ｃ／１Ｅ）および他の適当なＰＤＣＣＨフォーマット、例えばフォーマット１Ａを、共通の検索空間内およびＷＴＲＵ固有検索空間内で監視することができる。任意のＴＴＩに周波数搬送波あたり１つのＰＤＳＣＨ割当だけをＷＴＲＵ１０２によって適用し／処理することができるＬＴＥとは異なって、この例では、ＷＴＲＵは、同一の周波数搬送波上でＫ個までのＰＤＳＣＨ割当を受信し、処理することができる。Ｋ個のＰＤＣＣＨの間の事前定義の関係が適用される場合には、ＷＴＲＵは、式（７）または式（８）のルールに従うことによって、第１のＰＤＣＣＨを成功して復号した後に、第２のＰＤＣＣＨに関して復号すべきＣＣＥのセットのインデックスがどれであるのかを知ることができる。Ｋ個の有効なＰＤＳＣＨ割当を受信し、処理した後に、ＷＴＲＵは、他のＰＤＳＣＨ割当を全く処理しないものとすることができる。検出される有効なＰＤＣＣＨフォーマット２Ｃまたは１Ｅごとに、ＷＴＲＵは、各トランスポートブロックのＲＢ割当、ＨＡＲＱプロセス番号、ＭＣＳ、ＮＤＩ、およびＲＶ、対応する送信ポイントのアンテナポート、スクランブリングアイデンティティ、および層の個数の情報を入手することができる。ＷＴＲＵは、この情報を適用して、対応する送信ポイントのＨＡＲＱプロセスについてそのＰＤＳＣＨを復調し、復調されたデータをそれ相応に処理することができる。あるいは、ＷＴＲＵは、全ての送信ポイントでのＰＤＳＣＨの復調に対してサービングセルに関して受信されたＰＤＣＣＨ内に含まれる共通のＤＬ関連情報（ＨＡＲＱプロセスＩＤ、ＲＢ割当、その他など）を適用し、そのサービングセルのアップリンクにサービングセルに関して受信されたＰＤＣＣＨ内に含まれる共通のＵＬ関連情報（ＴＰＣなど）を適用することができる。同一の周波数搬送波上に、ＷＴＲＵで復調されるＫ個（少なくとも２つ）のＨＡＲＱプロセスがある可能性がある。
【０２９３】
ＪＴ−ＰＤＳＣＨに関するタイミング調整を、ＷＴＲＵ１０２の受信器で実行することができる。ＤＭ−ＲＳが、例えば時間領域および周波数領域で直交の、異なるＣｏＭＰ  Ｔｘポイントからの同一のデータを有する結合送信されるＰＤＳＣＨに使用される例では、ＷＴＲＵ１０２は、次の方法を使用して、受信器で異なるＣｏＭＰ  Ｔｘの間のタイミングオフセットを補償することができる。
【０２９４】
副搬送波ｋでＴｘポイントｍから受信されたＤＭ−ＲＳを、次のように表すことができる。
【０２９５】
【数４７】
0006039578.tif 000062
【０２９６】
ここで、（ｍ，τ）はＴｘポイントｍからのタイミングオフセットとすることができ、
【０２９７】
【数４８】
0006039578.tif 000063
【０２９８】
は、タイミングオフセットなしで副搬送波ｋで受信されたＲＳシンボルとすることができ、Ｎは、ＦＦＴポイント数である。従って、Δｋ副搬送波の距離を伴って２つの副搬送波上で受信される信号を、次式として表すことができる。
【０２９９】
【数４９】
0006039578.tif 000064
【０３００】
【数５０】
0006039578.tif 000065
【０３０１】
副搬送波ｋで受信されたＲＳを、次のように展開することができる。
【０３０２】
【数５１】
0006039578.tif 000066
【０３０３】
ここで、
【０３０４】
【数５２】
0006039578.tif 000067
【０３０５】
は、送信されたＲＳシンボルとすることができ、
【０３０６】
【数５３】
0006039578.tif 000068
【０３０７】
は、ＲＳのプリコーダとすることができ、
【０３０８】
【数５４】
0006039578.tif 000069
【０３０９】
は、チャネル情報とすることができる。
【０３１０】
式１８および式１９を使用して、ＷＴＲＵ１０２は、Δｋ副搬送波の距離を有するＲＳの対を使用することによって、タイミングオフセットτを計算することができる。
【０３１１】
【数５５】
0006039578.tif 000070
【０３１２】
【数５６】
0006039578.tif 000071
【０３１３】
なので、これらが同一のＲＢ（またはいくつかのＲＢ）にある場合には、式（２０）を次のように書き変えることができる。
【０３１４】
【数５７】
0006039578.tif 000072
【０３１５】
Δｋが小さい場合には、チャネル係数を、さらに、
【０３１６】
【数５８】
0006039578.tif 000073
【０３１７】
と仮定することができ、従って、式（２１）を、次式として近似することができる。
【０３１８】
【数５９】
0006039578.tif 000074
【０３１９】
ここで、ｃｋ∈
【０３２０】
【数６０】
0006039578.tif 000075
【０３２１】
を、正の数とすることができ、従って、タイミングオフセットτを、次式として推定することができる。
【０３２２】
【数６１】
0006039578.tif 000076
【０３２３】
一般に、よりよい推定を達成するために、式（２２）は、複数の受信されたＲＳの平均をとることができる、すなわち、
【０３２４】
【数６２】
0006039578.tif 000077
【０３２５】
上記の導出は、プリコーダの情報
【０３２６】
【数６３】
0006039578.tif 000078
【０３２７】
に依存しないものとすることができ、
【０３２８】
【数６４】
0006039578.tif 000079
【０３２９】
および既知のＲＳシンボル
【０３３０】
【数６５】
0006039578.tif 000080
【０３３１】
に頼ることができる。
【０３３２】
結論
実施形態の例
一実施形態では、ＣｏＭＰ受信を実行する方法は、ＷＴＲＵで、ＷＴＲＵのサービングセル以外のＴｘポイントからのやがて来るダウンリンク送信を受信するためのＷＴＲＵへのシグナリングに関する情報を受信するステップと、情報に応答して、Ｔｘポイントからのダウンリンク送信を受信するステップとを含むことができる。
【０３３３】
Ｔｘポイントからのダウンリンク送信を受信するステップは、（ｉ）アンテナポートのセットに関する時間領域ＯＦＤＭ（直交周波数分割多重）信号を受信するステップ、（ｉｉ）アンテナポートのセットに関する時間領域ＯＦＤＭ信号をアンテナポートのセットに関する対応する変調シンボルに変換するステップ、（ｉｉｉ）アンテナポートのセットに関する変調シンボルの全てのプリコーディングの復号を実行するステップ、（ｉｖ）アンテナポートのセットに関するデプリコーディングされた変調シンボルをアンテナポートのセットに対応する送信層のセットにマッピングするためにレイヤマッピングを実行するステップ、（ｖ）変調されたシンボルをスクランブルされたビットに復調するステップ、（ｖｉ）スクランブルされたビットを１つまたは複数の符号語の符号化されたビットにデスクランブルするステップ、および（ｖｉｉ）デスクランブルされた符号化されたビットから符号語を形成するステップのうちのいずれかを含むことができる、前の実施形態に記載の方法。
【０３３４】
ＷＴＲＵで、Ｔｘポイントからのやがて来るダウンリンク送信の受信と共に使用するためにパラメータのセットを選択するためのＷＴＲＵへのシグナリングに関する情報を受信するステップをさらに含む、前の実施形態のうちの１つまたは複数に記載の方法。
【０３３５】
Ｔｘポイントからのやがて来るダウンリンク送信を受信するためのＷＴＲＵへのシグナリングに関する情報およびやがて来るダウンリンク送信の受信と共に使用するためにパラメータのセットを選択するためのＷＴＲＵへのシグナリングに関する情報は、同一の情報である、前の実施形態のうちの１つまたは複数に記載の方法。
【０３３６】
Ｔｘポイントからのやがて来るダウンリンク送信の受信と共に使用するためにパラメータのセットを選択するための信号としてやがて来るダウンリンク送信を受信するためのＷＴＲＵへのシグナリングに関する情報を使用するステップをさらに含む、前の実施形態のうちの１つまたは複数に記載の方法。
【０３３７】
パラメータのセットは、アンテナポートのインデックス、リファレンス信号生成のための初期化シーケンスの値、送信モード、およびリファレンス信号シーケンスの初期化と共に使用するためのスクランブリングアイデンティティのうちのいずれかを含む、前の実施形態のうちの１つまたは複数に記載の方法。
【０３３８】
スクランブリングアイデンティティは、物理層より上の層を使用して構成されたスクランブリングアイデンティティ、ＷＴＲＵのアイデンティティ、ＷＴＲＵのＲＮＴＩ、サービングセルのアイデンティティ、Ｔｘポイントのセルのアイデンティティ、およびＣＩＦ（carrier indicator field）のうちのいずれかを含むことができる、前の実施形態のうちの１つまたは複数に記載の方法。
【０３３９】
やがて来るダウンリンク送信を受信するためのＷＴＲＵへのシグナリングに関する情報は、Ｔｘポイントからのやがて来るダウンリンク送信を受信するためにＷＴＲＵに明示的にシグナリングする情報を含むことができる、前の実施形態のうちの１つまたは複数に記載の方法。
【０３４０】
やがて来るダウンリンク送信を受信するためのＷＴＲＵへのシグナリングに関する情報は、Ｔｘポイントからのやがて来るダウンリンク送信を受信するためにＷＴＲＵに暗黙のうちにシグナリングする情報を含むことができる、前の実施形態のうちの１つまたは複数に記載の方法。
【０３４１】
やがて来るダウンリンク送信を受信するためのＷＴＲＵへのシグナリングに関する情報は、やがて来るダウンリンク送信に関連するダウンリンク制御チャネルのブラインド検出によって入手される明示的信号および暗黙の信号のうちのいずれかを含むことができる、前の実施形態のうちの１つまたは複数に記載の方法。
【０３４２】
やがて来るダウンリンク送信を受信するためのＷＴＲＵへのシグナリングに関する情報は、やがて来るダウンリンク送信に関連するダウンリンク制御チャネル上で受信されたＤＣＩの特性を含むことができる、前の実施形態のうちの１つまたは複数に記載の方法。
【０３４３】
やがて来るダウンリンク送信を受信するためのＷＴＲＵへのシグナリングに関する情報は、やがて来るダウンリンク送信に関連するダウンリンク制御チャネル上で復号されたＤＣＩの特性を含むことができる、前の実施形態のうちの１つまたは複数に記載の方法。
【０３４４】
やがて来るダウンリンク送信を受信するためのＷＴＲＵへのシグナリングに関する情報は、（ｉ）やがて来るダウンリンク送信に関連するダウンリンク制御チャネル上で受信されたＤＣＩの特性、および（ｉｉ）やがて来るダウンリンク送信に関連するダウンリンク制御チャネル上で復号されたＤＣＩの特性のうちのいずれかを含むことができる、前の実施形態のうちの１つまたは複数に記載の方法。
【０３４５】
やがて来るダウンリンク送信を受信するためのＷＴＲＵへのシグナリングに関する情報は、（ｉ）やがて来るダウンリンク送信に関連するダウンリンク制御チャネル上で受信されたＤＣＩに関連する情報、および（ｉｉ）受信されたＤＣＩによって参照される情報のうちのいずれかを含むことができる、前の実施形態のうちの１つまたは複数に記載の方法。
【０３４６】
やがて来るダウンリンク送信を受信するためのＷＴＲＵへのシグナリングに関する情報は、（ｉ）やがて来るダウンリンク送信に関連するダウンリンク制御チャネル上で復号されたＤＣＩに関連する情報、（ｉｉ）復号されたＤＣＩ内に含まれる情報、（ｉｉｉ）復号されたＤＣＩによって識別される情報、および（ｉｖ）復号されたＤＣＩによって参照される情報のうちのいずれかを含むことができる、前の実施形態のうちの１つまたは複数に記載の方法。
【０３４７】
やがて来るダウンリンク送信を受信するためのＷＴＲＵへのシグナリングに関する情報は、（ｉ）やがて来るダウンリンク送信に関連するダウンリンク制御チャネル上で受信されたＤＣＩに関連する情報、（ｉｉ）受信されたＤＣＩによって参照される情報、（ｉｉｉ）やがて来るダウンリンク送信に関連するダウンリンク制御チャネル上で復号されたＤＣＩに関連する情報、（ｉｖ）復号されたＤＣＩ内に含まれる情報、（ｖ）復号されたＤＣＩによって識別される情報、および（ｖｉ）復号されたＤＣＩによって参照される情報のうちのいずれかを含むことができる、前の実施形態のうちの１つまたは複数に記載の方法。
【０３４８】
やがて来るダウンリンク送信を受信するためのＷＴＲＵへのシグナリングに関する情報は、やがて来るダウンリンク送信に関連するダウンリンク制御チャネル上で受信されたＤＣＩのリソース割当を含むことができる、前の実施形態のうちの１つまたは複数に記載の方法。
【０３４９】
リソース割当は、ダウンリンク送信に関連するダウンリンク制御チャネルのＣＣＥ（control channel element）のインデックスを含むことができる、前の実施形態のうちの１つまたは複数に記載の方法。
【０３５０】
やがて来るダウンリンク送信を受信するためのＷＴＲＵへのシグナリングに関する情報は、やがて来るダウンリンク送信に関連するダウンリンク制御チャネル上で復号されたＤＣＩ内で示されるダウンリンク送信の物理リソースブロック割当を含むことができる、前の実施形態のうちの１つまたは複数に記載の方法。
【０３５１】
やがて来るダウンリンク送信を受信するためのＷＴＲＵへのシグナリングに関する情報は、ＤＣＩがやがて来るダウンリンク送信に関連するダウンリンク制御チャネル上で受信される、制御チャネル検索空間内のＣＣＥの範囲を含むことができる、前の実施形態のうちの１つまたは複数に記載の方法。
【０３５２】
制御チャネル検索空間は、ＷＴＲＵ固有検索空間および共通の検索空間のうちのいずれかを含むことができる、前の実施形態のうちの１つまたは複数に記載の方法。
【０３５３】
やがて来るダウンリンク送信を受信するためのＷＴＲＵへのシグナリングに関する情報は、ＤＣＩがやがて来るダウンリンク送信に関連するダウンリンク制御チャネル上で受信される制御チャネル検索空間のアイデンティティを含むことができる、前の実施形態のうちの１つまたは複数に記載の方法。
【０３５４】
制御チャネル検索空間は、ＷＴＲＵ固有検索空間および共通の検索空間のうちのいずれかを含むことができる、前の実施形態のうちの１つまたは複数に記載の方法。
【０３５５】
やがて来るダウンリンク送信を受信するためのＷＴＲＵへのシグナリングに関する情報は、ＣｏＭＰ送信について指定されたＲＮＴＩを使用して復号可能である、やがて来るダウンリンク送信に関連するダウンリンク制御チャネル上で受信されたＤＣＩを含むことができる、前の実施形態のうちの１つまたは複数に記載の方法。
【０３５６】
やがて来るダウンリンク送信を受信するためのＷＴＲＵへのシグナリングに関する情報は、やがて来るダウンリンク送信に関連するダウンリンク制御チャネル上で復号されたＤＣＩ内で示されるシグナリングを含むことができる、前の実施形態のうちの１つまたは複数に記載の方法。
【０３５７】
シグナリングは、ＣｏＭＰ送信をシグナリングするための少なくとも１つのビットを含むことができる、前の実施形態のうちの１つまたは複数に記載の方法。
【０３５８】
やがて来るダウンリンク送信を受信するためのＷＴＲＵへのシグナリングに関する情報は、やがて来るダウンリンク送信に関連するダウンリンク制御チャネル上で復号されたＤＣＩのサイズを含むことができる、前の実施形態のうちの１つまたは複数に記載の方法。
【０３５９】
ＤＣＩのサイズは、（ｉ）ＣｏＭＰ送信を示すサイズ、および（ｉｉ）ＣｏＭＰ送信を示さないサイズのうちのいずれかを含むことができる、前の実施形態のうちの１つまたは複数に記載の方法。
【０３６０】
やがて来るダウンリンク送信を受信するためのＷＴＲＵへのシグナリングに関する情報は、Ｔｘポイントおよびサービングセルを含むことができるＣｏＭＰ協調セットの送信ポイントの数を含むことができる、前の実施形態のうちの１つまたは複数に記載の方法。
【０３６１】
やがて来るダウンリンク送信を受信するためのＷＴＲＵへのシグナリングに関する情報は、アンテナポートインデックスを含むことができる、前の実施形態のうちの１つまたは複数に記載の方法。
【０３６２】
ＣｏＭＰ（co-scheduled coordinated multi-point）送信デバイスの存在を検出するステップをさらに含む、前の実施形態のうちの１つまたは複数に記載の方法。
【０３６３】
ＣｏＭＰ送信デバイスのＤＭ−ＲＳシーケンスを初期化するステップをさらに含む、前の実施形態のうちの１つまたは複数に記載の方法。
【０３６４】
ＣｏＭＰ（co-scheduled coordinated multi-point）送信デバイスの存在を検出するステップは、ＭＵ−ＭＩＭＯ動作において実行される、前の実施形態のうちの１つまたは複数に記載の方法。
【０３６５】
ＣｏＭＰ送信デバイスのＤＭ−ＲＳシーケンスを初期化するステップをさらに含む、前の実施形態のうちの１つまたは複数に記載の方法。
【０３６６】
送信（Ｔｘ）ポイントからＰＤＳＣＨを受信するステップをさらに含む、前の実施形態のうちの１つまたは複数に記載の方法。
【０３６７】
やがて来るダウンリンク送信を受信するために使用すべきパラメータのセットを決定するステップをさらに含む、前の実施形態のうちの１つまたは複数に記載の方法。
【０３６８】
やがて来るダウンリンク送信を受信するために使用すべきパラメータのセットを決定するステップは、やがて来るダウンリンク送信に関連するダウンリンク制御チャネル上で受信されたＤＣＩの特性に基づいて、ＷＴＲＵ内でプロビジョニングされるパラメータの複数のセットからパラメータのセットを選択するステップを含むことができる、前の実施形態のうちの１つまたは複数に記載の方法。
【０３６９】
やがて来るダウンリンク送信を受信するために使用すべきパラメータのセットを決定するステップは、やがて来るダウンリンク送信に関連するダウンリンク制御チャネル上で復号されたＤＣＩの特性に基づいて、ＷＴＲＵ内でプロビジョニングされるパラメータの複数のセットからパラメータのセットを選択するステップを含むことができる、前の実施形態のうちの１つまたは複数に記載の方法。
【０３７０】
やがて来るダウンリンク送信を受信するために使用すべきパラメータのセットを決定するステップは、（ｉ）やがて来るダウンリンク送信に関連するダウンリンク制御チャネル上で受信されたＤＣＩの特性、および（ｉｉ）やがて来るダウンリンク送信に関連するダウンリンク制御チャネル上で復号されたＤＣＩの特性のうちのいずれかに基づいて、ＷＴＲＵ内でプロビジョニングされるパラメータの複数のセットからパラメータのセットを選択するステップを含みうる、前の実施形態のうちの１つまたは複数に記載の方法。
【０３７１】
やがて来るダウンリンク送信を受信するために使用すべきパラメータのセットを決定するステップは、（ｉ）やがて来るダウンリンク送信に関連するダウンリンク制御チャネル上で受信されたＤＣＩに関連する情報、および（ｉｉ）受信されたＤＣＩによって参照される情報のうちのいずれかに基づいて、ＷＴＲＵ内でプロビジョニングされるパラメータの複数のセットからパラメータのセットを選択するステップを含むことができる、前の実施形態のうちの１つまたは複数に記載の方法。
【０３７２】
やがて来るダウンリンク送信を受信するために使用すべきパラメータのセットを決定するステップは、（ｉ）やがて来るダウンリンク送信に関連するダウンリンク制御チャネル上で復号されたＤＣＩに関連する情報、（ｉｉ）復号されたＤＣＩ内に含まれる情報、（ｉｉｉ）復号されたＤＣＩによって識別される情報、および（ｉｖ）復号されたＤＣＩによって参照される情報のうちのいずれかに基づいて、ＷＴＲＵ内でプロビジョニングされるパラメータの複数のセットからパラメータのセットを選択するステップを含むことができる、前の実施形態のうちの１つまたは複数に記載の方法。
【０３７３】
やがて来るダウンリンク送信を受信するために使用すべきパラメータのセットを決定するステップは、（ｉ）やがて来るダウンリンク送信に関連するダウンリンク制御チャネル上で受信されたＤＣＩに関連する情報、（ｉｉ）受信されたＤＣＩによって参照される情報、（ｉｉｉ）やがて来るダウンリンク送信に関連するダウンリンク制御チャネル上で復号されたＤＣＩに関連する情報、（ｉｖ）復号されたＤＣＩ内に含まれる情報、（ｖ）復号されたＤＣＩによって識別される情報、および（ｖｉ）復号されたＤＣＩによって参照される情報のうちのいずれかに基づいて、ＷＴＲＵ内でプロビジョニングされるパラメータの複数のセットからパラメータのセットを選択するステップを含むことができる、前の実施形態のうちの１つまたは複数に記載の方法。
【０３７４】
やがて来るダウンリンク送信を受信するために使用すべきパラメータのセットを決定するステップは、やがて来るダウンリンク送信に関連するダウンリンク制御チャネル上で受信されたＤＣＩのリソース割当に少なくとも部分的に基づいてパラメータのセットを決定するステップを含むことができる、前の実施形態のうちの１つまたは複数に記載の方法。
【０３７５】
やがて来るダウンリンク送信を受信するために使用すべきパラメータのセットを決定するステップは、やがて来るダウンリンク送信に関連するダウンリンク制御チャネル上で復号されたＤＣＩ内で示される物理リソースブロック割当に少なくとも部分的に基づいてパラメータのセットを決定するステップを含むことができる、前の実施形態のうちの１つまたは複数に記載の方法。
【０３７６】
やがて来るダウンリンク送信を受信するために使用すべきパラメータのセットを決定するステップは、ＤＣＩがやがて来るダウンリンク送信に関連するダウンリンク制御チャネル上で受信される物理ダウンリンク制御チャネル検索空間に少なくとも部分的に基づいてパラメータのセットを決定するステップを含むことができる、前の実施形態のうちの１つまたは複数に記載の方法。
【０３７７】
やがて来るダウンリンク送信を受信するために使用すべきパラメータのセットを決定するステップは、やがて来るダウンリンク送信に関連するダウンリンク制御チャネル上で受信されたＤＣＩを復号するのに使用されるＲＮＴＩに少なくとも部分的に基づいてパラメータのセットを決定するステップを含むことができる、前の実施形態のうちの１つまたは複数に記載の方法。
【０３７８】
やがて来るダウンリンク送信を受信するために使用すべきパラメータのセットを決定するステップは、やがて来るダウンリンク送信に関連するダウンリンク制御チャネル上で復号されたＤＣＩ内で示されるシグナリングに少なくとも部分的に基づいてパラメータのセットを決定するステップを含むことができる、前の実施形態のうちの１つまたは複数に記載の方法。
【０３７９】
シグナリングは、やがて来るダウンリンク送信をシグナリングするための少なくとも１つのビットを含むことができる、前の実施形態のうちの１つまたは複数に記載の方法。
【０３８０】
シグナリングは、Ｔｘポイントおよびサービングセルを含むことができるＣｏＭＰ協調セットのＴｘポイントの数をシグナリングするための少なくとも１つのビットを含むことができる、前の実施形態のうちの１つまたは複数に記載の方法。
【０３８１】
シグナリングは、アンテナポートインデックスをシグナリングするための少なくとも１つのビットを含むことができる、前の実施形態のうちの１つまたは複数に記載の方法。
【０３８２】
アンテナポートインデックスは、（ｉ）全てのデータに関するアンテナポートインデックス、（ｉｉ）各符号語に関するアンテナポートインデックス、（ｉｉｉ）Ｔｘポイントおよびサービングセルを含むＣｏＭＰ協調セットの各Ｔｘポイントに関するアンテナポートインデックス、（ｉｖ）ＣｏＭＰ協調セットに関するアンテナポートインデックスのうちのいずれかを含むことができる、前の実施形態のうちの１つまたは複数に記載の方法。
【０３８３】
やがて来るダウンリンク送信を受信するために使用すべきパラメータのセットを決定するステップは、やがて来るダウンリンク送信に関連するダウンリンク制御チャネル上で復号されたＤＣＩのサイズに少なくとも部分的に基づいてパラメータのセットを決定するステップを含むことができる、前の実施形態のうちの１つまたは複数に記載の方法。
【０３８４】
ＤＣＩのサイズは、（ｉ）ＣｏＭＰ送信を示すサイズ、および（ｉｉ）ＣｏＭＰ送信を示さないサイズのうちのいずれかを含むことができる、前の実施形態のうちの１つまたは複数に記載の方法。
【０３８５】
やがて来るダウンリンク送信を受信するために使用すべきパラメータのセットを決定するステップは、アンテナポートインデックスに少なくとも部分的に基づいてパラメータのセットを決定するステップを含むことができる、前の実施形態のうちの１つまたは複数に記載の方法。
【０３８６】
やがて来るダウンリンク送信を受信するために使用すべきパラメータのセットを決定するステップは、やがて来るダウンリンク送信に関連するダウンリンク制御チャネル上で復号されたＤＣＩ内でシグナリングされたアンテナポートインデックスに少なくとも部分的に基づいてパラメータのセットを決定するステップを含むことができる、前の実施形態のうちの１つまたは複数に記載の方法。
【０３８７】
やがて来るダウンリンク送信を受信するために使用すべきパラメータのセットを決定するステップは、サブフレームタイプに少なくとも部分的に基づいてパラメータのセットを決定するステップを含むことができる、前の実施形態のうちの１つまたは複数に記載の方法。
【０３８８】
やがて来るダウンリンク送信を受信するために使用すべきパラメータのセットを決定するステップは、タイミング情報に少なくとも部分的に基づいてパラメータのセットを決定するステップを含むことができる、前の実施形態のうちの１つまたは複数に記載の方法。
【０３８９】
やがて来るダウンリンク送信を受信するために使用すべきパラメータのセットを決定するステップは、やがて来るダウンリンク送信のＰＤＳＣＨの搬送波周波数に少なくとも部分的に基づいてパラメータのセットを決定するステップを含むことができる、前の実施形態のうちの１つまたは複数に記載の方法。
【０３９０】
やがて来るダウンリンク送信を受信するために使用すべきパラメータのセットを決定するステップは、搬送波インデックスに少なくとも部分的に基づいてパラメータのセットを決定するステップを含むことができる、前の実施形態のうちの１つまたは複数に記載の方法。
【０３９１】
やがて来るダウンリンク送信を受信するために使用すべきパラメータのセットを決定するステップは、セルインデックスに少なくとも部分的に基づいてパラメータのセットを決定するステップを含むことができる、前の実施形態のうちの１つまたは複数に記載の方法。
【０３９２】
やがて来るダウンリンク送信を受信するために使用すべきパラメータのセットを決定するステップは、Ｔｘポイントおよびサービングセルを含むことができるＣｏＭＰ協調セットの送信ポイントの数に少なくとも部分的に基づいてパラメータのセットを決定するステップを含むことができる、前の実施形態のうちの１つまたは複数に記載の方法。
【０３９３】
やがて来るダウンリンク送信は、ＷＴＲＵのＰＤＳＣＨを含むことができ、やがて来るダウンリンク送信を受信するために使用すべきパラメータのセットを決定するステップは、ＷＴＲＵのＰＤＳＣＨを受信するためのパラメータのセットを決定するステップを含むことができ、Ｔｘポイントからダウンリンク送信を受信するステップは、パラメータの決定されたセットを使用してＷＴＲＵのＰＤＳＣＨを受信するステップを含むことができる、前の実施形態のうちの１つまたは複数に記載の方法。
【０３９４】
やがて来るダウンリンク送信は、ＷＴＲＵのＰＤＳＣＨを含むことができ、Ｔｘポイントからダウンリンク送信を受信するステップは、ＷＴＲＵのＰＤＳＣＨを受信するステップを含むことができる、前の実施形態のうちの１つまたは複数に記載の方法。
【０３９５】
一実施形態では、ＷＴＲＵ（無線送信／受信ユニット）は、受信器およびプロセッサを含むことができ、受信器は、ＷＴＲＵのサービングセル以外の送信（Ｔｘ）ポイントからのやがて来るダウンリンク送信を受信するためのＷＴＲＵへのシグナリングに関する情報を受信し、Ｔｘポイントからのダウンリンク送信を受信するように適合され、プロセッサは、情報を処理し、Ｔｘポイントからダウンリンク送信を受信するように受信器に指示するように適合される。
【０３９６】
受信器は、Ｔｘポイントからのやがて来るダウンリンク送信の受信のために使用するためのパラメータのセットを選択するためのＷＴＲＵへのシグナリングに関する情報を受信するようにさらに適合される、前の実施形態に記載のＷＴＲＵ。
【０３９７】
Ｔｘポイントからのやがて来るダウンリンク送信を受信するためのＷＴＲＵへのシグナリングに関する情報およびやがて来るダウンリンク送信の受信のために使用するためのパラメータのセットを選択するためのＷＴＲＵへのシグナリングに関する情報は、同一の情報である、前の実施形態のうちの１つまたは複数に記載のＷＴＲＵ。
【０３９８】
プロセッサは、やがて来るダウンリンク送信の受信のために使用するためのパラメータのセットを選択するための信号としてＴｘポイントからのやがて来るダウンリンク送信を受信するためのＷＴＲＵへのシグナリングに関する情報を使用し、やがて来るダウンリンク送信の受信のために使用するためのパラメータのセットを受信器に提供するようにさらに適合される、前の実施形態のうちの１つまたは複数に記載のＷＴＲＵ。
【０３９９】
パラメータのセットは、アンテナポートのインデックス、リファレンス信号生成のための初期化シーケンスの値、送信モード、およびリファレンス信号シーケンスの初期化と共に使用するためのスクランブリングアイデンティティのうちのいずれかを含む、前の実施形態のうちの１つまたは複数に記載のＷＴＲＵ。
【０４００】
スクランブリングアイデンティティは、物理層より上の層を使用して構成されたスクランブリングアイデンティティ、ＷＴＲＵのアイデンティティ、ＲＮＴＩ、サービングセルのアイデンティティ、およびＣＩＦのうちのいずれかを含むことができる、前の実施形態のうちの１つまたは複数に記載のＷＴＲＵ。
【０４０１】
やがて来るダウンリンク送信を受信するためのＷＴＲＵへのシグナリングに関する情報は、やがて来るダウンリンク送信を受信するためにＷＴＲＵに明示的にシグナリングする情報を含むことができる、前の実施形態のうちの１つまたは複数に記載のＷＴＲＵ。
【０４０２】
やがて来るダウンリンク送信を受信するためのＷＴＲＵへのシグナリングに関する情報は、やがて来るダウンリンク送信を受信するためにＷＴＲＵに暗黙のうちにシグナリングする情報を含むことができる、前の実施形態のうちの１つまたは複数に記載のＷＴＲＵ。
【０４０３】
やがて来るダウンリンク送信を受信するためのＷＴＲＵへのシグナリングに関する情報は、やがて来るダウンリンク送信に関連するダウンリンク制御チャネルのブラインド検出によって入手される明示的信号および暗黙の信号のうちのいずれかを含むことができる、前の実施形態のうちの１つまたは複数に記載のＷＴＲＵ。
【０４０４】
一実施形態では、ＣｏＭＰ受信を実行する方法は、ＷＴＲＵで、ＷＴＲＵのサービングセル以外のＴｘポイントからのやがて来るダウンリンク送信を受信するためのＷＴＲＵへのシグナリングに関する情報を受信するステップと、ＷＴＲＵで、受信された情報に少なくとも部分的に基づいて、Ｔｘポイントからのやがて来るダウンリンク送信を受信するために使用すべきパラメータのセットを決定するステップと、パラメータの決定されたセットを使用して、Ｔｘポイントからのダウンリンク送信を受信するステップとを含むことができる。
【０４０５】
パラメータの決定されたセットは、アンテナポートのインデックス、リファレンス信号生成のための初期化シーケンスの値、送信モード、およびリファレンス信号シーケンスの初期化と共に使用するためのスクランブリングアイデンティティのうちのいずれかを含む、前の実施形態に記載の方法。
【０４０６】
スクランブリングアイデンティティは、物理層より上の層を使用して構成されたスクランブリングアイデンティティ、ＷＴＲＵのアイデンティティ、ＲＮＴＩ、サービングセルのアイデンティティ、およびＣＩＦのうちのいずれかを含むことができる、前の実施形態のうちの１つまたは複数に記載の方法。
【０４０７】
やがて来るダウンリンク送信を受信するためのＷＴＲＵへのシグナリングに関する情報は、やがて来るダウンリンク送信を受信するためにＷＴＲＵに明示的にシグナリングする情報を含むことができる、前の実施形態のうちの１つまたは複数に記載の方法。
【０４０８】
やがて来るダウンリンク送信を受信するためのＷＴＲＵへのシグナリングに関する情報は、やがて来るダウンリンク送信を受信するためにＷＴＲＵに暗黙のうちにシグナリングする情報を含むことができる、前の実施形態のうちの１つまたは複数に記載の方法。
【０４０９】
やがて来るダウンリンク送信を受信するためのＷＴＲＵへのシグナリングに関する情報は、やがて来るダウンリンク送信に関連するダウンリンク制御チャネルのブラインド検出によって入手される明示的信号および暗黙の信号のうちのいずれかを含むことができる、前の実施形態のうちの１つまたは複数に記載の方法。
【０４１０】
やがて来るダウンリンク送信を受信するためのＷＴＲＵへのシグナリングに関する情報は、やがて来るダウンリンク送信に関連するダウンリンク制御チャネル上で復号されたＤＣＩのリソース割当を含むことができる、前の実施形態のうちの１つまたは複数に記載の方法。
【０４１１】
リソース割当は、ダウンリンク送信に関連するダウンリンク制御チャネルのＣＣＥへのインデックスを含むことができる、前の実施形態のうちの１つまたは複数に記載の方法。
【０４１２】
やがて来るダウンリンク送信を受信するためのＷＴＲＵへのシグナリングに関する情報は、やがて来るダウンリンク送信に関連するダウンリンク制御チャネル上で復号されたＤＣＩ内で示される物理リソースブロック割当を含むことができる、前の実施形態のうちの１つまたは複数に記載の方法。
【０４１３】
やがて来るダウンリンク送信を受信するためのＷＴＲＵへのシグナリングに関する情報は、ＤＣＩがやがて来るダウンリンク送信に関連するダウンリンク制御チャネル上で受信される、制御チャネル検索空間内のＣＣＥの範囲を含むことができる、前の実施形態のうちの１つまたは複数に記載の方法。
【０４１４】
制御チャネル検索空間は、ＷＴＲＵ固有検索空間および共通の検索空間のうちのいずれかを含むことができる、前の実施形態のうちの１つまたは複数に記載の方法。
【０４１５】
やがて来るダウンリンク送信を受信するためのＷＴＲＵへのシグナリングに関する情報は、ＤＣＩがやがて来るダウンリンク送信に関連するダウンリンク制御チャネル上で受信される制御チャネル検索空間のアイデンティティを含むことができる、前の実施形態のうちの１つまたは複数に記載の方法。
【０４１６】
制御チャネル検索空間は、ＷＴＲＵ固有検索空間および共通の検索空間のうちのいずれかを含むことができる、前の実施形態のうちの１つまたは複数に記載の方法。
【０４１７】
やがて来るダウンリンク送信を受信するためのＷＴＲＵへのシグナリングに関する情報は、ＣｏＭＰ送信について指定されたＲＮＴＩを使用して復号可能である、やがて来るダウンリンク送信に関連するダウンリンク制御チャネル上で受信されたＤＣＩを含むことができる、前の実施形態のうちの１つまたは複数に記載の方法。
【０４１８】
やがて来るダウンリンク送信を受信するために使用すべきパラメータのセットを決定するステップは、ＣｏＭＰ送信のために指定されたＲＮＴＩに少なくとも部分的に基づいてパラメータのセットを決定するステップを含むことができる、前の実施形態のうちの１つまたは複数に記載の方法。
【０４１９】
やがて来るダウンリンク送信を受信するためのＷＴＲＵへのシグナリングに関する情報は、やがて来るダウンリンク送信に関連するダウンリンク制御チャネル上で復号されたＤＣＩ内で示されるシグナリングを含むことができる、前の実施形態のうちの１つまたは複数に記載の方法。
【０４２０】
シグナリングは、やがて来るダウンリンク送信をシグナリングするための少なくとも１つのビットを含むことができる、前の実施形態のうちの１つまたは複数に記載の方法。
【０４２１】
やがて来るダウンリンク送信を受信するためのＷＴＲＵへのシグナリングに関する情報は、やがて来るダウンリンク送信に関連するダウンリンク制御チャネル上で復号されたＤＣＩのサイズを含むことができる、前の実施形態のうちの１つまたは複数に記載の方法。
【０４２２】
ＤＣＩのサイズは、（ｉ）ＣｏＭＰ送信を示すサイズ、および（ｉｉ）ＣｏＭＰ送信を示さないサイズのうちのいずれかを含むことができる、前の実施形態のうちの１つまたは複数に記載の方法。
【０４２３】
やがて来るダウンリンク送信を受信するためのＷＴＲＵへのシグナリングに関する情報は、Ｔｘポイントおよびサービングセルを含むことができるＣｏＭＰ協調セットの送信ポイントの数を含むことができる、前の実施形態のうちの１つまたは複数に記載の方法。
【０４２４】
やがて来るダウンリンク送信を受信するためのＷＴＲＵへのシグナリングに関する情報は、アンテナポートインデックスを含むことができる、前の実施形態のうちの１つまたは複数に記載の方法。
【０４２５】
ＣｏＭＰ（co-scheduled coordinated multi-point）送信デバイスの存在を検出するステップをさらに含む、前の実施形態のうちの１つまたは複数に記載の方法。
【０４２６】
ＣｏＭＰ送信デバイスのＤＭ−ＲＳシーケンスを初期化するステップをさらに含む、前の実施形態のうちの１つまたは複数に記載の方法。
【０４２７】
ＣｏＭＰ（co-scheduled coordinated multi-point）送信デバイスの存在を検出するステップは、ＭＵ−ＭＩＭＯ動作において実行される、前の実施形態のうちの１つまたは複数に記載の方法。
【０４２８】
ＣｏＭＰ送信デバイスのＤＭ−ＲＳシーケンスを初期化するステップをさらに含む、前の実施形態のうちの１つまたは複数に記載の方法。
【０４２９】
送信（Ｔｘ）ポイントからＰＤＳＣＨを受信するステップをさらに含む、前の実施形態のうちの１つまたは複数に記載の方法。
【０４３０】
やがて来るダウンリンク送信を受信するためのＷＴＲＵへのシグナリングに関する情報は、サブフレームタイプを含むことができる、前の実施形態のうちの１つまたは複数に記載の方法。
【０４３１】
やがて来るダウンリンク送信を受信するためのＷＴＲＵへのシグナリングに関する情報は、タイミング情報を含むことができる、前の実施形態のうちの１つまたは複数に記載の方法。
【０４３２】
やがて来るダウンリンク送信を受信するためのＷＴＲＵへのシグナリングに関する情報は、やがて来るダウンリンク送信のＰＤＳＣＨの搬送波周波数を含むことができる、前の実施形態のうちの１つまたは複数に記載の方法。
【０４３３】
やがて来るダウンリンク送信を受信するためのＷＴＲＵへのシグナリングに関する情報は、搬送波インデックスを含むことができる、前の実施形態のうちの１つまたは複数に記載の方法。
【０４３４】
やがて来るダウンリンク送信を受信するためのＷＴＲＵへのシグナリングに関する情報は、セルインデックスを含むことができる、前の実施形態のうちの１つまたは複数に記載の方法。
【０４３５】
やがて来るダウンリンク送信を受信するためのＷＴＲＵへのシグナリングに関する情報は、Ｔｘポイントおよびサービングセルを含むことができるＣｏＭＰ協調セットの送信ポイントの数を含むことができる、前の実施形態のうちの１つまたは複数に記載の方法。
【０４３６】
やがて来るダウンリンク送信は、ＷＴＲＵのＰＤＳＣＨを含むことができ、やがて来るダウンリンク送信を受信するために使用すべきパラメータのセットを決定するステップは、ＷＴＲＵのＰＤＳＣＨを受信するためのパラメータのセットを決定するステップを含むことができ、Ｔｘポイントからダウンリンク送信を受信するステップは、パラメータの決定されたセットを使用してＷＴＲＵのＰＤＳＣＨを受信するステップを含むことができる、前の実施形態のうちの１つまたは複数に記載の方法。
【０４３７】
やがて来るダウンリンク送信は、ＷＴＲＵのＰＤＳＣＨを含むことができ、Ｔｘポイントからダウンリンク送信を受信するステップは、ＷＴＲＵのＰＤＳＣＨを受信するステップを含むことができる、前の実施形態のうちの１つまたは複数に記載の方法。
【０４３８】
一実施形態では、ＷＴＲＵは、受信器およびプロセッサを含むことができ、受信器は、ＷＴＲＵのサービングセル以外のＴｘポイントからのやがて来るダウンリンク送信を受信するためのＷＴＲＵへのシグナリングに関する情報を受信し、Ｔｘポイントからのダウンリンク送信を受信するように適合され、プロセッサは、受信された情報に少なくとも部分的に基づいて、Ｔｘポイントからのやがて来るダウンリンク送信を受信するために使用すべきパラメータのセットを決定し、パラメータの決定されたセットを使用してＴｘポイントからのダウンリンク送信を受信するように受信器に指示するように適合される。
【０４３９】
パラメータの決定されたセットは、アンテナポートのインデックス、リファレンス信号生成のための初期化シーケンスの値、送信モード、およびリファレンス信号シーケンスの初期化と共に使用するためのスクランブリングアイデンティティのうちのいずれかを含む、前の実施形態に記載のＷＴＲＵ。
【０４４０】
スクランブリングアイデンティティは、物理層より上の層を使用して構成されたスクランブリングアイデンティティ、ＷＴＲＵのアイデンティティ、ＲＮＴＩ、サービングセルのアイデンティティ、およびＣＩＦのうちのいずれかを含むことができる、前の実施形態のうちの１つまたは複数に記載のＷＴＲＵ。
【０４４１】
やがて来るダウンリンク送信を受信するためのＷＴＲＵへのシグナリングに関する情報は、やがて来るダウンリンク送信を受信するためにＷＴＲＵに明示的にシグナリングする情報を含むことができる、前の実施形態のうちの１つまたは複数に記載のＷＴＲＵ。
【０４４２】
やがて来るダウンリンク送信を受信するためのＷＴＲＵへのシグナリングに関する情報は、やがて来るダウンリンク送信を受信するためにＷＴＲＵに暗黙のうちにシグナリングする情報を含むことができる、前の実施形態のうちの１つまたは複数に記載のＷＴＲＵ。
【０４４３】
やがて来るダウンリンク送信を受信するためのＷＴＲＵへのシグナリングに関する情報は、やがて来るダウンリンク送信に関連するダウンリンク制御チャネルのブラインド検出によって入手される明示的信号および暗黙の信号のうちのいずれかを含むことができる、前の実施形態のうちの１つまたは複数に記載のＷＴＲＵ。
【０４４４】
ネットワーク側からの方法請求項。  
一実施形態では、ＣｏＭＰ送信を実行する方法は、Ｔｘポイントのシステムパラメータのセットを使用してＷＴＲＵのサービングセル以外のＴｘポイントでダウンリンク送信を生成するステップと、Ｔｘポイントからのダウンリンク送信を受信するためのＷＴＲＵへのシグナリングに関する情報をサービングセルから送信するステップと、ダウンリンク送信をＴｘポイントからＷＴＲＵへ送信するステップとを含むことができる。
【０４４５】
Ｔｘポイントからのダウンリンク送信の受信のために使用すべきパラメータのセットを選択するためのＷＴＲＵへのシグナリングに関する情報を送信するステップをさらに含む、前の実施形態に記載の方法。
【０４４６】
ダウンリンク送信を受信するためのＷＴＲＵへのシグナリングに関する情報およびダウンリンク送信の受信のために使用すべきパラメータのセットを選択するためのＷＴＲＵへのシグナリングに関する情報は、同一の情報である、前の実施形態のうちの１つまたは複数に記載の方法。
【０４４７】
一実施形態では、システムは、ＷＴＲＵのサービングセルおよびサービングセル以外のＴｘポイントを含むことができ、Ｔｘポイントは、Ｔｘポイントのシステムパラメータのセットを使用してダウンリンク送信を生成し、ダウンリンク送信をＷＴＲＵへ送信するように構成され、サービングセルは、Ｔｘポイントからのダウンリンク送信を受信するためのＷＴＲＵへのシグナリングに関する情報を送信するように構成される。
【０４４８】
サービングセルは、ダウンリンク送信の受信のために使用すべきパラメータのセットを選択するためのＷＴＲＵへのシグナリングに関する情報を送信するようにさらに構成される、前の実施形態に記載のシステム。
【０４４９】
ＣｏＭＰダウンリンク送信を受信するためのＷＴＲＵへのシグナリングに関する情報およびＣｏＭＰダウンリンク送信の受信のために使用すべきパラメータのセットを選択するためのＷＴＲＵへのシグナリングに関する情報は、同一の情報である、前の実施形態のうちの１つまたは複数に記載のシステム。
【０４５０】
一実施形態では、方法は、Ｔｘポイントおよびサービングセルに共通のシステムパラメータのセットを使用してＷＴＲＵのサービングセル以外のＴｘポイントでダウンリンク送信を生成するステップと、ダウンリンク送信をＴｘポイントからＷＴＲＵへ送信するステップとを含むことができる。
【０４５１】
システムパラメータのセットをＴｘポイントにプロビジョニングするステップをさらに含む、前の実施形態に記載の方法。
【０４５２】
システムパラメータのセットをＴｘポイントにプロビジョニングするステップは、Ｔｘポイントおよびサービングセルを含むＣｏＭＰ協調セットを構成するステップをさらに含む、前の実施形態のうちの１つまたは複数に記載の方法。
【０４５３】
システムパラメータのセットは、サービングセルのシステムパラメータのセットを含むことができる、前の実施形態のうちの１つまたは複数に記載の方法。
【０４５４】
システムパラメータのセットをＴｘポイントにプロビジョニングするステップは、サービングセルから送信されるサービングセルのシステムパラメータのセットをＴｘポイントにプロビジョニングするステップをさらに含む、前の実施形態のうちの１つまたは複数に記載の方法。
【０４５５】
システムパラメータのセットをサービングセルにプロビジョニングするステップをさらに含む、前の実施形態のうちの１つまたは複数に記載の方法。
【０４５６】
ダウンリンク送信を受信するためのＷＴＲＵへのシグナリングに関する情報を送信するステップをさらに含む、前の実施形態のうちの１つまたは複数に記載の方法。
【０４５７】
ダウンリンク送信を受信するためのＷＴＲＵへのシグナリングに関する情報をサービングセルから送信するステップをさらに含む、前の実施形態のうちの１つまたは複数に記載の方法。
【０４５８】
ダウンリンク送信は、第１のダウンリンク送信および第２のダウンリンク送信を含む結合送信（ＪＴ）ＣｏＭＰ送信であり、ダウンリンク送信を送信するステップは、第１のダウンリンク送信および第２のダウンリンク送信をそれぞれＴｘポイントおよびサービングセルからＷＴＲＵに送信するステップを含むことができる、前の実施形態のうちの１つまたは複数に記載の方法。
【０４５９】
第１のダウンリンク送信および第２のダウンリンク送信を受信するためのＷＴＲＵへのシグナリングに関する情報を送信するステップをさらに含む、前の実施形態のうちの１つまたは複数に記載の方法。
【０４６０】
第１のダウンリンク送信および第２のダウンリンク送信を受信するためのＷＴＲＵへのシグナリングに関する情報をサービングセルから送信するステップをさらに含む、前の実施形態のうちの１つまたは複数に記載の方法。
【０４６１】
システムパラメータのセットは、ダウンリンク送信のスクランブリングと共に使用するためのシステムパラメータのセットを含むことができる、前の実施形態のうちの１つまたは複数に記載の方法。
【０４６２】
ダウンリンク送信のスクランブリングと共に使用するためのシステムパラメータのセットは、（ｉ）Ｔｘポイント識別子と、（ｉｉ）無線フレーム内のタイムスロットインデックスと、（ｉｉｉ）ＷＴＲＵのＲＮＴＩとを含むことができる、前の実施形態のうちの１つまたは複数に記載の方法。
【０４６３】
Ｔｘ識別子は、サービングセルのセル識別子である、前の実施形態のうちの１つまたは複数に記載の方法。
【０４６４】
ダウンリンク送信を生成するステップは、初期化シーケンスを用いてスクランブリングシーケンスジェネレータを初期化するステップであって、初期化シーケンスは、ダウンリンク送信のスクランブリングと共に使用するためのシステムパラメータのセットに基づく、ステップと、Ｔｘポイントで、初期化されたスクランブリングシーケンスジェネレータを使用してダウンリンク送信をスクランブルするステップとを含むことができる、前の実施形態のうちの１つまたは複数に記載の方法。
【０４６５】
初期化シーケンスは、（ｉ）Ｔｘポイントおよびサービングセルに共通の識別子、（ｉｉ）無線フレーム内のタイムスロットインデックス、および（ｉｉｉ）ＷＴＲＵのＲＮＴＩのうちのいずれかを含むことができる、前の実施形態のうちの１つまたは複数に記載の方法。
【０４６６】
初期化シーケンスは、（ｉ）サービングセルの識別子、（ｉｉ）無線フレーム内のタイムスロットインデックス、および（ｉｉｉ）ＷＴＲＵのＲＮＴＩのうちのいずれかを含むことができる、前の実施形態のうちの１つまたは複数に記載の方法。
【０４６７】
Ｔｘポイントおよびサービングポイントに共通のシステムパラメータのセットは、アンテナポートの指定と共に使用するための少なくとも１つのシステムパラメータを含むことができる、前の実施形態のうちの１つまたは複数に記載の方法。
【０４６８】
Ｔｘポイントおよびサービングポイントに共通のシステムパラメータのセットは、ＷＴＲＵに固有のリファレンス信号を生成するためのリファレンス信号シーケンスのスクランブリングと共に使用するための少なくとも１つのシステムパラメータを含むことができる、前の実施形態のうちの１つまたは複数に記載の方法。
【０４６９】
リファレンス信号シーケンスのスクランブリングと共に使用するための少なくとも１つのシステムパラメータは、（ｉ）Ｔｘポイントおよびサービングセルに共通の識別子、（ｉｉ）ダウンリンク送信に関連するスロット番号、および（ｉｉｉ）Ｔｘポイントおよびサービングセルに共通のスクランブリング識別子のうちのいずれかを含むことができる、前の実施形態のうちの１つまたは複数に記載の方法。
【０４７０】
ダウンリンク送信を生成するステップは、Ｔｘポイントで、リファレンス信号シーケンスのスクランブリングと共に使用するための少なくとも１つのシステムパラメータに基づく初期化シーケンスを用いて初期化された擬似乱数シーケンスジェネレータを使用してＷＴＲＵに固有のリファレンス信号を生成するステップを含むことができる、前の実施形態のうちの１つまたは複数に記載の方法。
【０４７１】
リファレンス信号シーケンスのスクランブリングと共に使用するための少なくとも１つのシステムパラメータは、（ｉ）Ｔｘポイントおよびサービングセルに共通の識別子、（ｉｉ）ダウンリンク送信に関連するスロット番号、および（ｉｉｉ）Ｔｘポイントおよびサービングセルに共通のスクランブリング識別子のうちのいずれかを含むことができる、前の実施形態のうちの１つまたは複数に記載の方法。
【０４７２】
リファレンス信号シーケンスのスクランブリングと共に使用するための少なくとも１つのシステムパラメータは、（ｉ）Ｔｘポイントおよびサービングセルに共通の識別子
【０４７３】
【数６６】
0006039578.tif 000081
【０４７４】
、（ｉｉ）ダウンリンク送信に関連するスロット番号ｎｓ＿ｃｏｍｍｏｎ、および（ｉｉｉ）Ｔｘポイントおよびサービングセルに共通のスクランブリング識別子ｎＳＣＩＤ＿ｃｏｍｍｏｎのうちのいずれかを含むことができ、初期化シーケンスは、
【０４７５】
【数６７】
0006039578.tif 000082
【０４７６】
を含むことができる、前の実施形態のうちの１つまたは複数に記載の方法。
【０４７７】
Ｔｘポイントおよびサービングセルを含むＣｏＭＰ協調セットを構成するステップをさらに含み、リファレンス信号シーケンスのスクランブリングと共に使用するための少なくとも１つのシステムパラメータは、（ｉ）ＣｏＭＰ協調セットの識別子
【０４７８】
【数６８】
0006039578.tif 000083
【０４７９】
と、（ｉｉ）ダウンリンク送信に関連するスロット番号ｎｓ＿ＣｏＭＰ ｓｅｔと、（ｉｉｉ）ＣｏＭＰ協調セットのスクランブリング識別子ｎＳＣＩＤ＿ＣｏＭＰ ｓｅｔとを含むことができ、初期化シーケンスは、
【０４８０】
【数６９】
0006039578.tif 000084
【０４８１】
を含むことができる、前の実施形態のうちの１つまたは複数に記載の方法。
【０４８２】
リファレンス信号シーケンスのスクランブリングと共に使用するための少なくとも１つのシステムパラメータは、（ｉ）サービングセルの識別子
【０４８３】
【数７０】
0006039578.tif 000085
【０４８４】
と、（ｉｉ）ダウンリンク送信に関連するスロット番号ｎｓ＿ｓｅｒｖｉｎｇ ｃｅｌｌと、（ｉｉｉ）サービングセルのスクランブリング識別子ｎＳＣＩＤ＿ｓｅｒｖｉｎｇ ｃｅｌｌとを含むことができ、初期化シーケンスは、
【０４８５】
【数７１】
0006039578.tif 000086
【０４８６】
を含むことができる、前の実施形態のうちの１つまたは複数に記載の方法。
【０４８７】
Ｔｘポイントおよびサービングセルに共通のシステムパラメータのセットは、ダウンリンク送信およびＷＴＲＵに固有のリファレンス信号のいずれかのプリコーディングと共に使用するための少なくとも１つのシステムパラメータを含むことができる、前の実施形態のうちの１つまたは複数に記載の方法。
【０４８８】
Ｔｘポイントおよびサービングセルに共通のシステムパラメータのセットは、ダウンリンク送信のＰＤＣＣＨの割当と共に使用するための少なくとも１つのシステムパラメータを含む、前の実施形態のうちの１つまたは複数に記載の方法。
【０４８９】
一実施形態では、方法は、Ｔｘポイントおよびサービングセルに共通のシステムパラメータのセットを使用してＷＴＲＵのサービングセル以外のＴｘポイントでダウンリンク送信を生成するステップと、サービングセルからダウンリンク送信を受信するためのＷＴＲＵへのシグナリングに関する情報を送信するステップと、ＴｘポイントからＷＴＲＵへダウンリンク送信を送信するステップとを含むことができる。
【０４９０】
ダウンリンク送信を受信するためのパラメータのセットを選択するためのＷＴＲＵへのシグナリングに関する情報を送信するステップをさらに含む、前の実施形態に記載の方法。
【０４９１】
ダウンリンク送信を受信するためのＷＴＲＵへのシグナリングに関する情報およびダウンリンク送信の受信のためのパラメータのセットを選択するためのＷＴＲＵへのシグナリングに関する情報は、同一の情報である、前の実施形態のうちの１つまたは複数に記載の方法。
【０４９２】
一実施形態では、方法は、ＷＴＲＵのサービングセル以外のＴｘポイントで、Ｔｘポイントおよびサービングセルに共通のシステムパラメータのセットを使用して、第１のダウンリンク送信を生成するステップと、サービングセルで、Ｔｘポイントおよびサービングセルに共通のシステムパラメータのセットを使用して、第２のダウンリンク送信を生成するステップと、サービングセルから第１のダウンリンク送信および第２のダウンリンク送信を受信するためのＷＴＲＵへのシグナリングに関する情報を送信するステップと、ＷＴＲＵに、それぞれＴｘポイントおよびサービングセルから第１のダウンリンク送信および第２のダウンリンク送信を送信するステップとを含むことができる。
【０４９３】
第１のダウンリンク送信および第２のダウンリンク送信を受信するためのパラメータのセットを選択するためのＷＴＲＵへのシグナリングに関する情報を送信するステップをさらに含む、前の実施形態のうちの１つまたは複数に記載の方法。
【０４９４】
第１のダウンリンク送信および第２のダウンリンク送信を受信するためのＷＴＲＵへのシグナリングに関する情報と第１のダウンリンク送信および第２のダウンリンク送信を受信するためのパラメータのセットを選択するためのＷＴＲＵへのシグナリングに関する情報とは、同一の情報である、前の実施形態のうちの１つまたは複数に記載の方法。
【０４９５】
一実施形態では、システムは、ＷＴＲＵのサービングセルおよびサービングセル以外のＴｘポイントを含むことができ、Ｔｘポイントは、Ｔｘポイントおよびサービングセルに共通のシステムパラメータのセットを使用してダウンリンク送信を生成し、ＷＴＲＵへダウンリンク送信を送信するように構成される。
【０４９６】
Ｔｘポイントは、Ｔｘポイントおよびサービングセルに共通のシステムパラメータのセットを用いて構成される、前の実施形態に記載のシステム。
【０４９７】
Ｔｘポイントおよびサービングセルを含むＣｏＭＰ協調セットを構成するように構成されたＣｏＭＰコントローラをさらに含む、前の実施形態のうちの１つまたは複数に記載のシステム。
【０４９８】
Ｔｘポイントは、サービングセルのシステムパラメータのセットを受信し、Ｔｘポイントおよびサービングセルに共通のシステムパラメータのセットとしてサービングセルのシステムパラメータのセットを使用するようにさらに構成される、前の実施形態のうちの１つまたは複数に記載のシステム。
【０４９９】
サービングセルのシステムパラメータのセットは、サービングセルから送信される、前の実施形態のうちの１つまたは複数に記載のシステム。
【０５００】
サービングセルは、Ｔｘポイントおよびサービングセルに共通のシステムパラメータのセットを用いて構成される、前の実施形態のうちの１つまたは複数に記載のシステム。
【０５０１】
Ｔｘポイントおよびサービングセルのいずれかは、ダウンリンク送信を受信するためのＷＴＲＵへのシグナリングに関する情報を送信するように構成される、前の実施形態のうちの１つまたは複数に記載のシステム。
【０５０２】
ダウンリンク送信は、結合送信（ＪＴ）ＣｏＭＰダウンリンク送信であり、Ｔｘポイントおよびサービングセルは、それぞれ第１のダウンリンク送信および第２のダウンリンク送信をＷＴＲＵに送信するように構成される、前の実施形態のうちの１つまたは複数に記載のシステム。
【０５０３】
Ｔｘポイントおよびサービングセルのいずれかは、第１のダウンリンク送信および第２のダウンリンク送信を受信するためのＷＴＲＵへのシグナリングに関する情報を送信するように構成される、前の実施形態のうちの１つまたは複数に記載のシステム。
【０５０４】
Ｔｘポイントおよびサービングセルに共通のシステムパラメータのセットは、ＣｏＭＰダウンリンク送信のスクランブリングと共に使用するための少なくとも１つのシステムパラメータを含むことができる、前の実施形態のうちの１つまたは複数に記載のシステム。
【０５０５】
ＣｏＭＰダウンリンク送信のスクランブリングと共に使用するための少なくとも１つのシステムパラメータは、（ｉ）Ｔｘポイントおよびサービングセルに共通の識別子、（ｉｉ）無線フレーム内のタイムスロットインデックス、および（ｉｉｉ）ＷＴＲＵのＲＮＴＩのうちのいずれかを含むことができる、前の実施形態のうちの１つまたは複数に記載のシステム。
【０５０６】
ＣｏＭＰダウンリンク送信のスクランブリングと共に使用するための少なくとも１つのシステムパラメータは、（ｉ）サービングセルの識別子、（ｉｉ）無線フレーム内のタイムスロットインデックス、および（ｉｉｉ）ＷＴＲＵのＲＮＴＩのうちのいずれかを含むことができる、前の実施形態のうちの１つまたは複数に記載のシステム。
【０５０７】
Ｔｘポイントは、ＣｏＭＰダウンリンク送信のスクランブリングと共に使用するための少なくとも１つのシステムパラメータに基づく初期化シーケンスを用いて初期化されるスクランブリングシーケンスジェネレータを含むことができる、前の実施形態のうちの１つまたは複数に記載のシステム。
【０５０８】
初期化シーケンスは、（ｉ）Ｔｘポイントおよびサービングセルに共通の識別子、（ｉｉ）無線フレーム内のタイムスロットインデックス、および（ｉｉｉ）ＷＴＲＵのＲＮＴＩのうちのいずれかを含むことができる、前の実施形態のうちの１つまたは複数に記載のシステム。
【０５０９】
初期化シーケンスは、（ｉ）サービングセルの識別子、（ｉｉ）無線フレーム内のタイムスロットインデックス、および（ｉｉｉ）ＷＴＲＵのＲＮＴＩのうちのいずれかを含むことができる、前の実施形態のうちの１つまたは複数に記載のシステム。
【０５１０】
Ｔｘポイントおよびサービングセルに共通のシステムパラメータのセットは、アンテナポートの指定と共に使用するための少なくとも１つのシステムパラメータを含むことができる、前の実施形態のうちの１つまたは複数に記載のシステム。
【０５１１】
Ｔｘポイントおよびサービングセルに共通のシステムパラメータのセットは、ＷＴＲＵに固有のリファレンス信号を生成するためのリファレンス信号シーケンスのスクランブリングと共に使用するための少なくとも１つのシステムパラメータを含むことができる、前の実施形態のうちの１つまたは複数に記載のシステム。
【０５１２】
リファレンス信号シーケンスのスクランブリングと共に使用するための少なくとも１つのシステムパラメータは、（ｉ）Ｔｘポイントおよびサービングセルに共通の識別子、（ｉｉ）ダウンリンク送信に関連するスロット番号、並びに（ｉｉｉ）Ｔｘポイントおよびサービングセルに共通のスクランブリング識別子のうちのいずれかを含むことができる、前の実施形態のうちの１つまたは複数に記載のシステム。
【０５１３】
Ｔｘポイントは、リファレンス信号シーケンスのスクランブリングと共に使用するための少なくとも１つのシステムパラメータに基づく初期化シーケンスを用いて初期化される擬似乱数シーケンスジェネレータを含むことができる、前の実施形態のうちの１つまたは複数に記載のシステム。
【０５１４】
リファレンス信号シーケンスのスクランブリングと共に使用するための少なくとも１つのシステムパラメータは、（ｉ）Ｔｘポイントおよびサービングセルに共通の識別子、（ｉｉ）ダウンリンク送信に関連するスロット番号、並びに（ｉｉｉ）Ｔｘポイントおよびサービングセルに共通のスクランブリング識別子のうちのいずれかを含むことができる、前の実施形態のうちの１つまたは複数に記載のシステム。
【０５１５】
リファレンス信号シーケンスのスクランブリングと共に使用するための少なくとも１つのシステムパラメータは、（ｉ）Ｔｘポイントおよびサービングセルに共通の識別子
【０５１６】
【数７２】
0006039578.tif 000087
【０５１７】
、（ｉｉ）ダウンリンク送信に関連するスロット番号ｎｓ＿ｃｏｍｍｏｎ、並びに（ｉｉｉ）Ｔｘポイントおよびサービングセルに共通のスクランブリング識別子ｎＳＣＩＤ＿ｃｏｍｍｏｎのうちのいずれかを含むことができ、初期化シーケンスは、
【０５１８】
【数７３】
0006039578.tif 000088
【０５１９】
を含むことができる、前の実施形態のうちの１つまたは複数に記載のシステム。
【０５２０】
Ｔｘポイントおよびサービングセルを含むＣｏＭＰ協調セットを構成することをさらに含み、リファレンス信号シーケンスのスクランブリングと共に使用するための少なくとも１つのシステムパラメータは、（ｉ）ＣｏＭＰ協調セットの識別子
【０５２１】
【数７４】
0006039578.tif 000089
【０５２２】
と、（ｉｉ）ダウンリンク送信に関連するスロット番号ｎｓ＿ＣｏＭＰ ｓｅｔ、および（ｉｉｉ）ＣｏＭＰ協調セットのスクランブリング識別子ｎＳＣＩＤ＿ＣｏＭＰ ｓｅｔのうちのいずれかを含むことができ、初期化シーケンスは、
【０５２３】
【数７５】
0006039578.tif 000090
【０５２４】
を含むことができる、前の実施形態のうちの１つまたは複数に記載のシステム。
【０５２５】
リファレンス信号シーケンスのスクランブリングと共に使用するための少なくとも１つのシステムパラメータは、（ｉ）サービングセルの識別子
【０５２６】
【数７６】
0006039578.tif 000091
【０５２７】
、（ｉｉ）ダウンリンク送信に関連するスロット番号ｎｓ＿ｓｅｒｖｉｎｇ ｃｅｌｌ、および（ｉｉｉ）サービングセルのスクランブリング識別子ｎＳＣＩＤ＿ｓｅｒｖｉｎｇ ｃｅｌｌのうちのいずれかを含むことができ、初期化シーケンスは、
【０５２８】
【数７７】
0006039578.tif 000092
【０５２９】
を含むことができる、前の実施形態のうちの１つまたは複数に記載のシステム。
【０５３０】
Ｔｘポイントおよびサービングセルに共通のシステムパラメータのセットは、ダウンリンク送信およびＷＴＲＵに固有のリファレンス信号のいずれかのプリコーディングと共に使用するための少なくとも１つのシステムパラメータを含むことができる、前の実施形態のうちの１つまたは複数に記載のシステム。
【０５３１】
Ｔｘポイントおよびサービングセルに共通のシステムパラメータのセットは、ダウンリンク送信に関連するＰＤＣＣＨの割当と共に使用するための少なくとも１つのシステムパラメータを含む、前の実施形態のうちの１つまたは複数に記載のシステム。
【０５３２】
一実施形態では、システムは、ＷＴＲＵのサービングセルおよびサービングセル以外のＴｘポイントを含むことができ、Ｔｘポイントは、Ｔｘポイントおよびサービングセルに共通のシステムパラメータのセットを使用してダウンリンク送信を生成し、ＷＴＲＵへダウンリンク送信を送信するように構成され、サービングセルは、ダウンリンク送信を受信するためのＷＴＲＵへのシグナリングに関する情報を送信するように構成される。
【０５３３】
サービングセルは、ダウンリンク送信を受信するためのパラメータのセットを選択するためのＷＴＲＵへのシグナリングに関する情報を送信するようにさらに構成される、前の実施形態に記載のシステム。
【０５３４】
ダウンリンク送信を受信するためのＷＴＲＵへのシグナリングに関する情報およびダウンリンク送信の受信のためのパラメータのセットを選択するためのＷＴＲＵへのシグナリングに関する情報は、同一の情報である、前の実施形態のうちの１つまたは複数に記載のシステム。
【０５３５】
一実施形態では、システムは、ＷＴＲＵのサービングセルおよびサービングセル以外のＴｘポイントを含むことができ、Ｔｘポイントは、Ｔｘポイントおよびサービングセルに共通のシステムパラメータのセットを使用して、第１のダウンリンク送信を生成し、ＷＴＲＵに、第１のＣｏＭＰダウンリンク送信を送信するように構成され、サービングセルは、Ｔｘポイントおよびサービングセルに共通のシステムパラメータのセットを使用して、第２のダウンリンク送信を生成し、ＷＴＲＵに第２のＣｏＭＰダウンリンク送信を送信し、第１のダウンリンク送信および第２のダウンリンク送信を受信するためのＷＴＲＵへのシグナリングに関する情報を送信するように構成される。
【０５３６】
サービングセルは、第１のダウンリンク送信および第２のダウンリンク送信を受信するためのパラメータのセットを選択するためのＷＴＲＵへのシグナリングに関する情報を送信するようにさらに構成される、前の実施形態に記載のシステム。
【０５３７】
第１のダウンリンク送信および第２のダウンリンク送信を受信するためのＷＴＲＵへのシグナリングに関する情報と第１のダウンリンク送信および第２のダウンリンク送信を受信するためのパラメータのセットを選択するためのＷＴＲＵへのシグナリングに関する情報とは、同一の情報である、前の実施形態のうちの１つまたは複数に記載のシステム。
【０５３８】
一実施形態では、方法は、ＷＴＲＵのサービングセルおよびサービングセル以外のＴｘポイントに共通のシステムパラメータのセットを使用して生成されたやがて来るダウンリンク送信を受信するためのＷＴＲＵへのシグナリングに関する情報をＷＴＲＵで受信するステップと、Ｔｘポイントからのダウンリンク送信をＷＴＲＵで受信するステップとを含むことができる。
【０５３９】
ＷＴＲＵで、やがて来るダウンリンク送信を受信するためのパラメータのセットを選択するためのＷＴＲＵへのシグナリングに関する情報を受信するステップをさらに含む、前の実施形態に記載の方法。
【０５４０】
やがて来るダウンリンク送信を受信するためのＷＴＲＵへのシグナリングに関する情報およびやがて来るダウンリンク送信を受信するためのパラメータのセットを選択するためのＷＴＲＵへのシグナリングに関する情報は、同一の情報である、前の実施形態のうちの１つまたは複数に記載の方法。
【０５４１】
やがて来るダウンリンク送信を受信するためのパラメータのセットを選択するための信号としてやがて来るダウンリンク送信を受信するためのＷＴＲＵへのシグナリングに関する情報を使用するステップをさらに含む、前の実施形態のうちの１つまたは複数に記載の方法。
【０５４２】
やがて来るダウンリンク送信を受信するためのパラメータのセットは、Ｔｘポイントおよびサービングセルに共通のシステムパラメータのセットに対応する、前の実施形態のうちの１つまたは複数に記載の方法。
【０５４３】
パラメータのセットは、アンテナポートのインデックス、リファレンス信号生成のための初期化シーケンスの値、送信モード、およびリファレンス信号シーケンスの初期化と共に使用するためのスクランブリングアイデンティティのうちのいずれかを含む、前の実施形態のうちの１つまたは複数に記載の方法。
【０５４４】
スクランブリングアイデンティティは、物理層より上の層を使用して構成されたスクランブリングアイデンティティ、ＷＴＲＵのアイデンティティ、ＲＮＴＩ、サービングセルのアイデンティティ、およびＣＩＦ（carrier indicator field）のうちのいずれかを含むことができる、前の実施形態のうちの１つまたは複数に記載の方法。
【０５４５】
やがて来るダウンリンク送信を受信するためのＷＴＲＵへのシグナリングに関する情報は、やがて来るダウンリンク送信を受信するためのＷＴＲＵへの明示的信号を含むことができる、前の実施形態のうちの１つまたは複数に記載の方法。
【０５４６】
やがて来るダウンリンク送信を受信するためのＷＴＲＵへのシグナリングに関する情報は、やがて来るダウンリンク送信を受信するためのＷＴＲＵへの暗黙の信号を含むことができる、前の実施形態のうちの１つまたは複数に記載の方法。
【０５４７】
やがて来るダウンリンク送信を受信するためのＷＴＲＵへのシグナリングに関する情報は、やがて来るダウンリンク送信に関連するダウンリンク制御チャネルのブラインド検出によって入手される明示的信号および暗黙の信号のうちのいずれかを含むことができる、前の実施形態のうちの１つまたは複数に記載の方法。
【０５４８】
Ｔｘポイントおよびサービングセルに共通のシステムパラメータのセットは、サービングセルのシステムパラメータのセットを含むことができる、前の実施形態のうちの１つまたは複数に記載の方法。
【０５４９】
ダウンリンク送信は、結合送信（ＪＴ）ＣｏＭＰダウンリンク送信であり、ダウンリンク送信を受信するステップは、それぞれＴｘポイントおよびサービングセルから、第１のダウンリンク送信および第２のダウンリンク送信を受信するステップを含む、前の実施形態のうちの１つまたは複数に記載の方法。
【０５５０】
やがて来るダウンリンク送信を受信するためのパラメータのセットは、ダウンリンク送信のデスクランブリングと共に使用するための少なくとも１つのパラメータを含むことができる、前の実施形態のうちの１つまたは複数に記載の方法。
【０５５１】
ダウンリンク送信のデスクランブリングと共に使用するための少なくとも１つのパラメータは、（ｉ）Ｔｘポイントおよびサービングセルに共通の識別子、（ｉｉ）無線フレーム内のタイムスロットインデックス、および（ｉｉｉ）ＷＴＲＵのＲＮＴＩのうちのいずれかを含むことができる、前の実施形態のうちの１つまたは複数に記載の方法。
【０５５２】
ダウンリンク送信のデスクランブリングと共に使用するための少なくとも１つのパラメータは、（ｉ）サービングセルの識別子、（ｉｉ）無線フレーム内のタイムスロットインデックス、および（ｉｉｉ）ＷＴＲＵのＲＮＴＩのうちのいずれかを含むことができる、前の実施形態のうちの１つまたは複数に記載の方法。
【０５５３】
ダウンリンク送信を受信するステップは、ダウンリンク送信のデスクランブリングと共に使用するための少なくとも１つのパラメータに基づく初期化シーケンスを用いて初期化されるスクランブリングシーケンスジェネレータを使用してダウンリンク送信をデスクランブルすることを含むことができる、前の実施形態のうちの１つまたは複数に記載の方法。
【０５５４】
初期化シーケンスは、（ｉ）Ｔｘポイントおよびサービングセルに共通の識別子、（ｉｉ）無線フレーム内のタイムスロットインデックス、並びに（ｉｉｉ）ＷＴＲＵのＲＮＴＩのうちのいずれかを含むことができる、前の実施形態のうちの１つまたは複数に記載の方法。
【０５５５】
初期化シーケンスは、（ｉ）サービングセルの識別子、（ｉｉ）無線フレーム内のタイムスロットインデックス、および（ｉｉｉ）ＷＴＲＵのＲＮＴＩのうちのいずれかを含むことができる、前の実施形態のうちの１つまたは複数に記載の方法。
【０５５６】
やがて来るダウンリンク送信を受信するためのパラメータのセットは、アンテナポートの判定と共に使用するための少なくとも１つのパラメータを含むことができる、前の実施形態のうちの１つまたは複数に記載の方法。
【０５５７】
やがて来るダウンリンク送信を受信するためのパラメータのセットは、ＷＴＲＵに固有のリファレンス信号を生成するためのリファレンス信号シーケンスのデスクランブリングと共に使用するための少なくとも１つのシステムパラメータを含むことができる、前の実施形態のうちの１つまたは複数に記載の方法。
【０５５８】
リファレンス信号シーケンスのデスクランブリングと共に使用するための少なくとも１つのシステムパラメータは、（ｉ）Ｔｘポイントおよびサービングセルに共通の識別子、（ｉｉ）ダウンリンク送信に関連するスロット番号、並びに（ｉｉｉ）Ｔｘポイントおよびサービングセルに共通のスクランブリング識別子のうちのいずれかを含むことができる、前の実施形態のうちの１つまたは複数に記載の方法。
【０５５９】
ダウンリンク送信を受信するステップは、リファレンス信号シーケンスのデスクランブリングと共に使用するための少なくとも１つのパラメータに基づく初期化シーケンスを用いて初期化される擬似乱数シーケンスジェネレータを使用してＷＴＲＵに固有のリファレンス信号を判定するステップを含むことができる、前の実施形態のうちの１つまたは複数に記載の方法。
【０５６０】
リファレンス信号シーケンスのデスクランブリングと共に使用するための少なくとも１つのパラメータは、（ｉ）Ｔｘポイントおよびサービングセルに共通の識別子、（ｉｉ）ダウンリンク送信に関連するスロット番号、並びに（ｉｉｉ）Ｔｘポイントおよびサービングセルに共通のスクランブリング識別子のうちのいずれかを含むことができる、前の実施形態のうちの１つまたは複数に記載の方法。
【０５６１】
リファレンス信号シーケンスのデスクランブリングと共に使用するための少なくとも１つのシステムパラメータは、（ｉ）Ｔｘポイントおよびサービングセルに共通の識別子
【０５６２】
【数７８】
0006039578.tif 000093
【０５６３】
、（ｉｉ）ダウンリンク送信に関連するスロット番号ｎｓ＿ｃｏｍｍｏｎ、並びに（ｉｉｉ）Ｔｘポイントおよびサービングセルに共通のスクランブリング識別子ｎＳＣＩＤ＿ｃｏｍｍｏｎのうちのいずれかを含むことができ、初期化シーケンスは、
【０５６４】
【数７９】
0006039578.tif 000094
【０５６５】
を含むことができる、前の実施形態のうちの１つまたは複数に記載の方法。
【０５６６】
リファレンス信号シーケンスのデスクランブリングと共に使用するための少なくとも１つのパラメータは、（ｉ）ＣｏＭＰ協調セットの識別子
【０５６７】
【数８０】
0006039578.tif 000095
【０５６８】
、（ｉｉ）ダウンリンク送信に関連するスロット番号ｎｓ＿ＣｏＭＰ ｓｅｔ、および（ｉｉｉ）ＣｏＭＰ協調セットのスクランブリング識別子ｎＳＣＩＤ＿ＣｏＭＰ ｓｅｔのうちのいずれかを含むことができ、初期化シーケンスは、
【０５６９】
【数８１】
0006039578.tif 000096
【０５７０】
を含むことができる、前の実施形態のうちの１つまたは複数に記載の方法。
【０５７１】
リファレンス信号シーケンスのデスクランブリングと共に使用するための少なくとも１つのシステムパラメータは、（ｉ）サービングセルの識別子
【０５７２】
【数８２】
0006039578.tif 000097
【０５７３】
、（ｉｉ）ダウンリンク送信に関連するスロット番号ｎｓ＿ｓｅｒｖｉｎｇ ｃｅｌｌ、および（ｉｉｉ）サービングセルのスクランブリング識別子ｎＳＣＩＤ＿ｓｅｒｖｉｎｇ ｃｅｌｌのうちのいずれかを含むことができ、初期化シーケンスは、
【０５７４】
【数８３】
0006039578.tif 000098
【０５７５】
を含むことができる、前の実施形態のうちの１つまたは複数に記載の方法。
【０５７６】
やがて来るダウンリンク送信を受信するためのパラメータのセットは、ダウンリンク送信およびＷＴＲＵに固有のリファレンス信号のいずれかのプリコーディングの除去と共に使用するための少なくとも１つのシステムパラメータを含むことができる、前の実施形態のうちの１つまたは複数に記載の方法。
【０５７７】
一実施形態では、方法は、ＷＴＲＵのサービングセルおよびサービングセル以外のＴｘポイントに共通のシステムパラメータのセットを使用して生成されたやがて来るダウンリンク送信を受信するためのＷＴＲＵへのシグナリングに関する情報をＷＴＲＵで受信するステップと、それぞれＴｘポイントおよびサービングセルからの第１のダウンリンク送信および第２のダウンリンク送信をＷＴＲＵで受信するステップとを含むことができる。
【０５７８】
ＷＴＲＵで、第１のダウンリンク送信および第２のダウンリンク送信を受信するためのパラメータのセットを選択するためのＷＴＲＵへのシグナリングに関する情報を受信するステップをさらに含む、前の実施形態のうちの１つまたは複数に記載の方法。
【０５７９】
第１のダウンリンク送信および第２のダウンリンク送信を受信するためのＷＴＲＵへのシグナリングに関する情報並びに第１のダウンリンク送信および第２のダウンリンク送信を受信するためのパラメータのセットを選択するためのＷＴＲＵへのシグナリングに関する情報は、同一の情報である、前の実施形態のうちの１つまたは複数に記載の方法。
【０５８０】
一実施形態では、ＷＴＲＵは、受信器およびプロセッサを含むことができ、受信器は、ＷＴＲＵのサービングセルおよびサービングセル以外の送信（Ｔｘ）ポイントに共通のシステムパラメータのセットを使用して生成されたやがて来るダウンリンク送信を受信するためのＷＴＲＵへのシグナリングに関する情報を受信し、Ｔｘポイントからのダウンリンク送信をＷＴＲＵで受信するように適合され、プロセッサは、Ｔｘポイントからのダウンリンク送信を受信するように受信器に指示するように適合される。
【０５８１】
受信器は、やがて来るダウンリンク送信を受信するためのパラメータのセットを選択するためのＷＴＲＵへのシグナリングに関する情報を受信するようにさらに適合される、前の実施形態に記載のＷＴＲＵ。
【０５８２】
やがて来るダウンリンク送信を受信するためのＷＴＲＵへのシグナリングに関する情報およびやがて来るダウンリンク送信を受信するためのパラメータのセットを選択するためのＷＴＲＵへのシグナリングに関する情報は、同一の情報である、前の実施形態のうちの１つまたは複数に記載のＷＴＲＵ。
【０５８３】
プロセッサは、やがて来るダウンリンク送信を受信するためのパラメータのセットを選択するための信号としてやがて来るダウンリンク送信を受信するためのＷＴＲＵへのシグナリングに関する情報を使用し、やがて来るダウンリンク送信を受信するためのパラメータのセットを使用するようにＷＴＲＵに指示するようにさらに適合される、前の実施形態のうちの１つまたは複数に記載のＷＴＲＵ。
【０５８４】
やがて来るダウンリンク送信を受信するためのパラメータのセットは、Ｔｘポイントおよびサービングセルに共通のシステムパラメータのセットに対応する、前の実施形態のうちの１つまたは複数に記載のＷＴＲＵ。
【０５８５】
パラメータのセットは、アンテナポートのインデックス、リファレンス信号生成のための初期化シーケンスの値、送信モード、およびリファレンス信号シーケンスの初期化と共に使用するためのスクランブリングアイデンティティのうちのいずれかを含む、前の実施形態のうちの１つまたは複数に記載のＷＴＲＵ。
【０５８６】
スクランブリングアイデンティティは、物理層より上の層を使用して構成されたスクランブリングアイデンティティ、ＷＴＲＵのアイデンティティ、ＲＮＴＩ、サービングセルのアイデンティティ、およびＣＩＦ（carrier indicator field）のうちのいずれかを含むことができる、前の実施形態のうちの１つまたは複数に記載のＷＴＲＵ。
【０５８７】
やがて来るダウンリンク送信を受信するためのＷＴＲＵへのシグナリングに関する情報は、やがて来るダウンリンク送信を受信するためのＷＴＲＵへの明示的信号を含むことができる、前の実施形態のうちの１つまたは複数に記載のＷＴＲＵ。
【０５８８】
やがて来るダウンリンク送信を受信するためのＷＴＲＵへのシグナリングに関する情報は、やがて来るダウンリンク送信を受信するためのＷＴＲＵへの暗黙の信号を含むことができる、前の実施形態のうちの１つまたは複数に記載のＷＴＲＵ。
【０５８９】
やがて来るダウンリンク送信を受信するためのＷＴＲＵへのシグナリングに関する情報は、やがて来るダウンリンク送信に関連するダウンリンク制御チャネルのブラインド検出によって入手される明示的信号および暗黙の信号のうちのいずれかを含むことができる、前の実施形態のうちの１つまたは複数に記載のＷＴＲＵ。
【０５９０】
Ｔｘポイントおよびサービングセルに共通のシステムパラメータのセットは、サービングセルのシステムパラメータのセットを含むことができる、前の実施形態のうちの１つまたは複数に記載のＷＴＲＵ。
【０５９１】
ダウンリンク送信は、結合送信（ＪＴ）ＣｏＭＰダウンリンク送信であり、受信器は、それぞれＴｘポイントおよびサービングセルから、第１のダウンリンク送信および第２のダウンリンク送信を受信するようにさらに適合される、前の実施形態のうちの１つまたは複数に記載のＷＴＲＵ。
【０５９２】
一実施形態では、方法は、ＷＴＲＵのサービングセル以外のＴｘポイントで、Ｔｘポイントおよびサービングセルに共通のリファレンス信号シーケンスに基づいてＷＴＲＵに固有のリファレンス信号の第１のセットを生成するステップであって、ＷＴＲＵに固有のリファレンス信号の第１のセットは、Ｔｘポイントからのやがて来る第１のダウンリンク送信に関連する、ステップと、サービングセルで、Ｔｘポイントおよびサービングセルに共通のリファレンス信号シーケンスに基づいてＷＴＲＵに固有のリファレンス信号の第２のセットを生成するステップであって、ＷＴＲＵに固有のリファレンス信号の第２のセットは、サービングセルからのやがて来る第２のダウンリンク送信に関連する、ステップと、アンテナポートの同一のセットを使用してＷＴＲＵに固有のリファレンス信号の第１のセットおよび第２のセットを送信するステップとを含むことができる。
【０５９３】
ＷＴＲＵに固有のリファレンス信号の第１のセットおよび第２のセットについてアンテナポートの同一のセットを使用するためのＷＴＲＵへのシグナリングに関する情報を送信するステップをさらに含む、前の実施形態に記載の方法。
【０５９４】
（ｉ）それぞれＷＴＲＵに固有のリファレンス信号の第１のセットおよび第２のセットを生成するためにＴｘポイントおよびサービングセルに共通のリファレンス信号シーケンスと、（ｉｉ）ＷＴＲＵに固有のリファレンス信号の第１のセットおよび第２のセットを送信するためのアンテナポートの同一のセットとを使用するようにＴｘポイントおよびサービングセルを構成するステップをさらに含む、前の実施形態のうちの１つまたは複数に記載の方法。
【０５９５】
ＷＴＲＵに固有のリファレンス信号の第１のセットおよび第２のセットを生成するステップは、Ｔｘポイントおよびサービングセルに共通のシステムパラメータのセットに基づく初期化シーケンスを用いて初期化される擬似乱数シーケンスジェネレータを使用してＷＴＲＵに固有のリファレンス信号の第１のセットおよび第２のセットを生成するステップを含むことができる、前の実施形態のうちの１つまたは複数に記載の方法。
【０５９６】
Ｔｘポイントおよびサービングセルに共通のシステムパラメータのセットは、（ｉ）Ｔｘポイントおよびサービングセルに共通の識別子、（ｉｉ）その中でリファレンス信号の第１のセットおよび第２のセットがスロット番号、並びに（ｉｉｉ）Ｔｘポイントおよびサービングセルに共通のスクランブリング識別子のうちのいずれかを含むことができる、前の実施形態のうちの１つまたは複数に記載の方法。
【０５９７】
それぞれＴｘポイントおよびサービングセルからのやがて来る第１のダウンリンク送信および第２のダウンリンク送信は、ＷＴＲＵへの結合送信（ＪＴ）ＣｏＭＰ送信であり、Ｔｘポイントおよびサービングセルに共通のシステムパラメータのセットは、（ｉ）Ｔｘポイントおよびサービングセルに共通の識別子、（ｉｉ）第１のダウンリンク送信および第２のダウンリンク送信に関連するスロット番号、並びに（ｉｉｉ）Ｔｘポイントおよびサービングセルに共通のスクランブリング識別子のうちのいずれかを含むことができる、前の実施形態のうちの１つまたは複数に記載の方法。
【０５９８】
Ｔｘポイントおよびサービングセルに共通のシステムパラメータのセットは、（ｉ）サービングセルの識別子、および（ｉｉ）サービングセルのスクランブリング識別子のうちのいずれかを含むことができる、前の実施形態のうちの１つまたは複数に記載の方法。
【０５９９】
それぞれＴｘポイントおよびサービングセルからのやがて来る第１のダウンリンク送信および第２のダウンリンク送信は、ＷＴＲＵへのＪＴ  ＣｏＭＰ送信であり、Ｔｘポイントおよびサービングセルに共通のシステムパラメータのセットは、（ｉ）サービングセルの識別子、（ｉｉ）第１のダウンリンク送信および第２のダウンリンク送信に関連するスロット番号、並びに（ｉｉｉ）サービングセルのスクランブリング識別子のうちのいずれかを含むことができる、前の実施形態のうちの１つまたは複数に記載の方法。
【０６００】
Ｔｘポイントおよびサービングセルに共通のシステムパラメータのセットは、（ｉ）Ｔｘポイントおよびサービングセルに共通の識別子
【０６０１】
【数８４】
0006039578.tif 000099
【０６０２】
、（ｉｉ）ダウンリンク送信に関連するスロット番号ｎｓ＿ｃｏｍｍｏｎ、並びに（ｉｉｉ）Ｔｘポイントおよびサービングセルに共通のスクランブリング識別子ｎＳＣＩＤ＿ｃｏｍｍｏｎのうちのいずれかを含むことができ、初期化シーケンスは、
【０６０３】
【数８５】
0006039578.tif 000100
【０６０４】
を含むことができる、前の実施形態のうちの１つまたは複数に記載の方法。
【０６０５】
Ｔｘポイントおよびサービングセルを含むＣｏＭＰ協調セットを構成するステップをさらに含み、Ｔｘポイントおよびサービングセルに共通のシステムパラメータのセットは、（ｉ）ＣｏＭＰ協調セットの識別子
【０６０６】
【数８６】
0006039578.tif 000101
【０６０７】
、（ｉｉ）ダウンリンク送信に関連するスロット番号ｎｓ＿ＣｏＭＰ ｓｅｔ、および（ｉｉｉ）ＣｏＭＰ協調セットのスクランブリング識別子ｎＳＣＩＤ＿ＣｏＭＰ ｓｅｔのうちのいずれかを含むことができ、初期化シーケンスは、
【０６０８】
【数８７】
0006039578.tif 000102
【０６０９】
を含むことができる、前の実施形態のうちの１つまたは複数に記載の方法。
【０６１０】
Ｔｘポイントおよびサービングセルに共通のシステムパラメータのセットは、（ｉ）サービングセルの識別子
【０６１１】
【数８８】
0006039578.tif 000103
【０６１２】
、（ｉｉ）ダウンリンク送信に関連するスロット番号ｎｓ＿ｓｅｒｖｉｎｇ ｃｅｌｌ、および（ｉｉｉ）サービングセルのスクランブリング識別子ｎＳＣＩＤ＿ｓｅｒｖｉｎｇ ｃｅｌｌのうちのいずれかを含むことができ、初期化シーケンスは、
【０６１３】
【数８９】
0006039578.tif 000104
【０６１４】
を含むことができる、前の実施形態のうちの１つまたは複数に記載の方法。
【０６１５】
一実施形態では、方法は、ＷＴＲＵのサービングセル以外のＴｘポイントで、Ｔｘポイントおよびサービングセルに共通のリファレンス信号シーケンスとそれぞれＴｘポイントおよびサービングセルに割り当てられたアンテナポートの第１のセットおよび第２のセットとに少なくとも部分的に基づいてＷＴＲＵに固有のリファレンス信号を生成するステップであって、ＷＴＲＵに固有のリファレンス信号はのためのものである、ステップと、ＷＴＲＵに固有のリファレンス信号を送信するステップとを含むことができる。
【０６１６】
アンテナポートの第１のセットは、アンテナポートの第２のセットに直交である、前の実施形態に記載の方法。
【０６１７】
それぞれＴｘポイントおよびサービングセルに割り当てられたアンテナポートの第１のセットおよび第２のセットは、デフォルトパターンに基づく、前の実施形態のうちの１つまたは複数に記載の方法。
【０６１８】
Ｔｘポイントおよびサービングセルに共通のリファレンス信号シーケンスを用い、Ｔｘポイントおよびサービングセルに共通のアンテナポート上でＴｘポイントを構成するステップをさらに含む、前の実施形態のうちの１つまたは複数に記載の方法。
【０６１９】
ＷＴＲＵに固有のリファレンス信号を生成するステップは、Ｔｘポイントで、Ｔｘポイントおよびサービングセルに共通のシステムパラメータのセットに基づく初期化シーケンスを用いて初期化される擬似乱数シーケンスジェネレータを使用してＷＴＲＵに固有のリファレンス信号を生成するステップを含む、前の実施形態のうちの１つまたは複数に記載の方法。
【０６２０】
Ｔｘポイントおよびサービングセルに共通のシステムパラメータのセットは、（ｉ）Ｔｘポイントおよびサービングセルに共通の識別子、（ｉｉ）ダウンリンク送信に関連するスロット番号、並びに（ｉｉｉ）Ｔｘポイントおよびサービングセルに共通のスクランブリング識別子のうちのいずれかを含むことができる、前の実施形態のうちの１つまたは複数に記載の方法。
【０６２１】
Ｔｘポイントおよびサービングセルに共通のシステムパラメータのセットは、（ｉ）サービングセルの識別子、（ｉｉ）ダウンリンク送信に関連するスロット番号、および（ｉｉｉ）サービングセルのスクランブリング識別子のうちのいずれかを含むことができる、前の実施形態のうちの１つまたは複数に記載の方法。
【０６２２】
Ｔｘポイントおよびサービングセルに共通のシステムパラメータのセットは、（ｉ）Ｔｘポイントおよびサービングセルに共通の識別子
【０６２３】
【数９０】
0006039578.tif 000105
【０６２４】
、（ｉｉ）ダウンリンク送信に関連するスロット番号ｎｓ＿ｃｏｍｍｏｎ、並びに（ｉｉｉ）Ｔｘポイントおよびサービングセルに共通のスクランブリング識別子ｎＳＣＩＤ＿ｃｏｍｍｏｎのうちのいずれかを含むことができ、初期化シーケンスは、
【０６２５】
【数９１】
0006039578.tif 000106
【０６２６】
を含むことができる、前の実施形態のうちの１つまたは複数に記載の方法。
【０６２７】
Ｔｘポイントおよびサービングセルを含むＣｏＭＰ協調セットを構成するステップをさらに含み、Ｔｘポイントおよびサービングセルに共通のシステムパラメータのセットは、（ｉ）ＣｏＭＰ協調セットの識別子
【０６２８】
【数９２】
0006039578.tif 000107
【０６２９】
、（ｉｉ）ダウンリンク送信に関連するスロット番号ｎｓ＿ＣｏＭＰ ｓｅｔ、および（ｉｉｉ）ＣｏＭＰ協調セットのスクランブリング識別子ｎＳＣＩＤ＿ＣｏＭＰ ｓｅｔのうちのいずれかを含むことができ、初期化シーケンスは、
【０６３０】
【数９３】
0006039578.tif 000108
【０６３１】
を含むことができる、前の実施形態のうちの１つまたは複数に記載の方法。
【０６３２】
Ｔｘポイントおよびサービングセルに共通のシステムパラメータのセットは、（ｉ）サービングセルの識別子
【０６３３】
【数９４】
0006039578.tif 000109
【０６３４】
、（ｉｉ）ダウンリンク送信に関連するスロット番号ｎｓ＿ｓｅｒｖｉｎｇ ｃｅｌｌ、および（ｉｉｉ）サービングセルのスクランブリング識別子ｎＳＣＩＤ＿ｓｅｒｖｉｎｇ ｃｅｌｌのうちのいずれかを含むことができ、初期化シーケンスは、
【０６３５】
【数９５】
0006039578.tif 000110
【０６３６】
を含むことができる、前の実施形態のうちの１つまたは複数に記載の方法。
【０６３７】
一実施形態では、方法は、ＷＴＲＵのサービングセル以外のＴｘポイントで、Ｔｘポイントおよびサービングセルに共通のリファレンス信号シーケンスとそれぞれＴｘポイントおよびサービングセルに割り当てられたアンテナポートの第１のセットおよび第２のセットとに少なくとも部分的に基づいて、ＷＴＲＵに固有のリファレンス信号を生成するステップと、ＷＴＲＵに固有のリファレンス信号を送信するステップとを含むことができる。
【０６３８】
アンテナポートの第１のセットは、アンテナポートの第２のセットに直交である、前の実施形態に記載の方法。
【０６３９】
それぞれＴｘポイントおよびサービングセルに割り当てられたアンテナポートの第１のセットおよび第２のセットは、デフォルトパターンに基づく、前の実施形態のうちの１つまたは複数に記載の方法。
【０６４０】
Ｔｘポイントおよびサービングセルに共通のリファレンス信号シーケンスを用い、Ｔｘポイントおよびサービングセルに共通のアンテナポート上でＴｘポイントを構成するステップをさらに含む、前の実施形態のうちの１つまたは複数に記載の方法。
【０６４１】
ＷＴＲＵに固有のリファレンス信号を生成するステップは、Ｔｘポイントで、Ｔｘポイントおよびサービングセルに共通のシステムパラメータのセットに基づく初期化シーケンスを用いて初期化される擬似乱数シーケンスジェネレータを使用してＷＴＲＵに固有のリファレンス信号を生成するステップを含む、前の実施形態のうちの１つまたは複数に記載の方法。
【０６４２】
Ｔｘポイントおよびサービングセルに共通のシステムパラメータのセットは、（ｉ）Ｔｘポイントおよびサービングセルに共通の識別子、（ｉｉ）ダウンリンク送信に関連するスロット番号、並びに（ｉｉｉ）Ｔｘポイントおよびサービングセルに共通のスクランブリング識別子のうちのいずれかを含むことができる、前の実施形態のうちの１つまたは複数に記載の方法。
【０６４３】
Ｔｘポイントおよびサービングセルに共通のシステムパラメータのセットは、（ｉ）サービングセルの識別子、（ｉｉ）ダウンリンク送信に関連するスロット番号、および（ｉｉｉ）サービングセルのスクランブリング識別子のうちのいずれかを含むことができる、前の実施形態のうちの１つまたは複数に記載の方法。
【０６４４】
Ｔｘポイントおよびサービングセルに共通のシステムパラメータのセットは、（ｉ）Ｔｘポイントおよびサービングセルに共通の識別子
【０６４５】
【数９６】
0006039578.tif 000111
【０６４６】
、（ｉｉ）ダウンリンク送信に関連するスロット番号ｎｓ＿ｃｏｍｍｏｎ、並びに（ｉｉｉ）Ｔｘポイントおよびサービングセルに共通のスクランブリング識別子ｎＳＣＩＤ＿ｃｏｍｍｏｎのうちのいずれかを含むことができ、初期化シーケンスは、
【０６４７】
【数９７】
0006039578.tif 000112
【０６４８】
を含むことができる、前の実施形態のうちの１つまたは複数に記載の方法。
【０６４９】
Ｔｘポイントおよびサービングセルを含むＣｏＭＰ協調セットを構成するステップをさらに含み、Ｔｘポイントおよびサービングセルに共通のシステムパラメータのセットは、（ｉ）ＣｏＭＰ協調セットの識別子
【０６５０】
【数９８】
0006039578.tif 000113
【０６５１】
、（ｉｉ）ダウンリンク送信に関連するスロット番号ｎｓ＿ＣｏＭＰ ｓｅｔ、および（ｉｉｉ）ＣｏＭＰ協調セットのスクランブリング識別子ｎＳＣＩＤ＿ＣｏＭＰ ｓｅｔのうちのいずれかを含むことができ、初期化シーケンスは、
【０６５２】
【数９９】
0006039578.tif 000114
【０６５３】
を含むことができる、前の実施形態のうちの１つまたは複数に記載の方法。
【０６５４】
Ｔｘポイントおよびサービングセルに共通のシステムパラメータのセットは、（ｉ）サービングセルの識別子
【０６５５】
【数１００】
0006039578.tif 000115
【０６５６】
、（ｉｉ）ダウンリンク送信に関連するスロット番号ｎｓ＿ｓｅｒｖｉｎｇ ｃｅｌｌ、および（ｉｉｉ）サービングセルのスクランブリング識別子ｎＳＣＩＤ＿ｓｅｒｖｉｎｇ ｃｅｌｌのうちのいずれかを含むことができ、初期化シーケンスは、
【０６５７】
【数１０１】
0006039578.tif 000116
【０６５８】
を含むことができる、前の実施形態のうちの１つまたは複数に記載の方法。
【０６５９】
一実施形態では、方法は、ＷＴＲＵのサービングセル以外のＴｘポイントで、Ｔｘポイントおよびサービングセルに共通のシステムパラメータのセットを使用して、ダウンリンク送信を生成するステップと、サービングセルから、ダウンリンク送信を受信するためのＷＴＲＵへのシグナリングに関する情報を送信するステップと、ＴｘポイントからＷＴＲＵへダウンリンク送信を送信するステップとを含むことができる。
【０６６０】
ダウンリンク送信を受信するためのパラメータのセットを選択するためのＷＴＲＵへのシグナリングに関する情報を受信するステップをさらに含む、前の実施形態に記載の方法。
【０６６１】
ダウンリンク送信を受信するためのＷＴＲＵへのシグナリングに関する情報およびダウンリンク送信を受信するためのパラメータのセットを選択するためのＷＴＲＵへのシグナリングに関する情報は、同一の情報である、前の実施形態のうちの１つまたは複数に記載の方法。
【０６６２】
一実施形態では、方法は、ＷＴＲＵ（無線送信／受信ユニット）のサービングセル以外の送信（Ｔｘ）ポイントで、Ｔｘポイントおよびサービングセルに共通のシステムパラメータのセットを使用して、第１のダウンリンク送信を生成するステップと、サービングセルで、Ｔｘポイントおよびサービングセルに共通のシステムパラメータのセットを使用して、第２のダウンリンク送信を生成するステップと、第１のダウンリンク送信および第２のダウンリンク送信を受信するためのＷＴＲＵへのシグナリングに関する情報をサービングセルから送信するステップと、ＷＴＲＵに、それぞれＴｘポイントおよびサービングセルから第１のダウンリンク送信および第２のダウンリンク送信を送信するステップとを含むことができる。
【０６６３】
第１のダウンリンク送信および第２のダウンリンク送信を受信するためのパラメータのセットを選択するためのＷＴＲＵへのシグナリングに関する情報を送信するステップをさらに含む、前の実施形態に記載の方法。
【０６６４】
第１のダウンリンク送信および第２のダウンリンク送信を受信するためのＷＴＲＵへのシグナリングに関する情報および第１のダウンリンク送信および第２のダウンリンク送信を受信するためのパラメータのセットを選択するためのＷＴＲＵへのシグナリングに関する情報は、同一の情報である、前の実施形態のうちの１つまたは複数に記載の方法。
【０６６５】
ＷＴＲＵで、ＷＴＲＵのサービングセル以外のＴｘポイントからダウンリンク送信を受信し、Ｔｘポイントおよびサービングセルに共通のシステムパラメータのセットに少なくとも部分的に基づくＷＴＲＵ固有リファレンス信号を使用してダウンリンク送信を復号する、前の実施形態のうちの１つまたは複数に記載の方法。
【０６６６】
やがて来るダウンリンク送信を受信するためのパラメータのセットは、ＷＴＲＵに固有のリファレンス信号を生成するためのリファレンス信号シーケンスのデスクランブリングと共に使用するための少なくとも１つのパラメータを含むことができる、前の実施形態に記載の方法。
【０６６７】
リファレンス信号シーケンスのデスクランブリングと共に使用するための少なくとも１つのパラメータは、（ｉ）Ｔｘポイントおよびサービングセルに共通の識別子、（ｉｉ）ダウンリンク送信に関連するスロット番号、並びに（ｉｉｉ）Ｔｘポイントおよびサービングセルに共通のスクランブリング識別子のうちのいずれかを含むことができる、前の実施形態のうちの１つまたは複数に記載の方法。
【０６６８】
ダウンリンク送信を受信するステップは、リファレンス信号シーケンスのデスクランブリングと共に使用するための少なくとも１つのパラメータに基づく初期化シーケンスを用いて初期化される擬似乱数シーケンスジェネレータを使用してＷＴＲＵに固有のリファレンス信号を判定するステップを含むことができる、前の実施形態のうちの１つまたは複数に記載の方法。
【０６６９】
リファレンス信号シーケンスのデスクランブリングと共に使用するための少なくとも１つのパラメータは、（ｉ）Ｔｘポイントおよびサービングセルに共通の識別子、（ｉｉ）ダウンリンク送信に関連するスロット番号、並びに（ｉｉｉ）Ｔｘポイントおよびサービングセルに共通のスクランブリング識別子のうちのいずれかを含むことができる、前の実施形態のうちの１つまたは複数に記載の方法。
【０６７０】
リファレンス信号シーケンスのデスクランブリングと共に使用するための少なくとも１つのシステムパラメータは、（ｉ）Ｔｘポイントおよびサービングセルに共通の識別子
【０６７１】
【数１０２】
0006039578.tif 000117
【０６７２】
、（ｉｉ）ダウンリンク送信に関連するスロット番号ｎｓ＿ｃｏｍｍｏｎ、並びに（ｉｉｉ）Ｔｘポイントおよびサービングセルに共通のスクランブリング識別子ｎＳＣＩＤ＿ｃｏｍｍｏｎのうちのいずれかを含むことができ、初期化シーケンスは、
【０６７３】
【数１０３】
0006039578.tif 000118
【０６７４】
を含むことができる、前の実施形態のうちの１つまたは複数に記載の方法。
【０６７５】
リファレンス信号シーケンスのデスクランブリングと共に使用するための少なくとも１つのパラメータは、（ｉ）ＣｏＭＰ協調セットの識別子
【０６７６】
【数１０４】
0006039578.tif 000119
【０６７７】
、（ｉｉ）ダウンリンク送信に関連するスロット番号ｎｓ＿ＣｏＭＰ ｓｅｔ、並びに（ｉｉｉ）ＣｏＭＰ協調セットのスクランブリング識別子ｎＳＣＩＤ＿ＣｏＭＰ ｓｅｔのうちのいずれかを含むことができ、初期化シーケンスは、
【０６７８】
【数１０５】
0006039578.tif 000120
【０６７９】
を含むことができる、前の実施形態のうちの１つまたは複数に記載の方法。
【０６８０】
リファレンス信号シーケンスのデスクランブリングと共に使用するための少なくとも１つのシステムパラメータは、（ｉ）サービングセルの識別子
【０６８１】
【数１０６】
0006039578.tif 000121
【０６８２】
、（ｉｉ）ダウンリンク送信に関連するスロット番号ｎｓ＿ｓｅｒｖｉｎｇ ｃｅｌｌ、および（ｉｉｉ）サービングセルのスクランブリング識別子ｎＳＣＩＤ＿ｓｅｒｖｉｎｇ ｃｅｌｌのうちのいずれかを含むことができ、初期化シーケンスは、
【０６８３】
【数１０７】
0006039578.tif 000122
【０６８４】
を含むことができる、前の実施形態のうちの１つまたは複数に記載の方法。
【０６８５】
やがて来るダウンリンク送信を受信するためのパラメータのセットは、ダウンリンク送信およびＷＴＲＵに固有のリファレンス信号のいずれかのプリコーディングの除去と共に使用するための少なくとも１つのシステムパラメータを含むことができる、前の実施形態のうちの１つまたは複数に記載の方法。
【０６８６】
上で説明した方法、装置、およびシステムの変形形態が、本発明の範囲から逸脱せずに可能である。適用できる実施形態の幅広い多様性に鑑みて、示された実施形態が例示的であるのみであって、添付の特許請求の範囲の範囲を限定するものと解釈されてはならないことを理解されたい。例えば、本明細書で説明される例示的実施形態は、任意の適当な電圧を供給する、電池などの任意の適当な電圧源を含み、またはこれと共に利用され得るハンドヘルドデバイスを含む。
【０６８７】
特徴および要素が、上記で特定の組合せで説明されるが、各特徴または要素を、単独でまたは他の特徴および要素との任意の組合せで使用することができることを、当業者は了解するであろう。さらに、本明細書で説明される方法を、コンピュータまたはプロセッサによる実行のためにコンピュータ可読媒体に組み込まれたコンピュータプログラム、ソフトウェア、またはファームウェアで実施することができる。コンピュータ可読媒体の例は、電子信号（有線または無線の接続を介して伝送される）およびコンピュータ可読記憶媒体を含む。コンピュータ可読記憶媒体の例は、ＲＯＭ、ＲＡＭ、レジスタ、キャッシュメモリ、半導体メモリデバイス、内蔵ハードディスクおよびリムーバブルディスクなどの磁気媒体、光磁気媒体、並びにＣＤ−ＲＯＭディスクおよびＤＶＤなどの光学媒体を含むが、これらに限定されない。ソフトウェアに関連するプロセッサを使用して、ＷＴＲＵ、ＵＥ、端末、基地局、ＲＮＣ、または任意のホストコンピュータ内で使用されるラジオ周波数トランシーバを実施することができる。
【０６８８】
さらに、上記で説明された実施形態では、処理プラットフォーム、コンピューティングシステム、コントローラ、およびプロセッサを含む他のデバイスが、特に言及された。これらのデバイスは、少なくとも１つのＣＰＵ（中央処理装置）およびメモリを含むことができる。コンピュータプログラミングの当業者の実践に従って、行為および動作または命令の記号表現への参照が、さまざまなＣＰＵおよびメモリによって実行される場合がある。そのような行為および動作または命令を、「実行される」、「コンピュータ実行される」、または「ＣＰＵ実行される」と称する場合がある。
【０６８９】
当業者は、行為および記号的に表現された動作または命令が、ＣＰＵによる電気信号の操作を含むことを了解するであろう。電気システムは、これによってＣＰＵの動作を再構成しまたは他の形で変更するために、電気信号の結果の変換または変形およびメモリシステム内のメモリ位置にあるデータビットの維持並びに信号の他の処理を引き起こすことができるデータビットを表す。データビットが維持されるメモリ位置は、データビットに対応するかこれを表す特定の電気的、磁気的、光学的、または有機的な特性を有する物理位置である。例示的実施形態が、上で述べたプラットフォームまたはＣＰＵに限定されず、他のプラットフォームおよびＣＰＵが、説明された方法をサポートできることを理解されたい。
【０６９０】
データビットを、ＣＰＵによって可読の、磁気ディスク、光ディスク、および任意の他の揮発性（例えば、ＲＡＭ）または不揮発性（例えば、ＲＯＭ）マスストレージシステムを含むコンピュータ可読媒体上で維持することもできる。コンピュータ可読媒体は、処理システム上に排他的に存在しまたは処理システムにローカルもしくはリモートとすることができる複数の相互接続された処理システムの間で分散される、組み込むまたは相互接続されたコンピュータ可読媒体を含むことができる。例示的実施形態が、上で述べたメモリに限定されず、他のプラットフォームおよびメモリが、説明される方法をサポートできることを理解されたい。
【０６９１】
本願の説明で使用される要素、行為、または命令を、そのようなものとして明示的に説明されない限り、本発明にクリティカルまたは必須と解釈してはならない。また、本明細書で使用される時に、冠詞「ａ」および「ａｎ」のそれぞれは、１つまたは複数の品目を含むことが意図されている。１つの品目だけが意図される場合には、用語「単一の」または類似する言葉が使用される。さらに、本明細書で使用される時に、複数の品目および／または品目の複数のカテゴリが続く用語「ａｎｙ  ｏｆ（のいずれか）は、複数の品目および／または品目のカテゴリ「のいずれか」、「の組合せ」、「任意の複数の」、および／または「複数の〜の任意の組合せ」を、個別にまたは他の品目および／もしくは品目の他のカテゴリに関連して、含むことが意図されている。さらに、本明細書で使用される時に、用語「セット」は、０個を含む任意の個数の品目を含むことが意図されている。さらに、本明細書で使用される時に、用語「数」は、ゼロを含む任意の数を含むことが意図されている。
【０６９２】
さらに、特許請求の範囲を、その効果が述べられない限り、説明される順序または要素に限定されるものと解釈してはならない。さらに、任意の請求項での用語「手段」の使用は、米国特許法第１１２条第６項に訴えることが意図され、単語「手段」を含まない請求項は、そのような意図を含まない。
【図１Ａ】
0006039578.tif 000126
【図１Ｂ】
0006039578.tif 000127
【図１Ｃ】
0006039578.tif 000128
【図１Ｄ】
0006039578.tif 000129
【図１Ｅ】
0006039578.tif 000130
【図１Ｆ】
0006039578.tif 000131
【図２】
0006039578.tif 000132
【図３】
0006039578.tif 000133
【図４】
0006039578.tif 000134
【図５】
0006039578.tif 000135